(57)【特許請求の範囲】
【請求項１】
圧力ジャケットであって、
近位端、遠位端、長手方向軸に沿って前記近位端と前記遠位端との間でほぼ周方向に延びる側壁を有する筒であって、前記筒が、その内部にシリンジを受けるように構成された内部容積を画定する内面を有し、前記内面が、注入手順中に前記シリンジの径方向の膨張を制限するためにシリンジ筒の外面と係合するように構成されている、筒と、
前記側壁の外面に対して径方向外向きに突出する少なくとも１つのラグを有する少なくとも１つの圧力ジャケット保持部材と、
を含み、
前記少なくとも１つのラグが、前記側壁の前記外面に沿って前記遠位端から前記近位端に向かう方向に軸方向に先細にされており、
前記少なくとも１つのラグが、流体インジェクタ上のロック機構と係合して、前記圧力ジャケットを前記流体インジェクタに解放可能にロックするように構成され、
前記少なくとも１つのラグの先細部分が、前記圧力ジャケットが自己配向して前記ロック機構と整列するように前記圧力ジャケットを回転案内し、かつ前記圧力ジャケットの回転時に前記圧力ジャケットを軸方向に排出するように構成されている、圧力ジャケット。
【請求項２】
前記少なくとも１つのラグが、前記側壁の前記外面に沿って前記遠位端から前記近位端に向かう方向で軸方向に先細にされた部分を構成する第１の面を含む、請求項１に記載の圧力ジャケット。
【請求項３】
前記少なくとも１つのラグが、前記側壁の前記外面に沿って前記第１の面と反対の方向に軸方向に先細にされた部分を構成する第２の面をさらに含む、請求項２に記載の圧力ジャケット。
【請求項４】
前記少なくとも１つのラグが、前記長手方向軸に対してほぼ垂直に配置された基部面をさらに含む、請求項３に記載の圧力ジャケット。
【請求項５】
前記少なくとも１つのラグが、前記第１の面および前記第２の面を前記基部面に接続する少なくとも１つの面であって、前記長手方向軸に対して平行に延びるか、または軸方向に先細にされた部分を構成する、面をさらに含む、請求項４に記載の圧力ジャケット。
【請求項６】
前記第１の面、前記第２の面、および前記基部面の少なくとも１つが、湾曲状、連続状、不連続状、および平面状からなる群から選択される形状を有する、請求項４に記載の圧力ジャケット。
【請求項７】
複数のラグが、前記側壁の前記外面の周囲に等しいか等しくない角度間隔で、前記側壁の前記外面の少なくとも一部の周囲に離間して配置されている、請求項１から請求項６のいずれか一項に記載の圧力ジャケット。
【請求項８】
前記複数のラグが、前記長手方向軸に対して前記近位端にまたは前記近位端の近くに長手方向に整列している、請求項７に記載の圧力ジャケット。
【請求項９】
前記複数のラグのうちの少なくとも１つが、前記筒の前記近位端または前記遠位端に向けてオフセットされている、請求項７に記載の圧力ジャケット。
【請求項１０】
前記少なくとも１つのラグが、少なくとも１つの第１のラグと少なくとも１つの第２のラグとを含み、前記少なくとも１つの第２のラグの形状が前記少なくとも１つの第１のラグの形状と同じであるか異なっている、請求項１から請求項９のいずれか一項に記載の圧力ジャケット。
【請求項１１】
前記少なくとも１つの第１のラグおよび前記少なくとも１つの第２のラグの少なくとも１つが、前記側壁の前記外面から傾斜して周方向に延在するとともに前記少なくとも１つの第１のラグおよび前記少なくとも１つの第２のラグの前記少なくとも１つの上面に接続する傾斜解放部材を含む、請求項１０に記載の圧力ジャケット。
【請求項１２】
少なくとも１つのラグが、前記ロック機構内での前記圧力ジャケットの回転を防止するための少なくとも１つの停止面を有する１つ以上のロックタブを含む、請求項１から請求項１１のいずれか一項に記載の圧力ジャケット。
【請求項１３】
前記少なくとも１つのラグが、少なくとも１つの径方向内向きに凹んだ中空部分を含む、請求項１から請求項１２のいずれか一項に記載の圧力ジャケット。
【請求項１４】
前記長手方向軸に対して前記側壁の前記外面から径方向外向きに突出し、前記側壁の前記外面の少なくとも一部の周囲に周方向に延びる少なくとも１つのフランジをさらに含む、請求項１から請求項１３のいずれか一項に記載の圧力ジャケット。
【請求項１５】
前記圧力ジャケットの前記ロック機構への長手方向の挿入の長さを制限するための、前記少なくとも１つのフランジ上に長手方向の停止面をさらに含む、請求項１４に記載の圧力ジャケット。
【請求項１６】
前記少なくとも１つのラグが、三角形、矢じり形、長方形、または丸みのある輪郭を有する形状を有する、請求項１から請求項１５のいずれか一項に記載の圧力ジャケット。
【請求項１７】
圧力ジャケットであって、
近位端、遠位端、長手方向軸に沿って前記近位端と前記遠位端との間でほぼ周方向に延びる側壁を有する筒であって、前記筒が、その内部にシリンジを受けるように構成された内部容積を画定する内面を有し、前記内面が、注入手順中に前記シリンジの径方向の膨張を制限するためにシリンジ筒の外面と係合するように構成されている、筒と、
前記側壁の外面に対して径方向外向きに突出する少なくとも１つのラグと、
を含み、
前記少なくとも１つのラグが、前記側壁の前記外面に沿って前記遠位端から前記近位端に向かう方向に軸方向に先細にされた部分を構成する少なくとも１つの面を有しており、
前記少なくとも１つのラグが、流体インジェクタ上のロック機構と係合して、前記圧力ジャケットを前記流体インジェクタに解放可能にロックするように構成され、
前記少なくとも１つの面が、前記圧力ジャケットが自己配向して前記ロック機構と整列するように前記圧力ジャケットを回転案内するように構成され、
前記少なくとも１つの面が、前記圧力ジャケットの回転時に前記圧力ジャケットを軸方向に排出する、圧力ジャケット。
【請求項１８】
圧力ジャケットであって、
近位端、遠位端、長手方向軸に沿って前記近位端と前記遠位端との間でほぼ周方向に延びる側壁を有する筒であって、前記筒が、その内部にシリンジを受けるように構成された内部容積を画定する内面を有し、前記内面が、注入手順中に前記シリンジの径方向の膨張を制限するためにシリンジ筒の外面と係合するように構成されている、筒と、
前記側壁の外面に対して径方向外向きに突出し、前記側壁の前記外面の少なくとも一部の周囲に離間して配置された複数のラグと、
を含み、
前記複数のラグの少なくとも１つが、
前記遠位端から前記近位端に向かう方向に前記側壁の前記外面に沿って軸方向に先細にされた部分を構成する第１の面と、
前記第１の面と反対の方向に前記側壁の前記外面に沿って軸方向に先細にされた部分を構成する第２の面と、
好ましくは前記長手方向軸に対してほぼ垂直に配置された基部面と、
前記第１の面および前記第２の面を前記基部面に接続する少なくとも１つの面であって、前記長手方向軸に対して平行に延びるか、または軸方向に先細にされた部分を構成する、面と、
を含み、
前記複数のラグのうちの少なくとも１つが、流体インジェクタ上のロック機構と係合して、前記圧力ジャケットを前記流体インジェクタに解放可能にロックするように構成され、
前記第１の面および前記第２の面の少なくとも１つが、前記圧力ジャケットが自己配向して前記ロック機構と整列するように前記圧力ジャケットを回転案内するように構成され、
前記第１の面および前記第２の面の少なくとも１つが、前記圧力ジャケットの回転時に前記圧力ジャケットを軸方向に排出するように構成されている、圧力ジャケット。
【請求項１９】
流体インジェクタ装置であって、
遠位端、近位端、側壁、および前記遠位端と前記近位端との間に延びる長手方向軸を有する円筒形の筒を含む少なくとも１つの圧力ジャケットであって、前記筒が、前記側壁の外面から径方向外向きに突出する少なくとも１つのラグを有し、前記少なくとも１つのラグが、前記近位端に向かう方向に軸方向に先細にされた部分を構成する面を有し、前記筒が、その内部にシリンジを受けるように構成された内部容積を画定する内面を有し、前記内面が、注入手順中に前記シリンジの径方向の膨張を制限するためにシリンジ筒の外面と係合するように構成されている、少なくとも１つの圧力ジャケットと、
前記少なくとも１つの圧力ジャケットを受容するための少なくとも１つの圧力ジャケットポートを画定するインジェクタハウジングを含むインジェクタと、
前記少なくとも１つの圧力ジャケットを前記少なくとも１つの圧力ジャケットポート内に固定するための前記少なくとも１つの圧力ジャケットポートに関連するロック機構であって、前記ロック機構が、前記圧力ジャケットの前記少なくとも１つのラグを係合して、前記少なくとも１つの圧力ジャケットを前記少なくとも１つの圧力ジャケットポート内に解放可能にロックするように構成されたロック機構と、
を含み、
前記少なくとも１つのラグの前記先細にされた部分を構成する面が、前記圧力ジャケットが自己配向して前記ロック機構と整列するように前記少なくとも１つの圧力ジャケットを回転案内し、前記圧力ジャケットの回転時に前記圧力ジャケットを軸方向に排出するように構成されている、流体インジェクタ装置。
【請求項２０】
前記ロック機構が、
近位端、遠位端、それらの間に延びる中央開口部を有するハウジングと、
前記ハウジングの前記遠位端にある第１の保持リングと、
前記ハウジングの前記近位端と前記第１の保持リングとの間の前記ハウジングの前記中央開口部内の第２の保持リングと、
を含み、
前記少なくとも１つの圧力ジャケットの前記少なくとも１つのラグを動作可能に係合するために、前記第２の保持リングが前記第１の保持リングに対して選択的に回転可能である、請求項１９に記載の流体インジェクタ装置。
【請求項２１】
前記第１の保持リングが、前記少なくとも１つの圧力ジャケットの前記近位端が前記少なくとも１つの圧力ジャケットポートに挿入された際に、前記圧力ジャケットの前記少なくとも１つのラグを受容するように構成された少なくとも１つの第１の凹部を有する、請求項２０に記載の流体インジェクタ装置。
【請求項２２】
前記少なくとも１つの第１の凹部が、前記少なくとも１つの圧力ジャケットの前記少なくとも１つのラグを、前記少なくとも１つの第１の凹部内に誘導するための少なくとも１つの誘導面であって、前記第１の保持リングにおける前記遠位端に向かう面に形成された、誘導面を有し、前記少なくとも１つの第１の凹部の少なくとも１つの外側面が、前記少なくとも１つの誘導面の近位端側で前記少なくとも１つの誘導面に接続するとともに前記近位端に向かって軸方向に延在し、前記少なくとも１つの第１の凹部内の前記少なくとも１つのラグの動きを誘導するための誘導経路を画定する、請求項２１に記載の流体インジェクタ装置。
【請求項２３】
前記少なくとも１つの誘導面が、前記第１の保持リングの前記遠位端から前記近位端に向かう方向で、前記長手方向軸に対して径方向に傾斜しているか湾曲している、請求項２２に記載の流体インジェクタ装置。
【請求項２４】
複数のラグが、前記少なくとも１つの圧力ジャケットの前記側壁の前記外面の少なくとも一部の周囲に離間して配置され、
複数の第１の凹部が、前記第１の保持リングの内面の少なくとも一部の周囲に離間して配置されている、請求項２０から請求項２３のいずれか一項に記載の流体インジェクタ装置。
【請求項２５】
前記第２の保持リングが、前記第２の保持リングの内側側壁の少なくとも一部に１つ以上のロック要素を有する、請求項２０から請求項２４のいずれか一項に記載の流体インジェクタ装置。
【請求項２６】
前記１つ以上のロック要素が、１つ以上の第２の凹部によって離されている、請求項２５に記載の流体インジェクタ装置。
【請求項２７】
前記少なくとも１つの圧力ジャケットの前記近位端が、前記第１の保持リングを通って挿入される際、前記１つ以上の第２の凹部の少なくとも１つが、前記少なくとも１つの圧力ジャケットの前記少なくとも１つのラグを受容するように構成されている、請求項２６に記載の流体インジェクタ装置。
【請求項２８】
前記第１の保持リングが、１つ以上の第１の凹部を有し、前記第２の保持リングが、前記１つ以上の第１の凹部との選択的な整列内への前記第２の保持リングの回転時に、前記少なくとも１つのラグを受容するように構成された１つ以上の第２の凹部を有する、請求項２０から請求項２７のいずれか一項に記載の流体インジェクタ装置。
【請求項２９】
前記第１の保持リングと前記第２の保持リングとの間に第３の保持リングをさらに含む、請求項２０から請求項２８のいずれか一項に記載の流体インジェクタ装置。
【請求項３０】
少なくとも１つの弾力的な弾性部材が前記第２の保持リングと結合されている、請求項２０から請求項２９のいずれか一項に記載の流体インジェクタ装置。
【請求項３１】
圧力ジャケットであって、
近位端、遠位端、長手方向軸に沿って前記近位端と前記遠位端との間でほぼ周方向に延びる側壁を有する筒であって、前記筒が、その内部にシリンジを受けるように構成された内部容積を画定する内面を有し、前記内面が、注入手順中に前記シリンジの径方向の膨張を制限するためにシリンジ筒の外面と係合するように構成されている、筒と、
前記側壁の外面に対して径方向外向きに突出する少なくとも１つの第１のラグを有する少なくとも１つの圧力ジャケット保持部材と、
を含み、
前記少なくとも１つの第１のラグが、基部面および少なくとも１つのテーパ面を含み、
前記少なくとも１つのテーパ面が、前記筒の前記長手方向軸に対して近位方向に軸方向に先細にされた部分を構成し、
前記少なくとも１つの第１のラグが、流体インジェクタ上の圧力ジャケットポート内のロック機構と係合するように構成され、
前記少なくとも１つのテーパ面の少なくとも一部が、前記圧力ジャケットの回転時に前記圧力ジャケットポートから前記圧力ジャケットを軸方向に排出する、圧力ジャケット。
【請求項３２】
前記少なくとも１つの第１のラグが、前記少なくとも１つのテーパ面の近位端に近位点をさらに含み、前記少なくとも１つのテーパ面の少なくとも一部が、前記圧力ジャケットが自己配向して前記ロック機構と整列するように前記圧力ジャケットを回転案内する、請求項３１に記載の圧力ジャケット。
【請求項３３】
前記少なくとも１つのテーパ面が、平面、分割面、弧状面、曲面、およびそれらの組み合わせのうちの１つである、請求項３１または請求項３２に記載の圧力ジャケット。
【請求項３４】
前記少なくとも１つのテーパ面が、弧状面である、請求項３１または請求項３２に記載の圧力ジャケット。
【請求項３５】
前記基部面が、前記圧力ジャケットを前記流体インジェクタに解放可能にロックするために、前記圧力ジャケットポート内の前記ロック機構のロック面と解放可能に係合する、請求項３１から請求項３４のいずれか一項に記載の圧力ジャケット。
【請求項３６】
前記少なくとも１つの第１のラグが、前記長手方向軸に対して平行に延びるかまたは軸方向に先細にされた部分を構成する少なくとも１つの第１の面をさらに含み、前記少なくとも１つの第１の面が、前記基部面の第１の端部から前記少なくとも１つのテーパ面の最近位端まで延びる、請求項３１から請求項３５のいずれか一項に記載の圧力ジャケット。
【請求項３７】
前記少なくとも１つの第１の面および前記少なくとも１つのテーパ面の前記最近位端が、丸みのある点または鋭い点で互いに接合される、請求項３６に記載の圧力ジャケット。
【請求項３８】
前記少なくとも１つの第１の面および前記少なくとも１つのテーパ面の前記最近位端が、丸みのある点で互いに接合される、請求項３６に記載の圧力ジャケット。
【請求項３９】
前記少なくとも１つの第１のラグが、前記長手方向軸に対して平行に延びるかまたは軸方向に先細にされた部分を構成する少なくとも１つの第２の面をさらに含み、前記少なくとも１つの第２の面が、前記基部面の第２の端部から前記少なくとも１つのテーパ面の最遠位端まで延びる、請求項３６から請求項３８のいずれか一項に記載の圧力ジャケット。
【請求項４０】
前記基部面、前記少なくとも１つの第１の面、前記少なくとも１つの第２の面、および前記少なくとも１つのテーパ面が、径方向で見たときの前記少なくとも１つの第１のラグの上面の形状を画定する、請求項３９に記載の圧力ジャケット。
【請求項４１】
前記上面が、前記筒の前記側壁の周方向の曲率に対応する曲率形状を有する、請求項４０に記載の圧力ジャケット。
【請求項４２】
前記上面が、前記上面を画定する複数の別個の面を含む、請求項４０または請求項４１に記載の圧力ジャケット。
【請求項４３】
前記少なくとも１つの第１ラグが、中空である、請求項４２に記載の圧力ジャケット。
【請求項４４】
前記筒の前記側壁から径方向外向きに延びる少なくとも１つの第２のラグをさらに含み、前記第２のラグが、前記圧力ジャケットポート内の前記ロック機構のロック面と解放可能に係合して、前記流体インジェクタと前記圧力ジャケットを解放可能にロックするための第２の基部面を含む、請求項３１から請求項４３のいずれか一項に記載の圧力ジャケット。
【請求項４５】
前記少なくとも１つの第１のラグの前記基部面および前記少なくとも１つの第２のラグの前記第２の基部面が、前記圧力ジャケットの前記筒の前記近位端から同じ長手方向距離である、請求項４４に記載の圧力ジャケット。
【請求項４６】
前記少なくとも１つの第１のラグおよび前記少なくとも１つの第２のラグが、前記筒の外周に等間隔で配置される、請求項４４または請求項４５に記載の圧力ジャケット。
【請求項４７】
前記圧力ジャケットが２つの第１のラグを含む、請求項３１から請求項４６のいずれか一項に記載の圧力ジャケット。
【請求項４８】
前記２つの第１のラグが、前記筒の外周の対向側にある、請求項４７に記載の圧力ジャケット。
【請求項４９】
前記圧力ジャケットが４つの第２のラグを含む、請求項４４から請求項４６のいずれか一項に記載の圧力ジャケット。
【請求項５０】
前記４つの第２のラグの第１の対が、互いに隣接しており、前記４つの第２のラグの第２の対が、前記筒の外周で互いに隣接しているが、前記第２のラグの前記第１の対は、前記第２のラグの前記第２の対と隣接していない、請求項４９に記載の圧力ジャケット。
【請求項５１】
圧力ジャケットであって、
近位端、遠位端、長手方向軸に沿って前記近位端と前記遠位端との間でほぼ周方向に延びる側壁を有する筒であって、前記筒が、その内部にシリンジを受けるように構成された内部容積を画定する内面を有し、前記内面が、注入手順中に前記シリンジの径方向の膨張を制限するためにシリンジ筒の外面と係合するように構成されている、筒と、
前記側壁の外面に対して径方向外側に突出する少なくとも１つの第１のラグを有する少なくとも１つの圧力ジャケット保持部材と、
を含み、
前記少なくとも１つの第１のラグが、基部面、少なくとも１つのテーパ面、および前記少なくとも１つのテーパ面の最近位端における近位点を含み、
前記少なくとも１つのテーパ面が、前記筒の前記長手方向軸に対して近位方向に軸方向に先細にされた部分を構成し、前記近位点で終端し、
前記少なくとも１つの第１のラグが、流体インジェクタ上の圧力ジャケットポート内のロック機構と係合して、前記圧力ジャケットを前記流体インジェクタに解放可能にロックするように構成され、
前記近位点および前記少なくとも１つのテーパ面の少なくとも一部が、前記圧力ジャケットが自己配向して前記ロック機構と整列するように前記圧力ジャケットを回転案内する、圧力ジャケット。
【請求項５２】
前記少なくとも１つのテーパ面の少なくとも一部が、前記圧力ジャケットの回転時に前記圧力ジャケットポートから前記圧力ジャケットを軸方向に排出する、請求項５１に記載の圧力ジャケット。
【請求項５３】
前記少なくとも１つのテーパ面が、平面、分割面、弧状面、曲面、およびそれらの組み合わせのうちの１つである、請求項５１または請求項５２に記載の圧力ジャケット。
【請求項５４】
前記少なくとも１つのテーパ面が、弧状面である、請求項５１または請求項５２に記載の圧力ジャケット。
【請求項５５】
前記少なくとも１つの第１のラグが、前記長手方向軸に対して平行に延びるかまたは軸方向に先細にされた部分を構成する少なくとも１つの第１の面をさらに含み、前記少なくとも１つの第１の面が、前記基部面の第１の端部から前記少なくとも１つのテーパ面の前記最近位端まで延びて前記近位点を形成する、請求項５１から請求項５４のいずれか一項に記載の圧力ジャケット。
【請求項５６】
前記少なくとも１つの第１のラグの前記近位点が、丸みのある点または鋭い点を含む、請求項５１から請求項５５のいずれか一項に記載の圧力ジャケット。
【請求項５７】
前記少なくとも１つの第１のラグの前記近位点が、丸みのある点を含む、請求項５１から請求項５５のいずれか一項に記載の圧力ジャケット。
【請求項５８】
前記少なくとも１つの第１のラグが、前記長手方向軸に対して平行に延びるかまたは軸方向に先細にされた部分を構成する少なくとも１つの第２の面をさらに含み、前記少なくとも１つの第２の面が、前記基部面の第２の端部から前記少なくとも１つのテーパ面の遠位端まで延びる、請求項５１から請求項５７のいずれか一項に記載の圧力ジャケット。
【請求項５９】
前記基部面、前記少なくとも１つの第１の面、前記少なくとも１つの第２の面、および前記少なくとも１つのテーパ面が、径方向で見たときの前記少なくとも１つの第１のラグの上面の形状を画定する、請求項５８に記載の圧力ジャケット。
【請求項６０】
前記上面が、前記筒の前記側壁の周方向の曲率に対応する曲率形状を有する、請求項５９に記載の圧力ジャケット。
【請求項６１】
前記上面が、前記上面を画定する複数の別個の面を含む、請求項５９に記載の圧力ジャケット。
【請求項６２】
前記少なくとも１つの第１のラグが、中空である、請求項６１に記載の圧力ジャケット。
【請求項６３】
前記筒の前記側壁から径方向外向きに延びる少なくとも１つの第２のラグをさらに含み、前記第２のラグが、前記圧力ジャケットポート内の前記ロック機構のロック面を解放可能に係合して、前記流体インジェクタと前記圧力ジャケットを解放可能にロックするための第２の基部面を含む、請求項５１から請求項６２のいずれか一項に記載の圧力ジャケット。
【請求項６４】
前記少なくとも１つの第１のラグの前記基部面および前記少なくとも１つの第２のラグの前記第２の基部面が、前記圧力ジャケットの前記筒の前記近位端から同じ長手方向距離である、請求項６３に記載の圧力ジャケット。
【請求項６５】
前記少なくとも１つの第１のラグおよび前記少なくとも１つの第２のラグが、前記筒の外周に等間隔で配置される、請求項６３または請求項６４に記載の圧力ジャケット。
【請求項６６】
前記圧力ジャケットが２つの第１のラグを含む、請求項５１から請求項６５のいずれか一項に記載の圧力ジャケット。
【請求項６７】
前記２つの第１のラグが、前記筒の外周の対向側にある、請求項６６に記載の圧力ジャケット。
【請求項６８】
前記圧力ジャケットが４つの第２のラグを含む、請求項６３から請求項６５のいずれか一項に記載の圧力ジャケット。
【請求項６９】
前記４つの第２のラグの第１の対が、互いに隣接しており、前記４つの第２のラグの第２の対が、前記筒の外周で互いに隣接しているが、前記第２のラグの前記第１の対は、前記第２のラグの前記第２の対と隣接していない、請求項６８に記載の圧力ジャケット。
【請求項７０】
圧力ジャケットであって、
近位端、遠位端、長手方向軸に沿って前記近位端と前記遠位端との間でほぼ周方向に延びる側壁を有する筒であって、前記筒が、その内部にシリンジを受けるように構成された内部容積を画定する内面を有し、前記内面が、注入手順中に前記シリンジの径方向の膨張を制限するためにシリンジ筒の外面と係合するように構成されている、筒と、
前記側壁の外面に対して径方向外向きに突出する少なくとも１つの第１のラグを有する少なくとも１つの圧力ジャケット保持部材と、
を含み、
前記少なくとも１つの第１のラグが、基部面、少なくとも１つのテーパ面、および前記少なくとも１つのテーパ面の最近位端における近位点を含み、
前記基部面が、前記筒の前記長手方向軸にほぼ垂直であり、前記少なくとも１つのテーパ面が、前記筒の前記長手方向軸に対して近位方向に軸方向に先細にされた部分を構成し、前記近位点で終端し、
前記少なくとも１つのラグが、流体インジェクタ上の圧力ジャケットポート内のロック機構と係合して、前記圧力ジャケットを前記流体インジェクタに解放可能にロックするように構成され、
前記近位点および前記少なくとも１つのテーパ面の少なくとも一部が、前記圧力ジャケットが自己配向して前記ロック機構と整列するように前記圧力ジャケットを回転案内し、
前記少なくとも１つのテーパ面の少なくとも一部が、前記圧力ジャケットの回転時に、前記圧力ジャケットを前記圧力ジャケットポートから軸方向に排出する、圧力ジャケット。
【発明の詳細な説明】
【技術分野】
【０００１】
関連出願との相互参照
この出願は、その開示内容全体が参照により本明細書に組み込まれる、「自己配向プランジャおよびプランジャ対ピストンインタフェース」と題する２０１４年１０月２８日に出願された米国仮特許出願第６２／０６９，７７９号に対する優先権を主張する。
【背景技術】
【０００２】
開示の分野
本開示は、一般に、流体インジェクタと共に使用するための自己配向式のフロントローディングシリンジおよび圧力ジャケットに関し、さらに、シリンジおよび／または圧力ジャケットを流体インジェクタに固定するための接続インタフェース、シリンジおよび／または圧力ジャケットの流体インジェクタに対する装填および取り出し方法、ならびにシリンジプランジャを流体インジェクタのピストンに固定するためのプランジャおよび接続インタフェースに関する。
【０００３】
関連技術の説明
多くの医学診断および治療手順において、医師のような医療従事者は、患者に１つ以上の医療用流体を注入する。近年、造影剤溶液（しばしば単に「造影剤」と呼ばれる）、生理食塩水などの洗浄剤、および他の医療用流体などの医療用流体を加圧注入するための多数のインジェクタ作動シリンジおよび流体インジェクタが、血管造影、コンピュータ断層撮影（ＣＴ）、超音波、磁気共鳴画像化（ＭＲＩ）、陽電子放射断層撮影（ＰＥＴ）、および他の分子イメージング方法などの方法で使用するために開発されている。一般に、これらの流体インジェクタは、予め設定された圧力および／または流量で予め設定された量の流体を送達するように設計されている。
【０００４】
一部の注入手順では、医療従事者は、チューブまたは他の流体送達接続部に接続されたカテーテルまたは針を、患者の静脈または動脈に配置する。カテーテルまたはチューブは、手動または自動の流体注入機構のいずれかに接続される。自動流体注入機構は、典型的には、例えば少なくとも１つの動力線形ピストンを有する少なくとも１つの流体注入器に接続された少なくとも１つのシリンジを含む。少なくとも１つのシリンジは、例えば造影剤源および／または洗浄流体源を含む。医療従事者は、固定量の造影剤および／または生理食塩水およびそれぞれの固定注入速度について、流体インジェクタの電子制御システムに設定を入力する。
【０００５】
注入された造影剤および／または生理食塩水は、患者の腕または鼠径部のような患者の体内に挿入されたカテーテルまたは針を通して患者の脈管構造に送達される。造影剤の用量は、ボーラスと呼ばれる。造影剤のボーラスが所望の部位に送達されると、その領域は、血管造影撮像または走査、コンピュータ断層撮影（ＣＴ）、超音波、磁気共鳴画像化（ＭＲＩ）、陽電子放射断層撮影（ＰＥＴ）および他の分子画像化方法などの従来の画像化技術を用いて画像化される。造影剤の存在は、周囲の組織の背景に対してはっきりと見えるようになる。
【０００６】
流体インジェクタに対するシリンジの装填および取り出しを容易にするために、様々なフロントローディング接続インタフェースが開発されている。一部の態様では、保持機構を有するシリンジは、流体インジェクタに設けられた対応するロック機構にシリンジを整列させることによって、流体インジェクタ上のシリンジポートに挿入される。医療従事者は、シリンジがインジェクタに装填される前に、シリンジの保持機構を流体インジェクタの対応するロック機構に手動で整列させることがしばしば必要とされる。場合によっては、特許文献１に示されているように、装填のための可能な整列は、１つまたは２つしか存在しない。これらのシリンジでは、操作者はシリンジを回転させて、シリンジを流体インジェクタと係合させる整列を見つけなければならない。その際操作者は、シリンジをロック機構に対して手動で回転させて、インジェクタの操作のために十分に強く係合させる必要がある。特許文献２に開示された別の態様では、シリンジを回転的に整列させる必要はなく、あるいは、設置または係合のためにシリンジを回転させる必要もない。シリンジを取り外すには、操作者はシリンジを長手方向軸を中心として少なくとも４５度、より一般的には９０度回転させなければならない。同時に、プランジャは、シリンジの回転中にピストンから外されなければならない。回転後、操作者はシリンジおよびプランジャをインジェクタから物理的に引っ張り出さなければならない。一部の態様では、操作者は、シリンジを回転させながら同時にシリンジおよびプランジャを引っ張らなければならない。圧力ジャケットを有する流体インジェクタシステムは、同様の問題に関連する。一般に、流体ジャケットを流体インジェクタから取り外すには、操作者は、長手方向軸を中心として少なくとも４５度、より一般的には９０度回転させてロック機構を外さなければならない。回転後、操作者は圧力ジャケットをインジェクタから物理的に引っ張り出さなければならない。一部の態様では、操作者は、圧力ジャケットを回転させながら同時に圧力ジャケットを引っ張らなければならない。このようなシリンジおよび圧力ジャケット接続部は、インジェクタに対してシリンジおよび／または圧力ジャケットを装填／取り外すための追加の時間および労力を必要とし、医療注入手順の時間が長くなる。
【０００７】
したがって、操作者がシリンジおよび／または圧力ジャケットを流体インジェクタからより簡単に取り外すことができ、それにより例えば、シリンジおよび／または圧力ジャケットを同時に引っ張って回転させる労力から操作者を解放する、改良されたシリンジ対インジェクタ、圧力ジャケット対インジェクタ、およびピストン対プランジャのアタッチメント、インタフェース、および／またはロック機構が当技術分野において必要とされている。シリンジと流体インジェクタとの係合中に操作者がプランジャとピストンを回転的に整列させる必要性を低減または排除することが、当技術分野においてさらに必要とされている。様々なシリンジ、圧力ジャケット、プランジャおよびプランジャ／ピストン接続インタフェースおよび方法が医療分野で知られているが、改良されたシリンジ、圧力ジャケット、プランジャ、およびプランジャ／ピストン接続インタフェースの設計、シリンジ保持機構、シリンジと流体インジェクタとの接続インタフェース、および流体インジェクタに対するシリンジおよび／または圧力ジャケットの装填および取り外し方法が、依然として必要とされている。
【先行技術文献】
【特許文献】
【０００８】
【特許文献１】ｋ第６，３３６，９１３号
【特許文献２】米国特許第６，６５２，４８９号
【特許文献３】米国特許第５，３８３，８５８号
【特許文献４】米国特許第７，５５３，２９４号
【特許文献５】米国特許第７，６６６，１６９号
【特許文献６】国際特許出願第ＰＣＴ／ＵＳ２０１２／０３７４９１号（国際公開第２０１２／１５５０３５号）
【特許文献７】米国特許出願公開第２０１４／００２７００９号
【発明の概要】
【発明が解決しようとする課題】
【０００９】
シリンジと流体インジェクタとの既存の接続インタフェースの欠点を考慮すると、既存技術の欠点を克服する、シリンジと流体インジェクタとの改善された接続インタフェースが当技術分野において必要とされている。シリンジを流体インジェクタに対してその長手方向軸を中心として手動で回転的に整列させる必要がなく、それにより流体インジェクタに対してシリンジを容易に装填あるいは取り外し／取り出しができるように、改良されたシリンジ、シリンジ保持機構、およびシリンジを流体インジェクタに対して係合および係合解除する方法がさらに必要とされている。
【課題を解決するための手段】
【００１０】
１つの態様では、シリンジは、近位端、遠位端、および近位端と遠位端との間に長手方向軸に沿って延びるほぼ周方向の側壁を有する筒を含んでもよい。少なくとも１つのシリンジ保持部材が、側壁の外面に対して径方向外向きに突出してもよい。少なくとも１つのシリンジ保持部材は、遠位端から近位端に向かう方向で側壁の外面に沿って軸方向に先細になっていてもよい。少なくとも１つのシリンジ保持部材は、流体インジェクタ上のロック機構と係合して、シリンジを流体インジェクタに解放可能にロックするように構成されてもよい。少なくとも１つのシリンジ保持部材の先細部分は、シリンジをロック機構との自己配向整列に回転的に誘導し、かつシリンジの回転時にシリンジを軸方向に排出するように構成されてもよい。
【００１１】
少なくとも１つのシリンジ保持部材は、遠位端から近位端に向かう方向に軸方向に先細になった少なくとも１つの第１の面を有してもよい。少なくとも１つのシリンジ保持部材は、シリンジをロック機構との自己配向整列に向けて誘導するように構成された第２の面をさらに有してもよい。シリンジ保持部材上の第１の面および第２の面は、直線状、セグメント状、湾曲状、連続状、不連続状、または平面状であってもよい。第２の面は、第１の面とは反対の方向に軸方向に先細になっていてもよい。少なくとも１つのシリンジ保持部材は、シリンジの外面上にモノリシックに形成されてもよい。少なくとも１つのシリンジ保持部材は、シリンジの外面から離されてもよい。少なくとも１つのシリンジ保持部材は、長手方向軸に対してほぼ垂直に配置された基部面を有してもよい。少なくとも１つのシリンジ保持部材の少なくとも一部は、シリンジの外面に対してほぼ垂直に突出してもよい。複数のシリンジ保持部材内の個々のシリンジ保持部材は、ほぼ同じ形状にしてもよく、または２つ以上の異なる形状を有してもよい。
【００１２】
一部の態様では、複数のシリンジ保持部材は、シリンジの外面の少なくとも一部の周囲に離間して配置されてもよい。複数のシリンジ保持部材は、シリンジの外面の周囲にほぼ等しい角度間隔で離されてもよい。複数のシリンジ保持部材は、外面の周囲に等しくない角度間隔で離されてもよい。複数のシリンジ保持部材は、長手方向軸に対して近位端にまたは近位端の近くに長手方向に整列されてもよい。複数のシリンジ保持部材のうちの少なくとも１つは、筒の近位端に向けてオフセットされてもよい。複数のシリンジ保持部材のうちの少なくとも１つは、筒の遠位端に向けてオフセットされてもよい。
【００１３】
一部の態様では、少なくとも１つのシリンジ保持部材は、ロック機構内でのシリンジの回転を防止するための少なくとも１つの停止面を有する１つ以上のロックタブを有してもよい。少なくとも１つのシリンジ保持部材は、少なくとも１つの第１のラグおよび少なくとも１つの第２のラグを有してもよい。少なくとも１つの第１のラグは、少なくとも１つの第２のラグと同じであっても異なっていてもよい。少なくとも１つの第１のラグは、少なくとも１つの第２のラグに対して長手方向軸に沿って長手方向にオフセットされてもよい。第１のラグおよび第２のラグの少なくとも一方は、筒の外面から第１のラグおよび第２のラグの少なくとも１つの上面まである角度で突出した傾斜解放部材を有してもよい。少なくとも１つのシリンジ保持部材は、少なくとも１つの中空部分を有してもよく、ある態様では、少なくとも１つの中空部分に少なくとも１つの補強部材が設けられてもよい。フランジは、長手方向軸に対して側壁の外面から、少なくとも１つのシリンジ保持部材の遠位に径方向外向きに突出してもよい。フランジは、側壁の外面の少なくとも一部の周囲に延びることができる。フランジは、シリンジのロック機構への長手方向の挿入の長さを制限するための長手方向の停止面を有してもよい。少なくとも１つのシリンジ保持部材は、三角形の輪郭、矢じり状の輪郭、長方形の輪郭、または丸みのある輪郭を有する形状を有してもよい。少なくとも１つのシリンジ保持部材は、シリンジの外面に対応する形状の上面を有してもよい。少なくとも１つのシリンジ保持部材は、ロック機構上のクリアランス空間内に受容されるように構成されてもよい。
【００１４】
一部の態様では、シリンジは、近位端、遠位端、および近位端と遠位端との間に長手方向軸に沿ってほぼ周方向に延びる側壁を有する筒を有してもよい。シリンジは、側壁の外面に対して径方向外向きに突出する少なくとも１つのシリンジ保持部材を有してもよい。少なくとも１つのシリンジ保持部材は、遠位端から近位端に向かう方向で側壁の外面に沿って軸方向に先細になった少なくとも１つの面を有してもよい。少なくとも１つのシリンジ保持部材は、流体インジェクタ上のロック機構と係合して、シリンジを流体インジェクタに解放可能にロックするように構成されてもよい。少なくとも１つの面は、シリンジをロック機構との自己配向整列に向けて回転的に誘導するように構成されてもよく、シリンジの回転時にシリンジを軸方向に排出するようにさらに構成されてもよい。
【００１５】
他の態様では、シリンジは、近位端、遠位端、および近位端と遠位端との間に長手方向軸に沿ってほぼ周方向に延びる側壁を有する筒を有してもよい。シリンジは、側壁の外面に対して径方向外向きに突出する少なくとも１つのシリンジ保持部材を有してもよい。少なくとも１つのシリンジ保持部材は、第１の面が第２の面に対して軸方向および径方向にオフセットされるように、第１の面および第２の面を有してもよい。少なくとも１つのシリンジ保持部材は、流体インジェクタ上のロック機構と係合して、シリンジを流体インジェクタに解放可能にロックするように構成されてもよい。第１の面および第２の面のうちの少なくとも一方は、シリンジをロック機構との自己配向整列に向けて回転的に誘導するように構成されてもよく、第１の面および第２の面は、シリンジの回転時にシリンジを軸方向に排出するようにさらに構成されてもよい。
【００１６】
一部の態様では、流体インジェクタ装置は、遠位端、近位端、側壁、およびそれらの間に延びる長手方向軸を有する円筒形の筒を有する少なくとも１つのシリンジを含んでもよい。筒は、側壁の外面から径方向外向きに突出する少なくとも１つのシリンジ保持部材を有してもよい。少なくとも１つのシリンジ保持部材は、近位端に向かう方向に軸方向に先細になった面を有してもよい。装置は、少なくとも１つのシリンジを受容するための少なくとも１つのシリンジポートと、少なくとも１つのシリンジポート内に少なくとも１つのシリンジを固定するための、少なくとも１つのシリンジポートに関連するロック機構とを画定するインジェクタハウジングを有するインジェクタをさらに含んでもよい。ロック機構は、シリンジの少なくとも１つのシリンジ保持部材を係合して、少なくとも１つのシリンジポート内に少なくとも１つのシリンジを解放可能にロックし、シリンジの回転時に少なくとも１つのシリンジポートから少なくとも１つのシリンジを軸方向に排出するように構成されてもよい。
【００１７】
一部の態様では、第１の面は、少なくとも１つのシリンジをロック機構との自己配向整列に向けて回転的に誘導するように構成されてもよい。ロック機構は、近位端、遠位端、それらの間に延びる中央開口部、ハウジングの遠位端にある第１の保持リング、近位端と第１の保持リングとの間にあるハウジングの中央開口部内の第２の保持リングを有するハウジングを含んでもよい。第２の保持リングは、シリンジの少なくとも１つのシリンジ保持部材と動作可能に係合するように、第１の保持リングに対して回転可能であってもよい。第１の保持リングは、少なくとも１つのシリンジの近位端が少なくとも１つのシリンジポートに挿入された際に、少なくとも１つのシリンジ保持部材を受容するように構成された少なくとも１つの第１の凹部を有してもよい。少なくとも１つの第１の凹部は、第１の保持リングの内側側壁に向かって径方向外向きに突出してもよい。少なくとも１つの第１の凹部の外側面は、少なくとも１つの第１の凹部内の少なくとも１つのシリンジ保持部材の動きを誘導するための誘導経路を画定してもよい。少なくとも１つの第１の凹部は、少なくとも１つのシリンジの第１の面を、少なくとも１つの第１の凹部内に誘導するための少なくとも１つの誘導面を有してもよい。少なくとも１つのシリンジ保持部材の第１の面は、少なくとも１つのシリンジが近位方向に移動すると、少なくとも１つの誘導面の少なくとも一部と係合してもよい。少なくとも１つの誘導面は、遠位端から近位端に向かう方向で、長手方向軸に対して傾斜していても湾曲していてもよい。複数のシリンジ保持部材は、近位端付近のような、少なくとも１つのシリンジの側壁の外面の少なくとも一部分の周囲に離間して配置されてもよく、複数の第１の凹部は、第１の保持リングの内面の少なくとも一部の周囲に離間して配置されてもよい。
【００１８】
他の態様では、第２の保持リングは、第２の保持リングの内側側壁の少なくとも一部に１つ以上のロック要素を有してもよい。１つ以上のロック要素は、第２の保持リングの内側側壁に向かって径方向外向きに延びてもよい。１つ以上のロック要素は、１つ以上の第２の凹部によって離されてもよい。１つ以上の第２の凹部は、少なくとも１つのシリンジの近位端が第１の保持リングを通って挿入された際に、少なくとも１つのシリンジ保持部材を受容するように構成されてもよい。第１の保持リングは、１つ以上の第１の凹部を含んでもよく、第２の保持リングは、１つ以上の第１の凹部との選択的整列に向けて第２の保持リングを回転させるときに、少なくとも１つのシリンジ保持部材を受容するように構成された１つ以上の第２の凹部を含んでもよい。少なくとも１つの弾力的な弾性部材が、第２の保持リングに結合されてもよい。シリンジに関する情報を感知するために、少なくとも１つのセンサをシリンジと動作可能に関連させてもよい。少なくとも１つのセンサは、シリンジ上の符号化装置において符号化された情報を読み取るように構成されてもよい。
【００１９】
一部の態様では、流体インジェクタのシリンジポートのロック機構にシリンジを装填する方法は、シリンジの遠位端から近位端に向かう方向で先細にされた少なくとも１つの先細面を備えたシリンジ側壁の外面から径方向外向きに突出する少なくとも１つのシリンジ保持部材を有するシリンジを提供するステップと、シリンジの少なくとも１つの先細面をロック機構の少なくとも一部と係合させて、シリンジをロック機構との自己配向整列に向けて回転的に誘導するステップとを含んでもよい。この方法は、シリンジをシリンジポート内に自己配向させるステップをさらに含んでもよい。
【００２０】
他の態様は、プランジャを有するシリンジに関する。シリンジは、遠位端、近位端、遠位端および近位端の間に長手方向軸に沿って延びる側壁を有する筒と、長手方向軸に沿って筒内で往復摺動可能なプランジャとを含み、プランジャは近位端および遠位端を有し、少なくとも１つのプランジャ保持部材は、プランジャの外面に対して経方向外向きに突出しており、少なくとも１つのプランジャ保持部材は、プランジャの遠位端から近位端に向かう方向に軸方向に先細になっており、ここで少なくとも１つのプランジャ保持部材は、流体インジェクタのピストン上のロック機構と係合して、プランジャとピストンを解放可能にロックするように構成され、ここで少なくとも１つのプランジャ保持部材の先細部分は、プランジャをロック機構との整列に向けて回転的に誘導し、シリンジの回転時にプランジャを軸方向に排出するように構成されている。
【００２１】
他の態様によれば、圧力ジャケットは、近位端、遠位端、および近位端と遠位端との間に長手方向軸に沿ってほぼ周方向に延びる側壁を有する筒を有してもよい。圧力ジャケットはまた、側壁の外面に対して径方向外向きに突出する少なくとも１つの第１のラグを有する少なくとも１つの保持部材を含んでもよい。少なくとも１つの第１のラグは、筒の長手方向軸に対して近位方向に軸方向に先細にされた少なくとも１つの第３の面を有してもよい。少なくとも１つの第１のラグは、流体インジェクタ上のポートに関連するロック機構と係合して、圧力ジャケットを流体インジェクタに解放可能にロックするように構成されてもよい。少なくとも１つの第３の面の少なくとも一部は、圧力ジャケットを長手方向軸を中心として回転させると、圧力ジャケットを軸方向に排出してもよい。
【００２２】
他の態様によれば、基部面は、筒の長手方向軸に垂直であってもよい。少なくとも１つの第１のラグは、少なくとも１つの第３の面の最も近位端に近位点をさらに含んでもよい。近位点および少なくとも１つの第３の面のうちの少なくとも１つは、圧力ジャケットをロック機構との自己配向整列に回転的に誘導してもよい。少なくとも１つの第３の面は、平面、円弧面、曲面、先細部分を画定する不連続面、およびそれらの組み合わせのうちの１つとしてもよい。少なくとも１つの第１のラグは、少なくとも１つの第１の面をさらに含んでもよい。少なくとも１つの第１の面は、基部面の第１の端部から少なくとも１つの第３の面の最も近位端まで、長手方向軸にほぼ平行の方向に延びてもよい。少なくとも１つの第１の面および少なくとも１つの第３の面の最も近位端は、丸みのある点または鋭い点で互いに接合されてもよい。少なくとも１つの第１のラグは、少なくとも１つの第２の面をさらに含んでもよい。少なくとも１つの第２の面は、基部面の第２の端部から少なくとも１つの第３の面の最も遠位端まで、長手方向軸にほぼ平行の方向に延びてもよい。
【００２３】
他の態様によれば、基部面、少なくとも１つの第１の面、少なくとも１つの第２の面、および少なくとも１つの第３の面は、少なくとも１つの第１のラグの上面の境界を画定する。上面は、筒の側壁の周方向の曲率にほぼ平行の曲率を有してもよい。上面は、上面を画定する複数の別個の面を有してもよい。少なくとも１つの第１ラグは、上面の複数の別個の面によって画定され、かつ上面から径方向内向きに突出する中空部分を有してもよい。
【００２４】
さらなる態様によると、少なくとも１つの第２のラグは、筒の側壁から径方向外向きに延び、かつ筒の長手方向軸にほぼ垂直な第２の基部面を含んでもよい。少なくとも１つの第１のラグの基部面および少なくとも１つの第２のラグの第２の基部面は、圧力ジャケットの筒の近位端から同じ長手方向距離であってもよい。少なくとも１つの第１のラグおよび少なくとも１つの第２のラグは、筒の外周に等間隔で配置されてもよい。圧力ジャケットは２つの第１ラグを有する。２つの第１のラグは、筒の外周の対向側にあってもよい。圧力ジャケットは、４つの第２のラグを有してもよい。４つの第２のラグの第１の対は、互いに隣接していてもよく、４つの第２のラグの第２の対は、筒の外周で互いに隣接していてもよいが、第２のラグの第１の対は、第２のラグの第２の対と隣接していなくてもよい。
【００２５】
他の態様によれば、圧力ジャケットは、以下の１つ以上の項によって特徴付けられてもよい。
【００２６】
第１項．圧力ジャケットであって、
近位端、遠位端、長手方向軸に沿って近位端と遠位端との間でほぼ周方向に延びる側壁を有する筒と、
側壁の外面に対して径方向外向きに突出する少なくとも１つのラグを有する少なくとも１つの圧力ジャケット保持部材と、を含み、少なくとも１つのラグが、側壁の外面に沿って遠位端から近位端に向かう方向に軸方向に先細にされており、
少なくとも１つのラグが、流体インジェクタ上のロック機構と係合して、圧力ジャケットを流体インジェクタに解放可能にロックするように構成され、
少なくとも１つのラグの先細部分が、圧力ジャケットをロック機構との自己配向整列に向けて回転的に誘導し、かつ圧力ジャケットの回転時に圧力ジャケットを軸方向に排出するように構成されている、圧力ジャケット。
【００２７】
第２項．少なくとも１つのラグが、側壁の外面に沿って遠位端から近位端に向かう方向で軸方向に先細にされた第１の面を含む、第１項に記載の圧力ジャケット。
【００２８】
第３項．少なくとも１つのラグが、側壁の外面に沿って第１の面と反対の方向に軸方向に先細にされた第２の面をさらに含む、第２項に記載の圧力ジャケット。
【００２９】
第４項．少なくとも１つのラグが、長手方向軸に対してほぼ垂直に配置された基部面をさらに含む、第１項から第３項のいずれか一項に記載の圧力ジャケット。
【００３０】
第５項．少なくとも１つのラグが、第１の面および第２の面を基部面に接続する少なくとも１つの面をさらに含む、第４項に記載の圧力ジャケット。
【００３１】
第６項．第１の面、第２の面、および基部面の少なくとも１つが、直線状、湾曲状、連続状、不連続状、および平面状からなる群から選択される形状を有する、第４項に記載の圧力ジャケット。
【００３２】
第７項．複数のラグが、側壁の外面の周囲に等しいか等しくない角度間隔で、側壁の外面の少なくとも一部の周囲に離間して配置されている、第１項から第６項のいずれか一項に記載の圧力ジャケット。
【００３３】
第８項．複数のラグが、長手方向軸に対して近位端にまたは近位端の近くに長手方向に整列している、第７項に記載の圧力ジャケット。
【００３４】
第９項．複数のラグのうちの少なくとも１つが、筒の近位端または遠位端に向けてオフセットされている、第７項に記載の圧力ジャケット。
【００３５】
第１０項．少なくとも１つのラグが、少なくとも１つの第１のラグと少なくとも１つの第２のラグとを含み、少なくとも１つの第２のラグが少なくとも１つの第１のラグと同じであるか異なっている、第１項から第９項のいずれか一項に記載の圧力ジャケット。
【００３６】
第１１項．少なくとも１つの第１のラグおよび少なくとも１つの第２のラグの少なくとも１つが、側壁の外面から少なくとも１つの第１のラグおよび少なくとも１つの第２のラグの少なくとも１つの上面に突出する傾斜解放部材を含む、第１０項に記載の圧力ジャケット。
【００３７】
第１２項．少なくとも１つのラグが、ロック機構内での圧力ジャケットの回転を防止するための少なくとも１つの停止面を有する１つ以上のロックタブを含む、第１項から第１１項のいずれか一項に記載の圧力ジャケット。
【００３８】
第１３項．少なくとも１つのラグが、少なくとも１つの径方向内向きに凹んだ中空部分を含む、第１項から第１２項のいずれか一項に記載の圧力ジャケット。
【００３９】
第１４項．長手方向軸に対して側壁の外面から径方向外向きに突出し、側壁の外面の少なくとも一部の周囲に周方向に延びる少なくとも１つのフランジをさらに含む、第１項から第１３項のいずれか一項に記載の圧力ジャケット。
【００４０】
第１５項．圧力ジャケットのロック機構への長手方向の挿入の長さを制限するための、少なくとも１つのフランジ上に長手方向の停止面をさらに含む、第１４項に記載の圧力ジャケット。
【００４１】
第１６項．少なくとも１つのラグが、三角形、矢じり形、長方形、または丸みのある輪郭を有する形状を有する、第１項から第１５項のいずれか一項に記載の圧力ジャケット。
【００４２】
第１７項．圧力ジャケットであって、
近位端、遠位端、長手方向軸に沿って近位端と遠位端との間でほぼ周方向に延びる側壁を有する筒と、
側壁の外面に対して径方向外向きに突出する少なくとも１つのラグと、を含み、少なくとも１つのラグが、側壁の外面に沿って遠位端から近位端に向かう方向に軸方向に先細にされた少なくとも１つの面を有しており、
少なくとも１つのラグが、流体インジェクタ上のロック機構と係合して、圧力ジャケットを流体インジェクタに解放可能にロックするように構成され、
少なくとも１つの面が、圧力ジャケットをロック機構との自己配向整列に向けて回転的に誘導するように構成され、
少なくとも１つの面が、圧力ジャケットの回転時に圧力ジャケットを軸方向に排出する、圧力ジャケット。
【００４３】
第１８項．圧力ジャケットであって、
近位端、遠位端、長手方向軸に沿って近位端と遠位端との間でほぼ周方向に延びる側壁を有する筒と、
側壁の外面に対して径方向外向きに突出し、側壁の外面の少なくとも一部の周囲に離間して配置された複数のラグと、を含み、複数のラグの少なくとも１つが、
遠位端から近位端に向かう方向に側壁の外面に沿って軸方向に先細にされた第１の面と、
第１の面と反対の方向に軸方向に先細にされた第２の面と、
好ましくは長手方向軸に対してほぼ垂直に配置された基部面と、
第１の面および第２の面を基部面に
接続する少なくとも１つの面と、を含み、
複数のラグのうちの少なくとも１つが、流体インジェクタ上のロック機構と係合して、圧力ジャケットを流体インジェクタに解放可能にロックするように構成され、
第１の面および第２の面の少なくとも１つが、圧力ジャケットをロック機構との自己配向整列内に向けて回転的に誘導するように構成され、
第１の面および第２の面の少なくとも１つが、圧力ジャケットの回転時に圧力ジャケットを軸方向に排出するように構成されている、圧力ジャケット。
【００４４】
第１９項．流体インジェクタ装置であって、
遠位端、近位端、側壁、および遠位端と近位端との間に延びる長手方向軸を有する円筒形の筒を含む少なくとも１つの圧力ジャケットであって、筒が、側壁の外面から軸方向外向きに突出する少なくとも１つのラグを有し、少なくとも１つのラグが、近位端に向かう方向に軸方向に先細にされた面を有する少なくとも１つの圧力ジャケットと、
少なくとも１つの圧力ジャケットを受容するための少なくとも１つの圧力ジャケットポートを画定するインジェクタハウジングを含むインジェクタと、
少なくとも１つの圧力ジャケットを少なくとも１つの圧力ジャケットポート内に固定するための少なくとも１つの圧力ジャケットポートに関連するロック機構であって、ロック機構が、圧力ジャケットの少なくとも１つのラグを係合して、少なくとも１つの圧力ジャケットを少なくとも１つの圧力ジャケットポート内に解放可能にロックするように構成されたロック機構と、を含み、
少なくとも１つのラグの先細にされた面が、少なくとも１つの圧力ジャケットをロック機構との自己配向整列に向けて回転的に誘導し、圧力ジャケットの回転時に圧力ジャケットを軸方向に排出するように構成されている、流体インジェクタ装置。
【００４５】
第２０項．ロック機構が、
近位端、遠位端、それらの間に延びる中央開口部を有するハウジングと、
ハウジングの遠位端にある第１の保持リングと、
ハウジングの近位端と第１の保持リングとの間のハウジングの中央開口部内の第２の保持リングと、を含み、
少なくとも１つの圧力ジャケットの少なくとも１つのラグを動作可能に係合するために、第２の保持リングが第１の保持リングに対して選択的に回転可能である、第１９項に記載の流体インジェクタ装置。
【００４６】
第２１項．第１の保持リングが、少なくとも１つの圧力ジャケットの近位端が少なくとも１つの圧力ジャケットポートに挿入された際に、圧力ジャケットの少なくとも１つのラグを受容するように構成された少なくとも１つの第１の凹部を有する、請求項２０に記載の流体インジェクタ装置。
【００４７】
第２２項．少なくとも１つの第１の凹部が、少なくとも１つの圧力ジャケットの少なくとも１つのラグを、少なくとも１つの第１の凹部内に誘導するための少なくとも１つの誘導面を有し、少なくとも１つの第１の凹部の少なくとも１つの外側面が、少なくとも１つの第１の凹部内の少なくとも１つのラグの動きを誘導するための誘導経路を画定する、第２１項に記載の流体インジェクタ装置。
【００４８】
第２３項．少なくとも１つの誘導面が、第１の保持リングの遠位端から近位端に向かう方向で、長手方向軸に対して径方向に傾斜しているか湾曲している、第２２項に記載の流体インジェクタ装置。
【００４９】
第２４項．複数のラグが、少なくとも１つの圧力ジャケットの側壁の外面の少なくとも一部の周囲に離間して配置され、
複数の第１の凹部が、第１の保持リングの内面の少なくとも一部の周囲に離間して配置されている、第２０項から第２３項のいずれか一項に記載の流体インジェクタ装置。
【００５０】
第２５項．第２の保持リングが、第２の保持リングの内側側壁の少なくとも一部に１つ以上のロック要素を有する、第２０項から第２４項のいずれか一項に記載の流体インジェクタ装置。
【００５１】
第２６項．１つ以上のロック要素が、１つ以上の第２の凹部によって離されている、第２５項に記載の流体インジェクタ装置。
【００５２】
第２７項．少なくとも１つの圧力ジャケットの近位端が、第１の保持リングを通って挿入される際、少なくとも１つ以上の第２の凹部の少なくとも１つが、少なくとも１つの圧力ジャケットの少なくとも１つのラグを受容するように構成されている、第２６項に記載の流体インジェクタ装置。
【００５３】
第２８項．第１の保持リングが、１つ以上の第１の凹部を有し、第２の保持リングが、１つ以上の第１の凹部との選択的な整列内への第２の保持リングの回転時に、少なくとも１つのラグを受容するように構成された１つ以上の第２の凹部を有する、第２０項から第２７項のいずれか一項に記載の流体インジェクタ装置。
【００５４】
第２９項．第１の保持リングと第２の保持リングとの間に第３の保持リングをさらに含む、第２０項から第２８項のいずれか一項に記載の流体インジェクタ装置。
【００５５】
第３０項．少なくとも１つの弾力的な弾性部材が第２の保持リングと結合されている、第２０項から第２９項のいずれか一項に記載の流体インジェクタ装置。
【００５６】
第３１項．圧力ジャケットであって、
近位端、遠位端、長手方向軸に沿って近位端と遠位端との間でほぼ周方向に延びる側壁を有する筒と、
側壁の外面に対して径方向外向きに突出する少なくとも１つの第１のラグを有する少なくとも１つの圧力ジャケット保持部材と、を含み、少なくとも１つの第１のラグが、基部面および少なくとも１つの第３の面を含み、
少なくとも１つの第３の面が、筒の長手方向軸に対して近位方向に軸方向に先細にされ、
少なくとも１つの第１のラグが、流体インジェクタ上の圧力ジャケットポート内のロック機構と係合するように構成され、
少なくとも１つの第３の面の少なくとも一部が、圧力ジャケットの回転時に圧力ジャケットポートから圧力ジャケットを軸方向に排出する、圧力ジャケット。
【００５７】
第３２項．少なくとも１つの第１のラグが、少なくとも１つの第３の面の近位端に近位点をさらに含み、少なくとも１つの第３の面の少なくとも一部が、圧力ジャケットをロック機構との自己配向整列に向けて回転的に誘導する、第３１項に記載の圧力ジャケット。
【００５８】
第３３項．少なくとも１つの第３の面が、平面、分割面、弧状面、曲面、先細面を画定する不連続面、およびそれらの組み合わせのうちの１つである、第３１項または第３２項に記載の圧力ジャケット。
【００５９】
第３４項．少なくとも１つの第３の面が、弧状面である、第３１項または第３２項に記載の圧力ジャケット。
【００６０】
第３５項．基部面が、圧力ジャケットを流体インジェクタに解放可能にロックするために、圧力ジャケットポート内のロック機構のロック面と解放可能に係合する、第３１項から第３４項のいずれか一項に記載の圧力ジャケット。
【００６１】
第３６項．少なくとも１つの第１のラグが、少なくとも１つの第１の面をさらに含み、少なくとも１つの第１の面が、基部面の第１の端部から少なくとも１つの第３の面の最近位端まで延びる、第３１項から第３５項のいずれか一項に記載の圧力ジャケット。
【００６２】
第３７項．少なくとも１つの第１の面および少なくとも１つの第３の面の最近位端が、丸みのある点または鋭い点で互いに接合される、第３６項に記載の圧力ジャケット。
【００６３】
第３８項．少なくとも１つの第１の面および少なくとも１つの第３の面の最近位端が、丸みのある点で互いに接合される、第３６項に記載の圧力ジャケット。
【００６４】
第３９項．少なくとも１つの第１のラグが、少なくとも１つの第２の面をさらに含み、少なくとも１つの第２の面が、基部面の第２の端部から少なくとも１つの第３の面の最遠位端まで延びる、第３６項から第３８項のいずれか一項に記載の圧力ジャケット。
【００６５】
第４０項．基部面、少なくとも１つの第１の面、少なくとも１つの第２の面、および少なくとも１つの第３の面が、少なくとも１つの第１のラグの上面の境界を画定する、第３９項に記載の圧力ジャケット。
【００６６】
第４１項．上面が、筒の側壁の周方向の曲率に対応する曲率形状を有する、第４０項に記載の圧力ジャケット。
【００６７】
第４２項．上面が、上面を画定する複数の別個の面を含む、第４０項または第４１項に記載の圧力ジャケット。
【００６８】
第４３項．少なくとも１つの第１ラグが、上面の複数の別個の面によって画定され、かつ上面から径方向内向きに突出する少なくとも１つの中空部分を有する、第４２項に記載の圧力ジャケット。
【００６９】
第４４項．筒の側壁から径方向外向きに延びる少なくとも１つの第２のラグをさらに含み、圧力ジャケットポート内のロック機構のロック面と解放可能に係合して、流体インジェクタと圧力ジャケットを解放可能にロックするための第２の基部面を含む、第３１項から第４３項のいずれか一項に記載の圧力ジャケット。
【００７０】
第４５項．少なくとも１つの第１のラグの基部面および少なくとも１つの第２のラグの第２の基部面が、圧力ジャケットの筒の近位端から同じ長手方向距離である、第４４項に記載の圧力ジャケット。
【００７１】
第４６項．少なくとも１つの第１のラグおよび少なくとも１つの第２のラグが、筒の外周に等間隔で配置される、第４４項または第４５項に記載の圧力ジャケット。
【００７２】
第４７項．圧力ジャケットが２つの第１のラグを含む、第３１項から第４６項のいずれか一項に記載の圧力ジャケット。
【００７３】
第４８項．２つの第１のラグが、筒の外周の対向側にある、第４７項に記載の圧力ジャケット。
【００７４】
第４９項．圧力ジャケットが４つの第２のラグを含む、第４４項から第４６項のいずれか一項に記載の圧力ジャケット。
【００７５】
第５０項．４つの第２のラグの第１の対が、互いに隣接しており、４つの第２のラグの第２の対が、筒の外周で互いに隣接しているが、第２のラグの第１の対は、第２のラグの第２の対と隣接していない、第４９項に記載の圧力ジャケット。
【００７６】
第５１項．圧力ジャケットであって、
近位端、遠位端、長手方向軸に沿って近位端と遠位端との間でほぼ周方向に延びる側壁を有する筒と、
側壁の外面に対して径方向外側に突出する少なくとも１つの第１のラグを有する少なくとも１つの圧力ジャケット保持部材と、を含み、少なくとも１つの第１のラグが、基部面、少なくとも１つの第３の面、および少なくとも１つの第３の面の最近位端における近位点を含み、
少なくとも１つの第３の面が、筒の長手方向軸に対して近位方向に軸方向に先細にされて近位点で終端し、
少なくとも１つの第１のラグが、流体インジェクタ上の圧力ジャケットポート内のロック機構と係合して、圧力ジャケットを流体インジェクタに解放可能にロックするように構成され、
近位点および少なくとも１つの第３の面の少なくとも一部が、圧力ジャケットをロック機構との自己配向整列に向けて回転的に誘導する、圧力ジャケット。
【００７７】
第５２項．少なくとも１つの第３の面の少なくとも一部が、圧力ジャケットの回転時に圧力ジャケットポートから圧力ジャケットを軸方向に排出する、第５１項に記載の圧力ジャケット。
【００７８】
第５３項．少なくとも１つの第３の面が、平面、分割面、弧状面、曲面、先細面を画定する不連続面、およびそれらの組み合わせのうちの１つである、第５１項または第５２項に記載の圧力ジャケット。
【００７９】
第５４項．少なくとも１つの第３の面が、弧状面である、第５１項または第５２項に記載の圧力ジャケット。
【００８０】
第５５項．少なくとも１つの第１のラグが、少なくとも１つの第１の面をさらに含み、少なくとも１つの第１の面が、基部面の第１の端部から少なくとも１つの第３の面の最近位端まで延びて近位点を形成する、第５１項から第５４項のいずれか一項に記載の圧力ジャケット。
【００８１】
第５６項．少なくとも１つの第１のラグの近位点が、丸みのある点または鋭い点を含む、第５１項から第５５項のいずれか一項に記載の圧力ジャケット。
【００８２】
第５７項．少なくとも１つの第１のラグの近位点が、丸みのある点を含む、第５１項から第５５項のいずれか一項に記載の圧力ジャケット。
【００８３】
第５８項．少なくとも１つの第１のラグが、少なくとも１つの第２の面をさらに含み、少なくとも１つの第２の面が、基部面の第２の端部から少なくとも１つの第３の面の遠位端まで延びる、第５１項から第５７項のいずれか一項に記載の圧力ジャケット。
【００８４】
第５９項．基部面、少なくとも１つの第１の面、少なくとも１つの第２の面、および少なくとも１つの第３の面が、少なくとも１つの第１のラグの上面の境界を画定する、第５８項に記載の圧力ジャケット。
【００８５】
第６０項．上面が、筒の側壁の周方向の曲率に対応する曲率形状を有する、第５９項に記載の圧力ジャケット。
【００８６】
第６１項．上面が、上面を画定する複数の別個の面を含む、第５８項または第５９項に記載の圧力ジャケット。
【００８７】
第６２項．少なくとも１つの第１のラグが、上面の複数の別個の面によって画定され、かつ上面から径方向内向きに突出する少なくとも１つの中空部分を有する、第６１項に記載の圧力ジャケット。
【００８８】
第６３項．筒の側壁から径方向外向きに延びる少なくとも１つの第２のラグをさらに含み、圧力ジャケットポート内のロック機構のロック面を解放可能に係合して、流体インジェクタで圧力ジャケットを解放可能にロックするための第２の基部面を含む、第５１項から第６２項のいずれか一項に記載の圧力ジャケット。
【００８９】
第６４項．少なくとも１つの第１のラグの基部面および少なくとも１つの第２のラグの第２の基部面が、圧力ジャケットの筒の近位端から同じ長手方向距離である、第６３項に記載の圧力ジャケット。
【００９０】
第６５項．少なくとも１つの第１のラグおよび少なくとも１つの第２のラグが、筒の外周に等間隔で配置される、第６３項または第６４項に記載の圧力ジャケット。
【００９１】
第６６項．圧力ジャケットが２つの第１のラグを含む、第５１項から第６５項のいずれか一項に記載の圧力ジャケット。
【００９２】
第６７項．２つの第１のラグが、筒の外周の対向側にある、第６６項に記載の圧力ジャケット。
【００９３】
第６８項．圧力ジャケットが４つの第２のラグを含む、第６３項から第６５項のいずれか一項に記載の圧力ジャケット。
【００９４】
第６９項．４つの第２のラグの第１の対が、互いに隣接しており、４つの第２のラグの第２の対が、筒の外周で互いに隣接しているが、第２のラグの第１の対は、第２のラグの第２の対と隣接していない、第６８項に記載の圧力ジャケット。
【００９５】
第７０項．圧力ジャケットであって、
近位端、遠位端、長手方向軸に沿って近位端と遠位端との間でほぼ周方向に延びる側壁を有する筒と、
側壁の外面に対して径方向外向きに突出する少なくとも１つの第１のラグを有する少なくとも１つの圧力ジャケット保持部材と、を含み、少なくとも１つの第１のラグが、基部面、少なくとも１つの第３の面、および少なくとも１つの第３の面の最近位端における近位点を含み、
基部面が、筒の長手方向軸にほぼ垂直であり、少なくとも１つの第３の面が、筒の長手方向軸に対して近位方向に軸方向に先細にされて近位点で終端し、
少なくとも１つのラグが、流体インジェクタ上の圧力ジャケットポート内のロック機構と係合して、圧力ジャケットを流体インジェクタに解放可能にロックするように構成され、
近位点および少なくとも１つの第３の面の少なくとも一部が、圧力ジャケットをロック機構との自己配向整列に向けて回転的に誘導し、
少なくとも１つの第３の面の少なくとも一部が、圧力ジャケットの回転時に、圧力ジャケットを圧力ジャケットポートから軸方向に排出する、圧力ジャケット。
【００９６】
シリンジ、圧力ジャケット、シリンジ接続インタフェース、圧力ジャケット接続インタフェース、およびシリンジ、圧力ジャケット、および／またはシリンジ接続インタフェースおよび／または圧力ジャケット接続インタフェースを有するシステムのこれらおよび他の特徴および特性、ならびに操作方法および構造の関連要素の機能、部品の組み合わせおよび製造の経済性は、以下の説明および添付の特許請求の範囲を添付図面を参照して検討することにより、より明らかになり、これらの書類はその全てが本明細書の一部をなし、様々な図において同じ番号は対応する部品を示す。しかしながら、図面は例示および説明のためのものにすぎないことを明確に理解されたい。本明細書および特許請求の範囲で使用されるように、単数形の「ａ」、「ａｎ」および「ｔｈｅ」は、文脈上他に明確に指示されない限り、複数の指示対象を含む。
【図面の簡単な説明】
【００９７】
【図１Ａ】本開示の態様による流体インジェクタおよびシリンジを含むシステムの概略図である。
【図１Ｂ】本開示の一態様によるシリンジの斜視図である。
【図２Ａ】一態様によるシリンジを流体インジェクタに固定するための接続インタフェースの分解斜視図である。
【図２Ｂ】図２Ａに示す組み立てられた接続インタフェースの詳細斜視図である。
【図２Ｃ】シリンジポートにシリンジを装填した図２Ａに示す接続インタフェースの断面図である。
【図２Ｄ】図２Ｃに示す接続インタフェースの断面斜視図である。
【図３Ａ】別の態様によるシリンジを流体インジェクタに固定するための接続インタフェースの正面分解斜視図である。
【図３Ｂ】図３Ａに示す接続インタフェースの背面分解斜視図である。
【図３Ｃ】シリンジポートにシリンジを装填した図３Ａに示す接続インタフェースの断面図である。
【図３Ｄ】シリンジポートに装填されているシリンジを示す、図３Ｃの接続インタフェースの断面図である。
【図３Ｅ】シリンジポートに対してロックされたシリンジを示す、図３Ｃの接続インタフェースの断面図である。
【図３Ｆ】シリンジポートからシリンジをロック解除する第１のステップを示す、図３Ｃの接続インタフェースの断面図である。
【図３Ｇ】シリンジポートからシリンジをロック解除する第２のステップを示す、図３Ｃの接続インタフェースの断面図である。
【図３Ｈ】シリンジポートからシリンジをロック解除する第３のステップを示す、図３Ｃの接続インタフェースの断面図である。
【図４Ａ】様々な他の態様によるシリンジを流体インジェクタに固定するための接続インタフェースの円筒形の平面投影図である。
【図４Ｂ】様々な他の態様によるシリンジを流体インジェクタに固定するための接続インタフェースの円筒形の平面投影図である。
【図４Ｃ】様々な他の態様によるシリンジを流体インジェクタに固定するための接続インタフェースの円筒形の平面投影図である。
【図４Ｄ】様々な他の態様によるシリンジを流体インジェクタに固定するための接続インタフェースの円筒形の平面投影図である。
【図４Ｅ】様々な他の態様によるシリンジを流体インジェクタに固定するための接続インタフェースの円筒形の平面投影図である。
【図４Ｆ】様々な他の態様によるシリンジを流体インジェクタに固定するための接続インタフェースの円筒形の平面投影図である。
【図４Ｇ】様々な他の態様によるシリンジを流体インジェクタに固定するための接続インタフェースの円筒形の平面投影図である。
【図４Ｈ】様々な他の態様によるシリンジを流体インジェクタに固定するための接続インタフェースの円筒形の平面投影図である。
【図４Ｉ】様々な他の態様によるシリンジを流体インジェクタに固定するための接続インタフェースの円筒形の平面投影図である。
【図４Ｊ】様々な他の態様によるシリンジを流体インジェクタに固定するための接続インタフェースの円筒形の平面投影図である。
【図４Ｋ】様々な他の態様によるシリンジを流体インジェクタに固定するための接続インタフェースの円筒形の平面投影図である。
【図４Ｌ】様々な他の態様によるシリンジを流体インジェクタに固定するための接続インタフェースの円筒形の平面投影図である。
【図４Ｍ】様々な他の態様によるシリンジを流体インジェクタに固定するための接続インタフェースの円筒形の平面投影図である。
【図５Ａ】シリンジ上のシリンジ保持部材の様々な態様を示す図である。
【図５Ｂ】シリンジ上のシリンジ保持部材の様々な態様を示す図である。
【図５Ｃ】シリンジ上のシリンジ保持部材の様々な態様を示す図である。
【図５Ｄ】シリンジ上のシリンジ保持部材の様々な態様を示す図である。
【図５Ｅ】シリンジ上のシリンジ保持部材の様々な態様を示す図である。
【図５Ｆ】シリンジ上のシリンジ保持部材の様々な態様を示す図である。
【図５Ｇ】シリンジ上のシリンジ保持部材の様々な態様を示す図である。
【図５Ｈ】シリンジ上のシリンジ保持部材の様々な態様を示す図である。
【図５Ｉ】シリンジ上のシリンジ保持部材の様々な態様を示す図である。
【図５Ｊ】シリンジ上のシリンジ保持部材の様々な態様を示す図である。
【図５Ｋ】シリンジ上のシリンジ保持部材の様々な態様を示す図である。
【図５Ｌ】シリンジ上のシリンジ保持部材の様々な態様を示す図である。
【図５Ｍ】シリンジ上のシリンジ保持部材の様々な態様を示す図である。
【図５Ｎ】シリンジ上のシリンジ保持部材の様々な態様を示す図である。
【図５Ｏ】シリンジ上のシリンジ保持部材の様々な態様を示す図である。
【図５Ｐ】シリンジ上のシリンジ保持部材の様々な態様を示す図である。
【図５Ｑ】シリンジ上のシリンジ保持部材の様々な態様を示す図である。
【図５Ｒ】シリンジ上のシリンジ保持部材の様々な態様を示す図である。
【図５Ｓ（１）】シリンジ上のシリンジ保持部材の様々な態様を示す図である。
【図５Ｓ（２）】シリンジ上のシリンジ保持部材の様々な態様を示す図である。
【図５Ｓ（３）】シリンジ上のシリンジ保持部材の様々な態様を示す図である。
【図５Ｔ】シリンジ上のシリンジ保持部材の様々な態様を示す図である。
【図５Ｕ】シリンジ上のシリンジ保持部材の様々な態様を示す図である。
【図５Ｖ】シリンジ上のシリンジ保持部材の様々な態様を示す図である。
【図５Ｗ】シリンジ上のシリンジ保持部材の様々な態様を示す図である。
【図５Ｘ】シリンジ上のシリンジ保持部材の様々な態様を示す図である。
【図５Ｙ】シリンジ上のシリンジ保持部材の様々な態様を示す図である。
【図５Ｚ】シリンジ上のシリンジ保持部材の様々な態様を示す図である。
【図６Ａ】本開示のシリンジをインジェクタに接続するように構成された継手の斜視図である。
【図６Ｂ】本開示のインジェクタにシリンジを接続するように構成されたアダプタの斜視図である。
【図７Ａ】図６Ａに示す継手の接続部分の別の態様の斜視図である。
【図７Ｂ】図６Ａに示す継手の接続部分の別の態様の斜視図である。
【図８Ａ】シリンジを流体インジェクタから排出する間のシリンジ保持部材および接続インタフェースの態様における力の概略図である。
【図８Ｂ】シリンジ保持部材とロック機構との間の摩擦係数の関数としての、シリンジ排出のための滑り角のグラフである。
【図８Ｃ】接続インタフェースにおける先細面の角度の関数としての、ロック機構の復元力に対する、排出中のシリンジに対する回転力の比のグラフである。
【図９Ａ】シリンジを流体インジェクタに挿入する間のシリンジ保持部材および接続インタフェースの態様における力の概略図である。
【図９Ｂ】シリンジとロック機構との間の摩擦係数の関数としての、シリンジ排出のための滑り角のグラフである。
【図１０Ａ】シリンジ上のシリンジ保持部材の様々な態様を示す図である。
【図１０Ｂ】シリンジ上のシリンジ保持部材の様々な態様を示す図である。
【図１０Ｃ】シリンジ上のシリンジ保持部材の様々な態様を示す図である。
【図１０Ｄ】シリンジ上のシリンジ保持部材の様々な態様を示す図である。
【図１０Ｅ】シリンジ上のシリンジ保持部材の様々な態様を示す図である。
【図１０Ｆ】シリンジ上のシリンジ保持部材の様々な態様を示す図である。
【図１０Ｇ】シリンジ上のシリンジ保持部材の様々な態様を示す図である。
【図１０Ｈ】シリンジ上のシリンジ保持部材の様々な態様を示す図である。
【図１１Ａ】本開示の一態様によるシリンジプランジャの斜視図である。
【図１１Ｂ】一態様による流体インジェクタのピストンにシリンジプランジャを固定するための接続インタフェースの分解斜視図である。
【図１１Ｃ】図１１Ｂに示す接続インタフェースの詳細斜視図である。
【図１２】本開示の一態様による、圧力ジャケットを固定するための圧力ジャケットおよびロック機構の分解斜視図である。
【図１３】キャップおよび圧力ジャケットの斜視図である。
【図１４】圧縮可能シリンジを有する一態様による圧力ジャケットの図である。
【発明を実施するための形態】
【００９８】
以下の説明の目的のために、用語「上」、「下」、「右」、「左」、「垂直」、「水平」、「上部」、「基部」、「横」、「長手方向」およびその派生語は、図面に示されているように、開示に関係するものとする。シリンジに関して使用される場合、「近位」という用語は、シリンジがインジェクタに接続するように配向されている場合に、インジェクタに最も近いシリンジの部分を指す。「遠位」という用語は、シリンジがインジェクタに接続するように配向されている場合に、インジェクタから最も離れたシリンジの部分を指す。「径方向」という用語は、近位端と遠位端との間に延びるシリンジの長手方向軸に垂直な断面平面内の方向を指す。「周方向」という用語は、シリンジの側壁の内面または外面の周囲の方向を指す。「軸方向」という用語は、近位端と遠位端との間に延びるシリンジの長手方向軸に沿った方向を指す。「自己配向」という用語は、技術者による労力なしに、挿入中にシリンジ自身がシリンジポート内で正しい方向に配向することを意味する。用語「軸方向先細」、「軸方向先細化」および「軸方向に先細にする」は、円筒形平面投影図におけるシリンジ上の少なくとも１つの仮想または実面の、シリンジの遠位端から近位端に向かう方向の傾斜角を意味する。しかしながら、本開示は、明示的に反対に指定されている場合を除いて、代替の変位形態およびステップシーケンスを想定してもよいことを理解されたい。添付の図面に示され、以下の明細書に記載される特定の装置およびプロセスは、本開示の単なる例示的な態様であることも理解されたい。したがって、本明細書に開示する態様（すなわち、態様、変形形態、変位形態）に関連する具体的な寸法および他の物理的特徴は、限定的であるとみなすべきではない。
【００９９】
いくつかの図を通して同じ参照符号が同じ部品を示す図面を参照すると、本開示は、一般に、シリンジおよびシリンジを流体インジェクタに接続するための接続インタフェースを対象とする。
【０１００】
図１Ａを参照すると、自動または動力式流体インジェクタのような流体インジェクタ１０（以下、「インジェクタ１０」と呼ぶ）は、少なくとも１つのシリンジ１２とインタフェースし、これを作動させるように適合され、そのそれぞれは、造影剤、生理食塩水、または任意の所望の医療用流体などの医療用流体Ｆで個別に満たされる。インジェクタ１０は、少なくとも１つのピストンで少なくとも１つのシリンジ１２のプランジャ２６を駆動することによって、患者の体内に医療用流体を注入する医療処置中に使用されてもよい。インジェクタ１０は、マルチシリンジインジェクタであってもよく、いくつかのシリンジ１２は、並んでまたは他の関係で配向されてもよく、インジェクタ１０に関連するそれぞれのピストンによって個別に作動されるプランジャ２６を含む。２つの異なる医療用流体で満たされた２つのシリンジが並んで配置された態様では、インジェクタ１０は、シリンジ１２の一方または両方から流体を送達するように構成されてもよい。
【０１０１】
インジェクタ１０は、プラスチックまたは金属などの適切な構造材料から形成されたハウジング１４内に封入されてもよい。ハウジング１４は、所望の用途に応じて様々な形状および大きさであってよい。例えば、インジェクタ１０は、床に配置されるように構成された自立構造であってもよく、または適切なテーブルまたは支持フレーム上に配置するためのより小さい設計であってもよい。インジェクタ１０は、少なくとも１つのシリンジ１２をそれぞれのピストン要素に接続するための、少なくとも１つのシリンジポート１６を含む。以下に説明するように、一部の態様では、少なくとも１つのシリンジ１２は、インジェクタ１０のシリンジポート１６内にシリンジ１２を保持するように構成された少なくとも１つのシリンジ保持部材を含む。以下に説明するように、少なくとも１つのシリンジ保持部材は、インジェクタ１０のシリンジポート１６の上または中に設けられたロック機構と動作可能に係合するように構成され、インジェクタ１０に対するシリンジ１２の自己方向装填および／または取り外しを容易にする。シリンジ保持部材およびロック機構は、シリンジ１２をインジェクタ１０に接続するための接続インタフェースを共に画定する。
【０１０２】
少なくとも１つの流体経路セット１７は、血管アクセス部位において、少なくとも１つのシリンジ１２から患者に挿入されたカテーテル、針、または他の流体送達接続（図示せず）に医療用流体Ｆを送達するための少なくとも１つのシリンジ１２と流体接続してもよい。少なくとも１つのシリンジ１２からの流体の流れは、流体制御モジュール（図示せず）によって調整されてもよい。流体制御モジュールは、例えば、注入流量、持続時間、全注入体積、および／または造影剤と生理食塩水との比を含む患者が選択した注入パラメータに基づいて、例えば、生理食塩水および造影剤などの医療用流体の送達を調整するための様々なピストン、バルブ、および／または流れ調整構造を作動させてもよい。少なくとも１つのシリンジと、少なくとも１つのシリンジと図１Ａを参照してここに説明する流体インジェクタとの自己配向性の装填および解放可能な保持のための少なくとも１つのシリンジインタフェースとを含む、上述のシステムとともに使用するために改変され得る、適切なフロントローディング流体インジェクタの一態様は、Ｒｅｉｌｌｙらの特許文献３に開示されており、その全体が参照により組み込まれる。本システムと共に使用するために改変してもよい関連する多流体送達システムの別の態様は、Ｌａｚｚａｒｏらの特許文献４、Ｃｏｗａｎらの特許文献５、特許文献６、およびＲｉｌｅｙらの特許文献７に見ることができ、それらの全ては、本出願の譲受人に譲渡されており、その開示は参照により本明細書に組み込まれる。他の態様は、本明細書に記載のインタフェースの様々な態様を含むように設計された新しい流体注入システムを含んでもよい。
【０１０３】
インジェクタ１０の一般的な構造および機能を説明したので、少なくとも１つのシリンジ１２について、これから詳細に説明する。図１Ｂを参照すると、シリンジ１２は、一般に、ガラス、金属、または適切な医療用のプラスチックから形成された円筒形のシリンジ筒１８を有する。筒１８は、近位端２０および遠位端２４と、筒１８の中心を通って延びる長手方向軸１５の長さに沿ってそれらの間に延びる側壁１９とを有する。筒１８は、透明または半透明の材料で作られ、シリンジ筒１８内の流体Ｆの存在を確認するための少なくとも１つの流体確認部材１１を含んでもよい。ノズル２２は、筒１８の遠位端２４から延びている。筒１８は、外面２１と、その内部に流体を受けるように構成された内部容積２５を画定する内面２３とを有する。筒１８の近位端２０は、筒１８を通って摺動可能なプランジャ２６でシールされてもよい。プランジャ２６は、筒１８を通って進められる際に、筒１８の側壁１９の内面２３に対して液密のシールを形成する。プランジャ２６は、インジェクタ１０のピストンと係合するように構成された剛性内側要素２８を有してもよい。プランジャ２６は、剛性内側要素２８の少なくとも一部の上に配置されたエラストマカバー２９をさらに含んでもよい。エラストマカバー２９は、筒１８の内面２３と係合し、筒１８を通って進められる際に、筒１８の側壁１９に対して液密シールを提供するように構成されている。
【０１０４】
点滴フランジ３６は、シリンジ筒１８の外面２１から径方向外向きに、長手方向軸１５に対して延びてもよい。点滴フランジ３６は、筒１８の外周の少なくとも一部の周囲に延びてもよい。１つの態様では、点滴フランジ３６は、シリンジ保持部材３２に対して長手方向軸１５に沿って遠位に配置される。点滴フランジ３６は、ノズル２２から滴下する流体がインジェクタ１０のシリンジポート１６に入るのを防止するように構成されてもよい。このようにして、点滴フランジ３６は、シリンジポート１６に入り、接続インタフェース１００（図２Ａに示す）および／またはインジェクタ１０の内部機構および電子回路に詰まるか、他の方法で妨げとなり得る流体の量を減少させるのを助ける。一部の態様では、点滴フランジ３６は、シリンジ１２の挿入部３０の範囲を定める停止面を画定する。点滴フランジ３６は、筒１８と一体的に形成されてもよく、または例えば、摩擦嵌合および／または接着剤、溶接、または鋳型を使用して、筒１８の外面２１に添付または別の方法で固定されてもよい。他の態様では、点滴フランジ３６は、エッチング、レーザ切断、または機械加工によって筒１８の外面２１に形成されてもよい。
【０１０５】
引き続き図１Ｂを参照すると、シリンジ１２の近位端２０は、インジェクタ１０のシリンジポート１６（図１Ａに示す）に取り外し可能に挿入されるように寸法決めされ適合される。一部の態様では、シリンジ１２の近位端２０は、インジェクタ１０のシリンジポート１６に取り外し可能に挿入されるように構成された挿入部３０を画定し、シリンジ１２の残りの部分はシリンジポート１６の外側に留まる。本明細書で詳細に説明するように、特定の態様では、シリンジ１２の近位端２０は、インジェクタ１０のシリンジポート１６内の対応するロック機構とのロック係合を形成するように適合された１つ以上のシリンジ保持部材３２を含み、シリンジ１２をシリンジポート１６内に解放可能に保持する。１つ以上のシリンジ保持部材３２を有するシリンジと、インジェクタ１０のロック機構３５（図２Ａに示す）との組み合わせは、インジェクタ１０に対するシリンジ１２の装填および取り出しのための接続インタフェースを画定する。一部の態様では、１つ以上のシリンジ保持部材３２の少なくとも一部は、ロック機構の少なくとも一部と協働して、シリンジ１２をシリンジポート１６に対して自己配向させて、シリンジ１２をシリンジポート１６に解放可能に挿入し、シリンジポート１６にロックしてもよい。
【０１０６】
図２Ａ〜図２Ｄを参照すると、１つの態様による、インジェクタ１０の少なくとも１つのシリンジポート１６（図１Ａに示す）に対して少なくとも１つのシリンジ１２（図１Ｂ）を装填および取り出すための接続インタフェース１００が示される。シリンジ１２およびインジェクタ１０は、シリンジ１２に設けられた少なくとも１つのシリンジ保持部材３２と、インジェクタ１０のシリンジポート１６に設けられた対応するロック機構３５とを有する接続インタフェース１００を含む。１つの態様では、少なくとも１つのシリンジ保持部材３２は、シリンジ筒１８の近位端２０の上またはその近くに、および／または挿入部３０の少なくとも一部に設けられる。例えば、少なくとも１つのシリンジ保持部材３２は、挿入部３０の少なくとも一部のシリンジ筒１８の外面２１に設けられてもよい。少なくとも１つのシリンジ保持部材３２は、筒１８と一体的に形成されてもよく、または例えば、摩擦嵌合および／または接着剤、溶接、または鋳型を使用して、筒１８の外面２１に添付または別の方法で固定されてもよい。他の態様では、少なくとも１つのシリンジ保持部材３２は、エッチング、レーザ切断、または機械加工によって筒１８の外面２１に形成されてもよい。
【０１０７】
図１Ｂを参照すると、少なくとも１つのシリンジ保持部材３２は、長手方向軸１５に対してシリンジ筒１８の外面２１から径方向外向きに突出する１つ以上のラグ３４を含むように形成してもよい。一部の態様では、複数のラグ３４を筒１８の外周に径方向に離すことができる。そのような態様では、ラグ３４は、筒１８の外面２１の部分によって互いに離される。各ラグ３４およびラグ３４の径方向に隣接する１つの側（左側または右側）上の筒１８の外面２１は、シリンジ保持部材３２を共に画定する。３つ以上のラグ３４が設けられる態様では、ラグ３４は、筒１８の外面２１上で径方向に均一または不均一に離間されていてもよい。図１Ｂに示すような等角度間隔を有する６つのシリンジ保持部材３２を備える１つの例示的かつ非限定的な態様では、各シリンジ保持部材３２は６０度にわたって延び、したがって、いずれかの側で隣接するシリンジ保持部材３２から６０度離間される。このような態様では、各ラグ３４は、筒１８の外周の３０度にわたって延び、シリンジ保持部材３２の残りの部分を画定する筒１８の外面２１の部分は、残りの３０度にわたって延びてもよい。他の態様では、各ラグ３４は、筒１８の外周の３０度よりも大きいかまたは３０度未満であってもよい角度α（図２Ｂに示す）で延びてもよい。同様に、隣接するラグ３４の間の筒１８の外面２１の各部分は、筒１８の外周の３０度よりも大きいかまたは３０度未満であってもよい角度β（図２Ｂに示す）で延びてもよい。一部の態様では、シリンジ保持部材３２は、筒１８の外周の周囲で、シリンジ保持部材３２の間で不等な角度の拡張および／または不等な角度間隔を有してもよい。さらに、１つ以上のシリンジ保持部材３２は、近位端２０から長手方向軸１５に沿って長手方向に整列されてもよい。他の態様では、少なくとも１つのラグ３４は、残りのラグに対して、近位端２０または遠位端２４に向かう方向に長手方向にオフセットされてもよい。１つ以上のラグ３４が存在しない態様では、対応するシリンジ保持部材３２は、隣接するラグ３４間の筒１８の外面２１であるクリアランス面によって画定され得る。６０度にわたって延びる各シリンジ保持部材３２を有する態様が添付図面に例示されているが、ｘが１から３６の値である３６０／ｘ度のような他の分離角度を有する保持部材３２を備えるシリンジも、本開示の範囲内である。
【０１０８】
図２Ａ〜図２Ｂを参照すると、１つ以上のラグ３４の各々は、ほぼ三角形、長方形、多角形、または矢じり形状を有してもよい。１つ以上のラグ３４は、筒１８の外面２１から外面２１に対してほぼ垂直な方向に径方向外向きに突出している。一部の態様では、１つ以上のラグ３４またはラグ３４の部分は、筒１８の外面２１と、１つ以上のラグ３４の上面４６との間で、鈍角または鋭角で筒１８の外面２１から径方向外向きに突出する。一部の態様では、ラグ３４は、互いに同一の形状を有してもよい。他の態様では、ラグ３４の少なくとも１つは、残りのラグ３４と異なる形状を有してもよい。
【０１０９】
一部の態様では、１つ以上のラグ３４の各々は、径方向の断面平面において筒１８の長手方向軸１５に対してほぼ垂直であってもよい基部面３８を有する。他の態様では、基部面３８は、径方向断面平面内で筒１８の外周の周囲に延びる際に、長手方向軸１５の方向に対して傾斜してもよい。基部面３８は、平面、分割、弓形、湾曲、またはそれらの組み合わせであってもよい。一部の態様では、基部面３８は、基部面３８を共に画定する複数の個別の部分を有してもよい。基部面３８の複数の個々の部分は、平面、分割、弓形、湾曲、またはそれらの組み合わせであり得る面を画定してもよい。
【０１１０】
特定の態様では、少なくとも１つの第１の面４０は、基部面３８の少なくとも一端から、長手方向軸１５に対してほぼ平行または先細りの方向に延びてもよい。図２Ｂを参照すると、一対の第１の面４０が基部面３８の反対側の端部に示されている。一部の態様では、少なくとも１つの第１の面４０は、長手方向軸１５の近位方向または遠位方向において、長手方向軸１５に対して軸方向に先細になっていてもよい。少なくとも１つの第１の面４０の長手方向軸１５に対する軸方向の先細りは、遠位端２４から近位端２０に向かう方向における円筒形の平面投影図における第１の面４０の傾斜角として画定されてもよい。第１の面４０は、長手方向軸１５の方向に対して同じ方向または反対方向に先細になっていてもよい。少なくとも１つの第１の面４０は、基部面３８に直接接続されてもよい。一部の態様では、少なくとも１つの第１の面４０を、基部面３８から離してもよい。少なくとも１つの第１の面４０は、平面、分割、弓形、湾曲、またはそれらの組み合わせであってもよい。一部の態様では、少なくとも１つの第１の面４０は、少なくとも１つの第１の面４０を共に画定する複数の個別の部分を有してもよい。少なくとも１つの第１の面４０の複数の個々の部分は、平面、分割、弓形、湾曲、またはそれらの組み合わせであってもよい面を画定してもよい。
【０１１１】
少なくとも１つの第２の面４２は、少なくとも１つの第１の面４０または基部面３８から延びている。図２Ｂを参照すると、第１の面４０の近位端から延びる一対の第２の面４２が示されている。一部の態様では、少なくとも１つの第２の面４２は、長手方向軸１５の近位方向または遠位方向において、長手方向軸１５に対して軸方向および周方向（および任意に径方向）に先細になっていてもよい。一部の態様では、少なくとも１つの第２の面４２は、近位方向に長手方向軸１５に対して軸方向に先細になっていてもよい。少なくとも１つの第２の面４２の長手方向軸１５に対する軸方向および周方向の先細りは、遠位端２４から近位端２０に向かう方向における円筒形の平面投影図における第２の面４２の傾斜角として画定されてもよい。例えば、少なくとも１つの第２の面４２は、長手方向軸１５に対して垂直な平面に対して角度γ（図２Ｂに示す）で先細になっていてもよい。第２の面４２の各々は、長手方向軸１５に対して垂直な平面に対して同じまたは異なる角度γで先細になっていてもよい。第２の面４２は、丸みのある点または鋭い点４４で互いに接合してもよい。少なくとも１つの第２の面４２は、第１の面４０、基部面３８、および点４４のうちの少なくとも１つに直接接続されてもよい。一部の態様では、少なくとも１つの第２の面４２は、第１の面４０、基部面３８、および点４４のうちの少なくとも１つから切り離されてもよい。一部の態様では、一対の第２の面４２は、第１の面４０のみが丸みのある点または鋭い点４４で接合できるように省略してもよい。他の態様では、丸みのある点または鋭い点４４は、第１の面４０または第２の面４２から切り離されてもよい。少なくとも１つの第２の面４２は、平面、分割、弓形、湾曲、またはそれらの組み合わせであってもよい。一部の態様では、少なくとも１つの第２の面４２は、少なくとも１つの第２の面４２を共に画定する複数の個別の部分を有してもよい。少なくとも１つの第２の面４２の複数の個々の部分は、平面、分割、弓形、湾曲、またはそれらの組み合わせであり得る面を画定してもよい。
【０１１２】
基部面３８、第１の面４０および第２の面４２ならびに点４４は、１つ以上のラグ３４のそれぞれの上面４６の境界または輪郭を画定する。一部の態様では、上面４６は、シリンジ筒１８の曲率に対応する形状にしてもよい。他の態様では、１つ以上のラグ３４の上面４６は、シリンジ筒１８の面に対して上面４６の第１の端部が上面４６の第２の端部よりも高くなるように、シリンジ筒１８の外面２１に対して傾斜してもよい。上面４６は、連続していてもよく、または上面４６を共に画定する複数の別個の面から構成されてもよい。上面４６は、平面、分割、弓形、湾曲、またはそれらの組み合わせであってもよい。一部の態様では、基部面３８、第１の面４０および第２の面４２ならびに点４４は、図２Ａ〜図２Ｂに示す概ね矢じりの形状を有するラグ３４の境界または輪郭を画定する。
【０１１３】
図２Ａ〜図２Ｄを参照すると、一態様によれば、インジェクタ１０のシリンジポート１６（図１Ａに示す）は、シリンジ１２の少なくとも１つのシリンジ保持部材３２と動作可能に係合するように構成されたロック機構３５を有する。まず図２Ａを参照すると、ロック機構３５は、シリンジ１２の近位端２０を受容するように構成された中央開口部７１を有するハウジング７０を含む。ハウジング７０は、インジェクタ１０（図１Ａに示す）のハウジング１４の一部として、またはインジェクタ１０のハウジング１４に取り付けられたアタッチメントとして形成してもよい。第１の保持リング４８は、ハウジング７０の中央開口部７１が第１の保持リング４８の中央開口部５０と整列するように、ハウジング７０の遠位端に固定される。第１の保持リング４８は、径方向に延びるフランジ７４を有する本体７２を有する。本体７２の少なくとも一部は、フランジ７４から近位方向に延びている。ハウジング７０に取り付けられる際、フランジ７４はハウジング７０の上部と係合し、１つ以上の締結具開口部７６を通って延びる１つ以上の締結具（図示せず）によって固定される。第１の保持リング４８の本体７２の少なくとも一部は、ハウジング７０の中央開口部７１に挿入される。他の態様では、第１の保持リング４８は、クリップ、ネジ、接着剤、溶接、またはスナップフィットなどの他の機械的締結構成によってハウジング７０に固定されてもよい。ハウジング７０に取り付けられる際、第１の保持リング４８の中心軸５９は、ハウジング７０の中心軸と同軸である。
【０１１４】
引き続き図２Ａを参照すると、第１の保持リング４８の中央開口部５０内の側壁５８の内側部分は、シリンジ１２の挿入部３０が第１の保持リング４８の中央開口部５０を通って挿入される際に、シリンジ１２の１つ以上のラグ３４を受容するように構成された１つ以上の第１の凹部６０を有する。１つ以上の第１の凹部６０は、側壁５８の内周の周囲に均等に離間して配置されてもよい。そのような態様では、第１の凹部６０は、第１の保持リング４８の側壁５８の部分によって互いに離されている。各第１の凹部６０および第１の凹部６０の径方向に隣接する１つの側部（左側または右側）の第１の保持リング４８の側壁５８は、シリンジ１２上のシリンジ保持部材３２を受容するためのクリアランス空間６３を共に画定する。各クリアランス空間６３の第１の凹部６０は、シリンジ保持部材３２の少なくとも１つのラグ３４を受容するように構成されてもよく、第１の保持リング４８の側壁５８は、シリンジ保持部材３２がクリアランス空間６３内に挿入される際に、筒１８の外面２１の部分を受容するように構成されてもよい。例えば、第１の保持リング４８が、第１の保持リング４８の外周に等しく離間した６つのクリアランス空間６３を有する態様では、各クリアランス空間６３は、両側に隣接するクリアランス空間６３から６０度離れている。このような態様では、各第１の凹部６０は、第１の保持リング４８の外周の３０度にわたって延びてもよく、クリアランス空間６３の残りの部分を画定する第１の保持リング４８の側壁５８の一部は、外周の残りの３０度にわたって延びる。他の態様では、第１の保持リング４８は、１〜５または７〜１２またはそれ以上のクリアランス空間６３を含んでもよく、各第１の凹部６０は、第１の保持リング４８の側壁５８の外周の３０度より大きいか小さい角度にわたって延びてもよい。一部の態様では、シリンジ１２上のラグ３４の数は、保持リング４８上の第１の凹部６０の数に対応する。他の態様では、シリンジ１２上のラグ３４の数は、保持リング４８上の第１の凹部６０の数よりも少ない。このような態様では、シリンジ１２上のラグ３４は、シリンジ筒１８の外周に沿って離間しているので、各ラグ３４は、保持リング４８の対応する第１の凹部６０と整列することができる。他の態様では、シリンジ１２上のラグ３４の数は、保持リング４８上の第１の凹部６０の数よりも多いので、２つ以上のラグ３４が少なくとも１つの第１の凹部６０内に受容される。
【０１１５】
１つ以上の第１の凹部６０の各々は、中心軸５９に対して径方向外向きに、側壁５８の内側部分に向かって延びている。シリンジ１２の挿入部３０が第１の保持リング４８に対して抜き差しされる際、各第１の凹部６０の外側面は、ラグ３４の動きを第１の凹部６０に対して誘導するための移動経路を画定する。各第１の凹部６０は、中心軸５９の方向に沿ってほぼ平行に延びている。一部の態様では、各第１の凹部６０は、ラグ３４を第１の凹部６０との自己配向整列に誘導する１つ以上の誘導面６２、誘導面６５を有してもよいので、技術者の誘導や労力なしにラグ３４を第１の凹部６０内に挿入して、シリンジ１２をシリンジポート１６内に自己整列させることができる。誘導面６２および誘導面６５は、第１の凹部６０の開口部に向かって径方向および軸方向に傾斜して、ラグ３４の第２の面４２を自己配向させてその動きを誘導してもよい。一部の態様では、誘導面６５の第１の部分は、第１の凹部６０の１つに向かって傾斜するように誘導面６５を軸方向に指向させてもよく、誘導面６５の第２の部分は、隣接する第１の凹部６０に向かって傾斜している。１つ以上の誘導面６２および誘導面６５は、シリンジ１２の１つ以上のラグ３４を、シリンジポート１６の対応する１つ以上の第１の凹部６０に誘導することによって、シリンジ１２がシリンジポート１６に挿入される際にシリンジ１２が自己配向するのを助ける。このように、その長手方向軸１５がシリンジポート１６の軸５９と軸方向にずれていてもよいシリンジ１２と、当初は対応する１つ以上の第１の凹部６０とシリンジ１２の長手方向軸１５を中心として回転方向にずれていてもよい１つ以上のラグ３４は、ラグ３４の少なくとも１つの第２の面４２と１つ以上の誘導面６２、誘導面６５との相互作用によって、シリンジポート１６と軸方向に整列され、１つ以上の第１の凹部６０と回転的に整列する。１つ以上の第１の凹部６０は、中心軸５９にほぼ垂直な底面６７を有してもよい。一部の態様では、底面６７は、径方向に傾斜していても、先細であってもよい。
【０１１６】
図２Ａの態様を引き続き参照すると、ロック機構３５は、内側側壁８０を備えたほぼ環状の形状を有する第２の保持リング７８をさらに含んでもよい。第２の保持リング７８は、第１の保持リング４８の本体７２の近位端とハウジング７０の底部８２との間の、ハウジング７０の中央開口部７１内に配置される。さらに詳細に説明するように、第２の保持リング７８は、互いに固定された第１の保持リング４８およびハウジング７０に対して回転可能である。第２の保持リング７８は、１つ以上の第１のロック要素８４と、任意に、内側側壁８０の少なくとも一部に配置された１つ以上の第２のロック要素８６とを有してもよい。１つ以上の第１のロック要素８４および第２のロック要素８６は、各第１のロック要素８４が、内側側壁８０の外周に沿って第１のロック要素８４の両側に設けられた第２のロック要素８６を有するように交互に配置されてもよい。他の態様では、少なくとも１つの第２のロック要素８６が、複数の第１のロック要素８４に対して設けられている。一部の態様では、第１のロック要素８４および第２のロック要素８６の総数は、シリンジ１２の第１の凹部６０および／または少なくとも１つのシリンジ保持部材３２の総数に対応してもよい。他の態様では、第１のロック要素８４および第２のロック要素８６の総数は、シリンジ１２の少なくとも１つのシリンジ保持部材３２の数の倍数または分数に対応してもよい。
【０１１７】
１つ以上の第１のロック要素８４および第２のロック要素８６は、第２の保持リング７８の内側側壁８０から径方向外向きに延び、１つ以上の第２の凹部８８によって離される。１つ以上の第２の凹部８８は、シリンジ１２の挿入部３０が第１の保持リング４８の中央開口部５０を通って挿入される際に、シリンジ１２の１つ以上のラグ３４を受容するように構成される。１つ以上の第２の凹部８８は、１つ以上の第２の凹部８８が第１の保持リング４８上の１つ以上の第１の凹部６０と選択的に整列してもよいように、第２の保持リング７８の内側側壁８０の周囲に配置される。例えば、第１の保持リング４８がハウジング７０の周囲に均等に離された６つの第１の凹部６０を有する態様では、第２の保持リング７８は、両側に隣接する第２の凹部８８から等しく離された（すなわち、６０度だけ離された）６つの第２の凹部８８を有する。
【０１１８】
図２Ｂを参照すると、１つ以上の第１のロック要素８４は、少なくとも１つのラグ３４の少なくとも第２の面４２と係合するように構成された第１の傾斜面９０を有する。第１の傾斜面９０は、直線、分割、湾曲、またはそれらの組み合わせであってもよい。１つ以上の第１のロック要素８４は、ラグ３４の点４４、第１の面４０、および／または第２の面４２の少なくとも１つと係合するようにさらに構成された第２の傾斜面９２を有してもよい。同様に、１つ以上の第２のロック要素８６は、ラグ３４の点４４、第１の面４０、および／または第２の面４２の少なくとも１つと係合するように構成された第２の傾斜面９２を有してもよい。第２の傾斜面９２は、直線、分割、湾曲、またはそれらの組み合わせであってもよい。１つ以上の第２のロック要素８６上の第１の傾斜面９０は、第２の保持リング７８の上面にほぼ平行である直線状の上面９４に移行してもよい。１つ以上の第１のロック要素８４の第１の傾斜面９０の角度および輪郭は、ロック要素８４およびロック要素８６の第２の傾斜面９２と同じであっても異なっていてもよい。一部の態様では、第１の傾斜面９０のみが、直線、分割、湾曲、または組み合わせの形態で提供されてもよい。
【０１１９】
引き続き図２Ｃおよび図２Ｂを参照すると、１つ以上の第１のロック要素８４は、１つ以上の第２のロック要素８６に対して内側側壁８０に沿ってより高く延びてもよい。１つ以上の第２のロック要素８６の直線状の上面９４は、第１の保持リング４８から近位方向に延びる１つ以上のロックタブ９６の相対的な摺動移動を受け入れるために、１つ以上の第１のロック要素８４の上部に対して低く配置されてもよい。１つ以上のロックタブ９６は、シリンジ１２がシリンジポート１６に挿入されると、１つ以上のラグ３４のための回転停止面を画定する。他の態様では、１つ以上のロックタブ９６は、１つ以上の第２のロック要素８６と離されて設けられてもよい。一部の態様では、本明細書で説明するように、１つ以上のロックタブ９６は、シリンジおよび／またはラグ３４の少なくとも１つに設けられてもよい。
図２Ｄを参照すると、第２の保持リング７８は、ハウジング７０内に回転可能に保持されている。少なくとも１つのガイドピン９８が、第２の保持リング７８の底面から近位方向に延びている。少なくとも１つのガイドピン９８は、ハウジング７０の底部８２に形成された少なくとも１つのガイドピンスロット１０１の内側に収容される。少なくとも１つのガイドピンスロット１０１は、底部８２の外周の一部にわたって延びてもよい（図２Ａ参照）。第２の保持リング７８の少なくとも一部およびハウジング７０の少なくとも一部には、ばねなどの少なくとも１つの弾力的な弾性部材１０２（図２Ａに示す）が接続しているか接触している。１つの態様では、弾力的な弾性部材１０２は、少なくとも１つのガイドピン９８の一端に接続されているか接触してもよく、弾力的な弾性部材１０２の対向端は、少なくとも１つのガイドピンスロット１０１の一端に接続されているか接触してもよい。少なくとも１つの弾力的な弾性部材１０２（図２Ａに示す）は、第２の保持リング７８を、１つ以上の第１の凹部６０が１つ以上の第２の凹部８８と整列していない第１の位置（図２Ｂ参照）に付勢する。本明細書で説明するように、シリンジポート１６にシリンジ１２を挿入することによって、１つ以上のラグ３４は、１つ以上の第１のロック要素８４および第２のロック要素８６を係合して、第２の保持リング７８を第２の位置まで回転させ、１つ以上の第２の凹部８８内への１つ以上のラグ３４の挿入を可能にする。
【０１２０】
シリンジ１２をシリンジポート１６に挿入するために、シリンジ１２の挿入部３０は、第１の保持リング４８と接触するように付勢される。ラグ３４が当初は第１の凹部６０に対してずれている場合、例えば１つ以上のラグ３４上の点４４および／または少なくとも１つの第１の面４０および／または少なくとも１つの第２の面４２と、ロック機構３５の面６２、６５のような誘導面とは、挿入部３０が保持リング４８に対して近位に移動する際に、ラグ３４を第１の凹部６０と自己整列するように誘導する。シリンジ１２が第１の保持リング４８に対して近位方向に連続して移動すると、少なくとも１つ以上のラグ３４の少なくとも一部が第２の保持リング７８の１つ以上の第１のロック要素８４および第２のロック要素８６に接触するまで、ラグ３４は第１の凹部６０内に誘導される。第１の傾斜面９０および第２の傾斜面９２は、ラグ３４の面４０、面４２または点４４の少なくとも１つと係合するように構成されている。シリンジ１２が第１の保持リング４８に対して近位方向に連続して移動すると、ラグ３４は、第１の傾斜面９０および／または第２の傾斜面９２に、したがって第２の保持リング７８に、近位方向の力を加える。第２の保持リング７８がハウジング７０によって、および第１の傾斜面９０および第２の傾斜面９２および／またはラグ３４上の点４４および／または少なくとも１つの第１の面４０および／または少なくとも１つの第２の面４２上の傾斜または先細によって近位方向に移動することが防止されると、近位移動は、少なくとも１つの弾力的な弾性部材１０２の復元力に抗して作用して、第２の保持リング７８を図２Ｂに示す第１の位置から、１つ以上の第１の凹部６０が１つ以上の第２の凹部８８と整列している第２の位置に移動させる、回転方向の成分を有する力を生成する。この態様では、ラグ３４上の点４４および／または少なくとも１つの第１の面４０および／または少なくとも１つの第２の面４２は、ロックまたは取り付け機構３５を強制的に開く開口面である。１つ以上のラグ３４は、第２の保持リング７８を時計回りまたは反時計回りなどの第１の方向に回転させてもよい。第２の保持リング７８がシリンジポート１６内のシリンジ１２の近位方向移動の間に回転されると、ラグ３４の点４４が１つ以上の第２の凹部８８の底部または停止面と係合するまで、１つ以上のラグ３４は対応する１つ以上の第２の凹部８８内に誘導される。操作者が、弾力的な弾性部材１０２の復元作用の下でシリンジ１２を解放すると、第２の保持リング７８は、第１の方向とは反対の第２の方向に回転されて、第２の位置から第１の位置に戻る。特定の態様によれば、ハウジング７０に対する第２の保持リング７８の回転により、１つ以上のラグ３４が第１の保持リング４８の１つ以上の保持面６４の後ろに固定され、１つ以上のロックタブ９６と係合するまで、シリンジ１２は第２の保持リング７８と共に回転する。この例示的な態様では、第１の面４０は、ロックタブ９６と相互作用する回転停止面である。一部の態様では、第２の保持リング７８の移動は、１つ以上のガイドピンスロット１０１内の１つ以上のガイドピン９８の位置によって制限されてもよい。あるいは、第２の保持リング７８の１つ以上の第１のロック要素８４および第２のロック要素８６は、第１の保持リング４８の１つ以上の要素、例えば、第２の保持リング７８の回転を制限する１つ以上のロックタブ９６の延長部と相互作用することもある。第２の保持リング７８がシリンジ１２とともに第１の位置まで回転すると、１つ以上の第２の凹部８８が１つ以上の第１の凹部６０に対してずれるので、１つ以上のラグ３４の１つ以上の基部面３８と相互作用する第１の保持リング４８の１つ以上の保持面６４によって、シリンジ１２が遠位方向に取り外されるのを防止できる。
【０１２１】
別の態様では、弾力的な弾性部材１０２は、ラグ３４をロックタブ９６に対して閉じたり保持したりするトルクを作用させ続ける。一部の態様では、第２の傾斜面９２は、ラグ３４の第２の面４２に対して付勢され続ける。このような態様では、シリンジ１２はそれ以上回転することができないので、２つの面間の力がシリンジ１２を遠位に付勢し、１つ以上の基部面３８を１つ以上の保持面６４に押し付ける。これは、取り付けおよび取り外し中のシリンジ１２の自由な動きを可能にするために必要な機械的なたるみ、傾斜、または隙間をなくすという利点を有する。トルクの強さ、面の傾斜／先細、および関係する摩擦を調整して、シリンジ１２の充填中に最小限の逆運動または近位運動が起きるように、シリンジ１２をしっかりとロックすることができる。シリンジ１２がシリンジポート１６内に着座してロックされる際に、可聴および／または触覚のフィードバックを提供してもよい。可聴および／または触覚のフィードバックは、シリンジ１２がロック位置にある際に、シリンジ１２の任意の面とシリンジポート１６の対応する面との相互作用によって生成されてもよい。例えば、可聴および／または触覚のフィードバックは、点４４および／または少なくとも１つの第１の面４０および／または少なくとも１つの第２の面４２のようなラグ３４の少なくとも１つの面の、ロック機構３５の少なくとも一部との相互作用によって生成されてもよい。係合中の弾力的な弾性部材１０２の力によるシリンジ１２の回転は、触覚フィードバックを生成してもよい。
【０１２２】
シリンジ１２をシリンジポート１６からロック解除して取り外すために、シリンジ１２は、弾力的な弾性部材１０２の復元力に抗して、中心軸５９を中心として第１の保持リング４８に対して回転される。例えば、シリンジ１２を時計方向に回転させることによってシリンジ１２がシリンジポート１６内にロックされている場合、シリンジ１２を反時計方向に回転させることによって、シリンジ１２のロックを解除してもよい。シリンジ１２の回転により、第２の凹部８８と第１の凹部６０とが整列する。次いで、シリンジ１２を遠位方向に移動させることによって、シリンジ１２をシリンジポート１６から取り出し／排出することができる。シリンジ１２を回転させ、弾力的な弾性部材１０２の力に抗して第２の保持リング７８を回転させる過程で、シリンジ１２上の少なくとも１つの第２の面４２または点４４、ならびに第２の保持リング７８上の第１の傾斜面９０および／または第２の傾斜面９２は、相互作用してシリンジ１２に遠位方向の力を生成し、シリンジ１２をシリンジポート１６から取り出す／押し出す。シリンジ１２が解放、アンラッチ、または係合解除される際、シリンジ１２は、ユーザによってシリンジポート１６から自由に取り外されるか引き出される。本開示の一部の態様では、シリンジ１２がシリンジポート１６から解放される際、技術者による何らの指導または労力なしに、シリンジ１２をシリンジポート１６から遠位に取り出し、押し出し、付勢または移動させる軸力が存在する。特定の態様では、この力または動きは、シリンジ１２をシリンジポート１６から完全に排出するには必ずしも十分ではないかもしれないが、力または動きは、回転が解放のためには十分であり、シリンジ１２をシリンジポート１６からより容易に取り外すことができるという触覚表示またはフィードバックをユーザが有するには十分であってもよい。例えば、シリンジ筒１８の回転により、ラグ３４上の点４４は、第２の保持リング７８上の第１の傾斜面９０および／または第２の傾斜面９２の面に沿って遠位方向に面に沿って摺動してもよい。１つ以上のラグ３４の基部面３８が、第２の保持リング７８上の対応する１つ以上の保持面６４を通過する際、遠位方向の力によってシリンジ１２が遠位方向に付勢され、許容されるならば、シリンジポート１６から外れた第１の位置に排出され、シリンジ１２が完全に解放され、シリンジポート１６から取り外すことができることを操作者に示す。シリンジ１２がシリンジポート１６から取り外されると、弾力的な弾性部材１０２の復元力により、第２の保持リング７８は、その後の新しいシリンジ１２の挿入のために第１の位置に戻る。図２Ａ〜図２Ｄに示す態様では、シリンジ１２は、長手方向軸１５を中心として３０度以下回転して、シリンジ１２をシリンジポート１６から取り外すために係合解除してもよい。
ロック機構３５の動作は、一旦シリンジ１２の１つ以上の基部面３８が第１の保持リング４８の１つ以上の保持面６４と係合すると、シリンジ１２がシリンジポート１６内に保持されるように協働する、シリンジ１２およびシリンジポート１６の保持面の相互作用によってさらに説明され得るシリンジ１２の自己配向性の設置のために、シリンジ１２およびシリンジポート１６を自己整列または自動回転整列させるために協働するシリンジ１２およびシリンジポート１６の誘導面は、シリンジ１２の１つ以上の第２の面４２および／または点４４と、シリンジポート１６の１つ以上の誘導面６５とを含む。シリンジ１２の設置のため、シリンジポート１６を開くために協働するシリンジ１２およびシリンジポート１６の開口面は、シリンジ１２の１つ以上の第２の面４２と、シリンジポート１６の第１の傾斜面９０および／または第２の傾斜面９２の１つ以上を含む。機械的なたるみまたは公差をなくすために協働するシリンジ１２の締め付け面およびシリンジポート１６は、シリンジ１２の１つ以上の面３８、４０、４２および／またはシリンジポート１６の面６４、９６、９０、９２を含む。シリンジ１２をシリンジポート１６から係合解除あるいは取り外すために協働するシリンジ１２およびシリンジポート１６の分離面は、シリンジ１２の面４２およびシリンジポート１６の面９０、９２を含む。シリンジポート１６からのシリンジ１２の排出を促すために遠位方向の力を生成するために協働するシリンジ１２およびシリンジポート１６の排出面は、シリンジ１２の第２の面４２およびシリンジポート１６の第２の傾斜面９２を含む。ルアーコネクタがシリンジ１２にねじ込まれる際に回転を防止するために協働するシリンジ１２およびシリンジポート１６の回転停止面は、シリンジ１２の１つ以上の第１の面４０およびシリンジポート１６の１つ以上のロックタブ９６と共に、シリンジ１２の１つ以上の基部面３８とシリンジポート１６の１つ以上の保持面６４との間の任意の摩擦力を含む。シリンジがシリンジポート１６に嵌合することを可能にするシリンジクリアランス面は、ラグ３４の径方向に隣接する１つの側（左側または右側）の、第１の保持リング４８の側壁５８を通過する筒１８の外面２１を含む。
【０１２３】
図３Ａ〜図３Ｂを参照すると、別の態様による、インジェクタ１０の少なくとも１つのシリンジポート１６に対して少なくとも１つのシリンジ１２を装填および取り出すための接続インタフェース１００が示される。シリンジ１２およびインジェクタ１０は、シリンジ１２に設けられた少なくとも１つのシリンジ保持部材３２と、インジェクタ１０のシリンジポート１６に設けられた対応するロック機構３５とを有する接続インタフェース１００を含む。
【０１２４】
図３Ａ〜図３Ｂを参照すると、シリンジ１２は、一般に、ガラスまたは適切な医療用のプラスチックから形成された円筒形のシリンジ筒１８を有する。筒１８は、近位端２０および遠位端２４と、筒１８の中心を通って延びる長手方向軸１５の長さに沿ってそれらの間に延びるほぼ円筒形の側壁１９（図３Ｂに示す）を有する。ノズル２２は、筒１８の遠位端２４から延びている。筒１８は、外面２１と、その内部に医療用流体を受けるように構成された内部容積２５（図３Ｂに示す）を画定する内面２３（図３Ｂに示す）とを有する。
【０１２５】
点滴フランジ３６は、任意に、シリンジ筒１８の外面２１から径方向外向きに、長手方向軸１５に対して延びてもよい。点滴フランジ３６は、筒１８の外周の少なくとも一部の周囲に延びてもよい。１つの態様では、点滴フランジ３６は、シリンジ保持部材３２に対して長手方向軸１５に沿って遠位に配置される。点滴フランジ３６は、ノズル２２から滴下する流体がインジェクタ１０のシリンジポート１６に入るのを防止するように構成されてもよい。このようにして、点滴フランジ３６は、シリンジポート１６に入り、接続インタフェース１００および／またはインジェクタ１０の内部機構および電子回路（図１Ａに示す）に詰まるか妨げとなり得る流体の量を減少させるのを助ける。一部の態様では、点滴フランジ３６は、シリンジ１２の挿入部３０の範囲を定める停止面を画定する。点滴フランジ３６は、筒１８と一体的に形成されてもよく、または例えば、摩擦嵌合および／または接着剤を使用して、筒１８の外面２１に添付または別の方法で固定されてもよい。他の態様では、点滴フランジ３６は、エッチング、レーザ切断、機械加工、または鋳型によって筒１８の外面２１に形成されてもよい。
【０１２６】
引き続き図３Ａ〜図３Ｂを参照すると、シリンジ１２の近位端２０は、インジェクタ１０のシリンジポート１６（図１Ａに示す）に挿入されるように寸法決めされ適合される。一部の態様では、シリンジ１２の近位端２０は、インジェクタ１０のシリンジポート１６に取り外し可能に挿入されるように構成された挿入部３０を画定し、シリンジ１２の残りの部分はシリンジポート１６の外側に留まる。図３Ａ〜図３Ｂに示された態様による、シリンジポート１６内の対応するロック機構３５とのロック係合を形成するために、本明細書で説明するように、１つ以上のシリンジ保持部材３２が、シリンジ筒１８の近位端２０の上またはその近くに設けられる。例えば、１つ以上のシリンジ保持部材３２を、シリンジ筒１８の外面２１に設けてもよい。シリンジ保持部材３２は、筒１８と一体的に形成されてもよく、または例えば、摩擦嵌合、溶接、および／または接着剤を使用して、筒１８の外面２１に添付または別の方法で固定されてもよい。他の態様では、シリンジ保持部材３２は、エッチング、レーザ切断、機械加工、または鋳型によって筒１８の外面２１に形成されてもよい。１つ以上のシリンジ保持部材３２を有するシリンジ１２と、インジェクタ１０（図１Ａに示す）のロック機構３５との組み合わせは、インジェクタ１０に対するシリンジ１２の装填および取り出しのための接続インタフェースを画定する。一部の態様では、１つ以上のシリンジ保持部材３２は、ロック機構３５の少なくとも一部と協働して、シリンジ１２をシリンジポート１６に対して自己配向させて、シリンジ１２をシリンジポート１６に解放可能にロックしてもよい。
【０１２７】
図３Ａ〜図３Ｂに示す態様では、少なくとも１つのシリンジ保持部材３２は、１つ以上の第１のラグ３４および任意に、長手方向軸１５に対してシリンジ筒１８の外面２１から径方向外向きに突出する１つ以上の第２のラグ３７として形成される。１つ以上の第１のラグ３４および／または１つ以上の第２のラグ３７は、筒１８の外面２１から外面２１に対してほぼ垂直な方向に径方向外向きに突出している。３つ以上の第１のラグ３４および／または第２のラグ３７が設けられる態様では、第１のラグ３４および第２のラグ３７は、筒１８の外周の周囲で径方向に均一または不均一に離間されていてもよい。そのような態様では、第１のラグ３４および第２のラグ３７は、筒１８の外面２１の部分によって互いに離される。各第１のラグ３４または第２のラグ３７ならびに第１のラグ３４または第２のラグ３７の径方向に隣接する１つの側（左側または右側）上の筒１８の外面２１は、シリンジ保持部材３２を共に画定する。一部の態様では、複数の第１のラグ３４および／または第２のラグ３７は、クラスタ化されてもよく、筒１８の外周で、第１のラグ３４または第２のラグ３７の１つ以上の隣接するクラスタから径方向に離されてもよい。例えば、等角度間隔を有する６つのシリンジ保持部材３２を備える態様では、各シリンジ保持部材３２は６０度にわたって延び、したがって、いずれかの側で隣接するシリンジ保持部材３２から６０度離間される。このような態様では、各第１のラグ３４または第２のラグ３７は、筒１８の外周の３０度にわたって延び、シリンジ保持部材３２の残りの部分を画定する筒１８の外面２１の部分は、外周の残りの３０度にわたって延びてもよい。他の態様では、各第１のラグ３４または第２のラグ３７は、筒１８の外周の３０度を超えてまたは３０度未満で延びてもよい。一部の態様では、シリンジ保持部材３２は、筒１８の外周の周囲で、シリンジ保持部材３２の間で不等な角度の拡張および／または不等な角度間隔を有してもよい。１つ以上の第１のラグ３４は、１つ以上の第２のラグ３７に対して長手方向軸１５に沿って長手方向にオフセットされている。１つの態様では、１つ以上の第１のラグ３４は、１つ以上の第２のラグ３７よりも近位端２０の近くに配置される。他の態様では、１つ以上の第１のラグ３４は、１つ以上の第１のラグ３４の少なくとも一部の近位端２０からの距離が、１つ以上の第２のラグ３７の少なくとも一部と同じになるように、長手方向軸１５に沿って、１つ以上の第２のラグ３７と長手方向に整列する。１つ以上のラグ３４またはラグ３７が存在しない態様では、対応する保持部材３２は、隣接するラグ３４、３７間の筒１８の外面２１であるクリアランス面として画定されてもよい。６０度にわたって延びる各シリンジ保持部材３２を有する態様が添付図面に例示されているが、ｘが１から３６の値である３６０／ｘ度のような他の分離角度を有する保持部材３２を備えるシリンジも、本開示の範囲内である。
【０１２８】
引き続き図３Ａを参照すると、１つ以上の第１のラグ３４の各々は、ほぼ三角形、多角形、または矢じり形状を有してもよく、または図５Ａ〜図５Ｚまたは図１０Ａ〜図１０Ｈによって形作られてもよい。１つ以上の第１のラグ３４の各々は、筒１８の長手方向軸１５に対してほぼ垂直であってもよい基部面３８を有する。一部の態様では、基部面３８は、径方向断面平面内で、長手方向軸１５の方向に対して傾斜してもよい。他の態様では、基部面３８は、径方向断面平面内で筒１８の外周の周囲に延びる際に、長手方向軸１５の方向に対して傾斜してもよい。基部面３８は、平面、分割、弓形、湾曲、またはそれらの組み合わせであってもよい。一部の態様では、基部面３８は、基部面３８を共に画定する複数の個別の部分を有してもよい。基部面３８の複数の個々の部分は、平面、分割、弓形、湾曲、またはそれらの組み合わせであり得る面を画定してもよい。
【０１２９】
特定の態様では、少なくとも１つの第１の面４０は、基部面３８の一端において、長手方向軸１５に対してほぼ平行の方向に延びてもよい。一部の態様では、少なくとも１つの第１の面４０は、長手方向軸１５の近位方向または遠位方向において、長手方向軸１５に対して軸方向に先細になっていてもよい。少なくとも１つの第１の面４０の長手方向軸１５に対する軸方向の先細りは、遠位端２４から近位端２０に向かう方向における円筒形の平面投影図における第１の面４０の傾斜角として画定されてもよい。少なくとも１つの第１の面４０は、基部面３８に直接接続されてもよい。一部の態様では、少なくとも１つの第１の面４０を、基部面３８から離してもよい。少なくとも１つの第１の面４０は、平面、分割、弓形、湾曲、またはそれらの組み合わせであってもよい。一部の態様では、少なくとも１つの第１の面４０は、少なくとも１つの第１の面４０を共に画定する複数の個別の部分を有してもよい。少なくとも１つの第１の面４０の複数の個々の部分は、平面、分割、弓形、湾曲、またはそれらの組み合わせであってもよい面を画定してもよい。
【０１３０】
少なくとも１つの第２の面４０’は、第１の面４０に対向する基部面３８の一端において、長手方向軸１５に対してほぼ平行の方向に延びてもよい。一部の態様では、少なくとも１つの第２の面４０’は、長手方向軸１５の近位方向または遠位方向において、長手方向軸１５に対して軸方向に先細になっていてもよい。少なくとも１つの第２の面４０’の長手方向軸１５に対する軸方向の先細りは、遠位端２４から近位端２０に向かう方向における円筒形の平面投影図における第１の面４０の傾斜角として画定されてもよい。少なくとも１つの第２の面４０’は、基部面３８に直接接続されてもよい。一部の態様では、少なくとも１つの第２の面４０’を、基部面３８から離してもよい。少なくとも１つの第２の面４０’は、平面、分割、弓形、湾曲、またはそれらの組み合わせであってもよい。一部の態様では、少なくとも１つの第２の面４０’は、少なくとも１つの第２の面４０’を共に画定する複数の個別の部分を有してもよい。少なくとも１つの第２の面４０’の複数の個々の部分は、平面、分割、弓形、湾曲、またはそれらの組み合わせであり得る面を画定してもよい。
【０１３１】
一部の態様では、少なくとも１つの第３の面４２が、第２の面４０’の一端から第１の面４０の端まで延びている。少なくとも１つの第３の面４２は、長手方向軸１５の近位方向または遠位方向において、長手方向軸１５に対して軸方向に先細になっていてもよい。一部の態様では、少なくとも１つの第３の面４２は、近位方向に長手方向軸１５に対して軸方向に先細になっていてもよい。少なくとも１つの第３の面４２の長手方向軸１５に対する軸方向の先細りは、遠位端２４から近位端２０に向かう方向における円筒形の平面投影図における少なくとも１つの第３の面４２の傾斜角として画定されてもよい。少なくとも１つの第３の面４２および少なくとも１つの第１の面４０は、丸みのある点または鋭い点４４で互いに接合してもよい。少なくとも１つの第３の面４２は、点４４で第１の面４０の少なくとも１つに直接接続されてもよい。一部の態様では、少なくとも１つの第３の面４２は、点４４で第１の面４０の少なくとも１つから離してもよい。一部の態様では、点４４は、少なくとも１つの第３の面４２および第１の面４０から離してもよい。少なくとも１つの第３の面４２は、平面、分割、弓形、湾曲、またはそれらの組み合わせであってもよい。一部の態様では、少なくとも１つの第３の面４２は、少なくとも１つの第３の面４２を共に画定する複数の個別の部分を有してもよい。少なくとも１つの第３の面４２の複数の個々の部分は、平面、分割、弓形、湾曲、またはそれらの組み合わせであってもよい面を画定してもよい。
【０１３２】
基部面３８および第１の面４０、第２の面４０’および第３の面４２は、１つ以上の第１のラグ３４のそれぞれの上面４６を画定する。一部の態様では、上面４６は、シリンジ筒１８の曲率に対応する形状にしてもよい。他の態様では、１つ以上のラグ３４の上面４６は、シリンジ筒１８に対して上面４６の第１の端部が上面４６の第２の端部よりも高くなるように、シリンジ筒１８の外面２１に対して傾斜してもよい。上面４６は、連続していてもよく、または上面４６を共に画定する複数の別個の面から構成されてもよい。上面４６は、平面、分割、弓形、湾曲、またはそれらの組み合わせであってもよい。
【０１３３】
１つ以上の第２のラグ３７の各々は、筒１８の外面２１から径方向外向きに延びる突出部として形成されてもよい。１つ以上の第２のラグ３７は、筒１８の外面２１から少なくとも１つの第２のラグ３７の上面１０６まで筒１８の外周の方向に延びる傾斜解放部材１０４を任意に有する。存在する場合、傾斜解放部材１０４は、シンプルな二つ割型でシリンジ１２の成形を容易にしてもよい。一部の態様では、上面１０６は、シリンジ筒１８の曲率に対応する形状にしてもよい。他の態様では、上面１０６は、シリンジ筒１８の外面２１に対して傾斜していてもよい。上面１０６は、連続していてもよく、または上面１０６を共に画定する複数の別個の面から構成されてもよい。上面１０６は、平面、分割、弓形、湾曲、またはそれらの組み合わせであってもよい。解放部材１０４は、本明細書で説明するように、シリンジ１２をシリンジポート１６から解放するために、第３の保持リング１０８と係合するように構成されてもよい。
【０１３４】
引き続き図３Ａを参照すると、インジェクタ１０の少なくとも１つのシリンジポート１６（図１Ａに示す）は、シリンジ１２の少なくとも１つのシリンジ保持部材３２と動作可能に係合するように構成されたロック機構３５を有する。ロック機構３５は、シリンジ１２の近位端２０を受容するように構成された中央開口部７１を備えたほぼ円形の形状を有するハウジング７０を含む。ハウジング７０は、インジェクタ１０（図１Ａに示す）のハウジング１４の一部として、またはインジェクタ１０のハウジング１４に取り付けられたアタッチメントとして形成してもよい。第１の保持リング４８は、ハウジング７０の中央開口部７１が第１の保持リング４８の中央開口部５０と整列するように、ハウジング７０の遠位端に固定される。第１の保持リング４８は、径方向に延びるフランジ７４を有する本体７２を有する。本体７２の少なくとも一部は、フランジ７４から近位方向に延びている。ハウジング７０に取り付けられる際、フランジ７４はハウジング７０の上部と係合し、１つ以上の締結具開口部７６を通って延びる１つ以上の締結具（図示せず）によって固定される。第１の保持リング４８の本体７２の少なくとも一部は、ハウジング７０の中央開口部７１に挿入される。他の態様では、第１の保持リング４８は、クリップ、またはスナップフィットなどの他の機械的締結構成によってハウジング７０に固定されてもよい。ハウジング７０に取り付けられる際、第１の保持リング４８の中心軸５９は、ハウジング７０の中心軸と同軸である。
【０１３５】
引き続き図３Ａを参照すると、第１の保持リング４８の中央開口部５０内の側壁５８の内側部分は、シリンジ１２の挿入部３０が第１の保持リング４８の中央開口部５０を通って挿入される際に、シリンジ１２の１つ以上の第１のラグ３４を受容するように構成された１つ以上の第１の凹部６０を有する。１つ以上の第１の凹部６０は、側壁５８の内周の周囲に均等に離間して配置されてもよい。そのような態様では、第１の凹部６０は、第１の保持リング４８の側壁５８の部分によって互いに離されている。各第１の凹部６０および第１の凹部６０の径方向に隣接する１つの側部（左側または右側）の第１の保持リング４８の側壁５８は、シリンジ１２上のシリンジ保持部材３２を受容するためのクリアランス空間６３を共に画定する。各クリアランス空間６３の第１の凹部６０は、シリンジ保持部材３２の少なくとも１つの第１のラグ３４または第２のラグ３７を受容するように構成されてもよく、第１の保持リング４８の側壁５８は、シリンジ保持部材３２がクリアランス空間６３内に挿入される際に、筒１８の側壁１９の部分を受容するように構成されてもよい。例えば、第１の保持リング４８が、第１の保持リング４８の外周に等しく離間した６つのクリアランス空間６３を有する態様では、各クリアランス空間６３は、両側に隣接するクリアランス空間６３から６０度離れている。このような態様では、各第１の凹部６０は、第１の保持リング４８の外周の３０度にわたって延びてもよく、クリアランス空間６３の残りの部分を画定する第１の保持リング４８の側壁５８の一部は、外周の残りの３０度にわたって延びる。他の態様では、第１の保持リング４８は、１〜５または７〜１２またはそれ以上のクリアランス空間６３を含んでもよく、各第１の凹部６０は、第１の保持リング４８の側壁５８の外周の３０度より大きいか小さい角度にわたって延びてもよい。一部の態様では、シリンジ１２上の第１のラグ３４および第２のラグ３７の数は、保持リング４８上の第１の凹部６０の数に対応する。他の態様では、シリンジ１２上の第１のラグ３４および第２のラグ３７の数は、保持リング４８上の第１の凹部６０の数に対応する。このような態様では、シリンジ１２上の第１のラグ３４および第２のラグ３７は、シリンジ筒１８の外周に沿って離間しているので、各第１のラグ３４または第２のラグ３７は、保持リング４８の対応する第１の凹部６０と整列することができる。他の態様では、シリンジ１２上の第１のラグ３４および第２のラグ３７の数は、保持リング４８上の第１の凹部６０の数よりも多いので、２つ以上の第１のラグ３４および第２のラグ３７が少なくとも１つの第１の凹部６０内に受容される。例えば、第１のラグ３４または第２のラグ３７は、１つのラグ位置にある、または２つ以上のラグ位置にわたって広がるラグの集合として形成されてもよく、ラグの集合は、本明細書において第１のラグ３４または第２のラグ３７またはその任意の面に属する１つ以上の機能を実行するために共に動作する。
【０１３６】
１つ以上の第１の凹部６０の各々は、中心軸５９に対して径方向外向きに、側壁５８の内側部分に向かって延びている。シリンジ１２の挿入部３０が第１の保持リング４８に対して抜き差しされる際、各第１の凹部６０の外側面は、第１のラグ３４および第２のラグ３７の動きを第１の凹部６０に対して誘導するための移動経路を画定する。各第１の凹部６０は、中心軸５９の方向に沿ってほぼ平行に延びている。一部の態様では、各第１の凹部６０は、第１のラグ３４および第２のラグ３７を第１の凹部６０との自己整列に誘導する１つ以上の誘導面６２を有してもよいので、技術者による誘導や労力なしに第１のラグ３４および第２のラグ３７を第１の凹部６０内に挿入して、シリンジ１２をシリンジポート１６内に自己整列させることができる。誘導面６２は、第１のラグ３４および第２のラグ３７の動きを誘導するために、第１の凹部６０の開口部に向かって傾斜していてもよい。このように、当初は対応する１つ以上の凹部６０に対して位置がずれている１つ以上の第１のラグ３４および第２のラグ３７は、１つ以上の誘導面６２によって１つ以上の凹部６０と自己整列する。
【０１３７】
図３Ａの態様を引き続き参照すると、ロック機構３５は、内側側壁８０を備えたほぼ環状の形状を有する第２の保持リング７８をさらに含む。第２の保持リング７８は、第１の保持リング４８の本体７２の近位端とハウジング７０の底部８２との間の、ハウジング７０の中央開口部７１内に配置される。さらに詳細に説明するように、第２の保持リング７８は、回転移動可能であり、第１の保持リング４８およびハウジング７０に対して軸方向に固定されている。第２の保持リング７８は、１つ以上の第２の凹部８８を有する。１つ以上の第２の凹部８８は、シリンジ１２の挿入部３０が第１の保持リング４８の中央開口部５０を通って挿入される際に、シリンジ１２の１つ以上の第１のラグ３４および第２のラグ３７を受容するように構成される。１つ以上の第２の凹部８８は、第１の保持リング４８上の１つ以上の第１の凹部６０と選択的に整列するように、第２の保持リング７８の内側側壁８０の周囲に配置される。例えば、第１の保持リング４８が６つの第１の凹部６０を有する態様では、第２の保持リング７８も、互いに６０度離れた６つの第２の凹部８８を有してもよい。第２の保持リング４８の回転運動は、ハウジング７０の１つ以上のスロットに収容された１つ以上の近位ピン９８’および／または１つ以上の弾力的な弾性部材１０２’によって誘導されて拘束されてもよい。
【０１３８】
図３Ａを引き続き参照すると、ロック機構３５は、内側側壁１１０を備えたほぼ環状の形状を有する第３の保持リング１０８をさらに含んでもよい。第３の保持リング１０８は、第１の保持リング４８と第２の保持リング７８との間のハウジング７０の中央開口部７１内に配置される。さらに詳細に説明するように、第３の保持リング１０８は、第１の保持リング４８、第２の保持リング７８、およびハウジング７０に対して回転可能であり、これらは全て互いに固定されている。第３の保持リング１０８は、内側側壁１１０の少なくとも一部に配置された１つ以上のロック要素１１２を有する。１つ以上のロック要素１１２は、内側側壁１１０に対して径方向外向きに延び、各ロック要素１１２が第３の凹部１１４によって離されるように交互に配置される。
【０１３９】
１つ以上のロック要素１１２は、１つ以上の第１のラグ３４の第３の面４２に選択的に係合するように構成された傾斜面１１６を有する。傾斜面１１６は、直線、分割、湾曲、またはそれらの組み合わせであってもよい。
図３Ａを引き続き参照すると、第３の保持リング１０８は、ハウジング７０内に回転可能に保持されている。少なくとも１つのガイドピン９８が第３の保持リング１０８から延び、第１の保持リング４８および第２の保持リング７８の一方または両方に形成された少なくとも１つのガイドピンスロット１０１（図示せず）の内側に受容される。ばねなどの少なくとも１つの弾力的な弾性部材１０２は、第３の保持リング１０８の少なくとも一部と、第１の保持リング４８および第２の保持リング７８の一方または両方の少なくとも一部とに一端で接続されている。１つの態様では、弾力的な弾性部材１０２は、少なくとも１つのガイドピン９８に一端で接続されてもよく、弾力的な弾性部材１０２の対向端は、少なくとも１つのガイドピンスロット１０１に接続されてもよい。少なくとも１つの弾力的な弾性部材１０２は、第３の保持リング１０８を第１の位置に付勢する。シリンジ１２をシリンジポート１６に近位方向に挿入することによって、この態様では１つ以上のラグ３４の第３の面４２である開口面が１つ以上のロック要素１１２と係合して、少なくとも１つの第３の凹部１１４が少なくとも１つの第１の凹部６０および少なくとも１つの第２の凹部８８と整列する第２の位置まで第３の保持リング１０８を回転させる。本明細書で説明するように、一旦第１のラグ３４の第２の面４０’がロック要素１１２の傾斜面１１６を通過すると、第３の保持リング１０８は反対方向に回転してその最初の第１の位置に戻り、シリンジ１２をシリンジポート１６内にロックし、ここで面３８は、ロック要素１１２の近位に保持される。例えば第３の保持リング１０８が第１の位置に移動することによって、シリンジ１２がシリンジポート１６内にロックされる際に、可聴および／または触覚のフィードバックを提供することができる。
【０１４０】
図３Ｄに示すように、シリンジ１２をシリンジポート１６に挿入するために、シリンジ１２の挿入部３０は、第１の保持リング４８と接触するように付勢される。第１のラグ３４および第２のラグ３７が当初は第１の凹部６０に対して位置がずれている場合、誘導面６５は、挿入部３０が第１の保持リング４８に対して近位に移動する際に、第１のラグ３４および第２のラグ３７を第１の凹部６０と自己整列するように誘導する。シリンジ１２が第１の保持リング４８に対して近位方向に連続して移動すると、１つ以上の第１のラグ３４の第３の面４０’の少なくとも一部が第３の保持リング１０８の１つ以上のロック要素１１２の傾斜面１１６に接触するまで、第１のラグ３４および第２のラグ３７は第１の凹部６０内に誘導される。傾斜面１１６は、第１のラグ３４の第２の面４０’と係合するように構成される。図３Ｄに示すように、シリンジ１２が第１の保持リング４８に対して近位方向に連続して移動すると、第１のラグ３４が少なくとも１つの弾力的な弾性部材１０２の復元力に抗して作用し、第３の保持リング１０８を、図３Ｄに示す第１の位置から図３Ｅに示す第２の位置まで回転させる。１つ以上の第１のラグ３４は、第３の保持リング１０８を時計回りまたは反時計回りなどの第１の方向に回転させてもよい。第３の保持リング１０８がシリンジポート１６内のシリンジ１２の近位方向移動の間に回転されると、１つ以上の第１のラグ３４および第２のラグ３７は、全ての第１のラグ３４および第２のラグ３７の基部面３８が第３の保持リング１０８の底部を通過するまで、対応する１つ以上の第２の凹部８８に誘導される。弾力的な弾性部材１０２の復元作用の下で、第３の保持リング１０８は、第１の方向とは反対の第２の方向に回転される。ハウジング７０に対する第３の保持リング１０８の回転は、シリンジ１２が遠位方向に取り外されるのを防止するように、ロック要素１１２を１つ以上の第１のラグ３４および第２のラグ３７上に配置させる。
【０１４１】
図３Ｆに示すように、シリンジ１２をシリンジポート１６からロック解除するために、シリンジ１２は、長手方向軸１５を中心として第１の方向に回転する。シリンジ１２の回転運動は、第１のラグ３４の第３の面４２を第２の保持リング７８の第１の傾斜面９０に当接させ、第２の保持リング７８をその弾性部材１０２’の力に抗して回転させる（図２Ａに示す）。例えば約３０度の回転の後、第２の保持リング７８上のガイドピン９８は、第３の保持リング１０８と係合してこれも第１の方向に回転させる。さらなる回転、例えば約３０度の回転の後、第１のラグ３４および第２のラグ３７は、第１の保持リング４８の第１の凹部６０と整列し、第３の保持リング１０８上のロック要素１１２は、図３Ｇに示すように、少なくとも１つの第１の凹部６０が少なくとも１つの第３の凹部１１４と整列するように、第１の凹部６０に近接する空間を通過するように移動する。図３Ｈに示すように、この時点で、第１の傾斜面９０に対する第１のラグ３４の第３の面４２の回転運動によって生成された遠位方向の力成分は、シリンジ１２を遠位に移動させてシリンジポート１６から排出する。シリンジ１２がシリンジポート１６から排出されると、弾力的な弾性部材１０２および１０２’の復元力によって、第３の保持リング１０８および第２の保持リング７８は、第２の方向に回転することによってそれぞれの第１の位置に戻り、その後の新しいシリンジ１２の挿入に備える。
【０１４２】
ロック機構３５の動作は、一旦シリンジ１２の１つ以上の基部面３８および上面１０６と、シリンジポート１６のロック要素１１２の１つ以上の面とが係合すると、シリンジ１２がシリンジポート１６内に保持されるように協働する、シリンジ１２およびシリンジポート１６の保持面の相互作用を参照することによってさらに説明され得る。設置のために、シリンジ１２およびシリンジポート１６を自己整列または自動回転整列させるために協働するシリンジ１２およびシリンジポート１６の誘導面は、シリンジ１２の１つ以上の点４４および／または第３の面４２と、シリンジポート１６の１つ以上の誘導面６５とを含む。シリンジ１２の設置のため、シリンジポート１６を開くために協働するシリンジ１２およびシリンジポート１６の開口面は、シリンジ１２の１つ以上の第３の面４２と、シリンジポート１６の傾斜面１１６の１つ以上である。シリンジ１２をシリンジポート１６から係合解除あるいは取り外すために協働するシリンジ１２およびシリンジポート１６の分離面は、シリンジ１２の第３の面４２およびシリンジポート１６の傾斜面９０である。シリンジポート１６からのシリンジ１２の排出を促すために、遠位方向の力を生成するために協働するシリンジ１２およびシリンジポート１６の排出面は、シリンジ１２の第３の面４２およびシリンジポート１６の傾斜面９０である。ルアーコネクタがシリンジ１２にねじ込まれる際に回転を防止するために協働するシリンジ１２およびシリンジポート１６の回転停止面は、シリンジ１２の１つ以上の第１の面４０および／または第２の面４０’とシリンジポート１６の１つ以上の第２の凹部８８と共に、シリンジ１２の１つ以上の基部面３８とシリンジポート１６の１つ以上のロック要素１１２との間の任意の摩擦力である。シリンジがシリンジポート１６に嵌合することを可能にするシリンジクリアランス面は、ラグ３４の径方向に隣接する１つの側（左側または右側）の、第１の保持リング４８の側壁５８を通過する筒１８の外面２１である。
【０１４３】
図３Ａ〜図３Ｈのシリンジポート１６の態様は、第１の保持リング４８の側壁５８に切断された第１の凹部６０があるという観点から説明されている。別の態様では、側壁５８は、第１の保持リング４８の第１の凹部６０によって画定される円筒面から突出していると考え得る。これらの２つの構成のそれぞれは、単一の態様で説明するか、具体化するために使用することができる。
【０１４４】
図２Ａ〜図３Ｇは、少なくとも１つのシリンジ保持部材３２のいくつかの非限定的な態様を示しているが、様々な他の形状も考えられる。例えば、少なくとも１つのシリンジ保持部材３２の１つ以上の第１のラグ３４および／または第２のラグ３７は、ほぼ円形、正方形、長方形、五角形、または他の多角形を有してもよい。少なくとも１つのシリンジ保持部材３２には、シリンジポート１６に対するシリンジ１２の自己配向を助けるために、またはシリンジ１２をシリンジポート１６に解放可能にロックするために、様々な特徴が設けられてもよい。各態様において、少なくとも１つのシリンジ保持部材３２は、シリンジ１２をシリンジポート１６内に保持するための、インジェクタ１０のシリンジポート１６内の対応するロック機構との可逆ロック係合を形成するように構成される。少なくとも１つのシリンジ保持部材３２の１つ以上のラグ３４のための様々な他の形状を、図４Ａ〜図５Ｚおよび図１０Ａ〜図１０Ｈを参照して本明細書で説明する。
【０１４５】
図４Ａ〜図４Ｌは、少なくとも１つのシリンジ１２の近位端２０と、シリンジ１２の近位端２０を受容するための対応する少なくとも１つのシリンジポート１６との様々な態様の円筒形の平面投影図を示す。図４Ａを参照すると、図２Ａに概略的に示されるようなシリンジ１２の近位端２０の態様は、シリンジポート１６の遠位端にシリンジ１２を挿入するために、点線で示されるように回転的に整列される。この観点から、自己整列すると、ラグ３４とラグ３４間に位置する筒１８の外面２１とを含むシリンジ保持部材３２は、シリンジポート１６へのシリンジ１２の挿入が可能になるように、シリンジポート１６のクリアランス空間６３内に収容されるように構成される。同様に、シリンジ筒１８の外面２１は、第１の保持リング４８の側壁５８を通過する。これらの要素間の関係を測定または表現する１つの方法は、シリンジ１２の外側およびシリンジポート１６の内側に対するそれらの角度によるものである。例えば、シリンジ保持部材３２の６倍の対称性を有する態様では、各ラグ３４は公称３０度の角度を成しており、各第１の凹部６０は、同様に３０度の角度を成しているが、これはラグ３４が第１の凹部６０内を摺動することができるように、クリアランスおよび公差の余裕を当然考慮したものである。１つ以上のロックタブ９６が有限の角度範囲にわたって延びるので、ラグ３４の基部面３８は、保持面６４の下に完全に位置決めすることができないことがある。例えば、ラグ３４および第１の凹部６０が共に３０度であり、ロックタブ９６が４度の角度を占める場合、ラグ３４の基部面３８は、２６度の面にわたってロックタブ９６と重なる。重なりを最大限にするために、ラグ３４は２８度に縮小することができ、凹部６０は、ロックタブ９６の４度を含む幅を３２度まで増大させることができる。挿入時に、ラグ３４の全幅は、ロックタブ９６に隣接する保持面６４の下に配置されてもよい。各ラグ３４は、第１の保持リング４８上の第１の凹部６０内に受容されるように構成される。各ラグ３４の第２の面４２は、誘導面６５に沿って第１の凹部６０と位置合わせするように自己誘導されて、ラグ３４を第１の凹部６０に挿入することを可能にしてもよい。図４Ｋを参照すると、第２の保持リング７８は、上部角部の１つに設けられた凹部９１を有するほぼ長方形の第１のロック要素８４および第２のロック要素８６を有する。凹部９１は、ラグ３４がシリンジポート１６に挿入される際に、ラグ３４の第２の面４２を第２の凹部８８に誘導するように構成される。
【０１４６】
図４Ｂは、ラグ３４の数がシリンジポート１６上の凹部６０の数よりも少ない別の態様を示す。１つ以上のラグ３４が存在しない場合、欠けている領域は、シリンジ１２の外面２１のより大きな領域によって占められる。一部の態様では、少なくとも２つのラグ３４が、互いに隣接して、筒１８の周囲に、または筒１８の反対側に間隔をおいて設けられるので、ラグ３４の１つは、シリンジ１２のシリンジポート１６内における適切な係合のために、対応するロックタブ９６に対して回転する。各ラグ３４は、第１の保持リング４８上の第１の凹部６０内に受容されるように構成される。各ラグ３４の第２の面４２は、誘導面６５に沿って第１の凹部６０と位置合わせするように誘導されて、ラグ３４を第１の凹部６０に挿入することを可能にしてもよい。
【０１４７】
図４Ｃは、１つ以上のロックタブ９６が、少なくとも１つのラグ３４の上面３８に形成される別の態様を示す。他の態様では、１つ以上のロックタブ９６は、ラグ３４と離されて形成されてもよい。他の態様では、ロックタブ９６は、シリンジ１２の少なくとも１つのラグ３４およびシリンジポート１６の少なくとも１つの保持部材５８の両方に設けられてもよい。
【０１４８】
図４Ｄは、図３Ａ〜図３Ｅに示すシリンジ１２およびシリンジポート１６の一態様の円筒形の平面投影図を示す。図４Ｅは、第１のラグ３４および第２のラグ３７の全てではなく一部が除去された、さらなる態様を示す。図４Ｊでは、第３の保持リング１０８上のロック要素１１２は、図４Ｄ〜図４Ｅに示す傾斜面１１６を有していない。代わりに、第１のラグ３４の点４４を挿入するために、ロック要素１１２と側壁５８との間にスペースＳＳが設けられる。これらの態様のそれぞれにおいて、少なくとも１つの第１のラグ３４が設けられる。
【０１４９】
図４Ｆは、８倍の対称性を有する別の態様を示す。より高次の対称配置の利点は、シリンジ１２の取り付けおよび取り外しのために必要な回転角度が、より小さくなるということである。例えば、８倍の対称性を有する場合、取り外しおよび排出のためのシリンジ１２の回転は、２２．５度以下であり得る。追加のラグはまた、保持または抑制力をシリンジ筒１８の周囲により均一に広げる。他の態様では、シリンジ１２とシリンジポート１６との間の接続は、８倍、１０倍、１２倍、１６倍、または他の対称性を有することができる。
【０１５０】
図４Ｇを参照すると、ラグ３４は、ほぼ三角形の形状を有し、一対の第２の面４２は、点４４に対して軸方向に先細になっている。第２の面４２は、第１の保持リング４８上の誘導面６５と係合して、ラグ３４を第１の凹部６０内に自己誘導するように構成される。第２の保持リング７８は、ラグ３４を受容するように形作られた第２の凹部８８を有する。第１のロック要素８４の少なくとも一部は、シリンジ１２がシリンジポート１６内に近位に挿入される際にラグ３４を第２の凹部８８に向けて誘導する傾斜路８９を有する。図４Ｈにおいて、ラグ３４は、長手方向軸１５（図３Ａに示す）にほぼ平行の少なくとも１つの面を有する三角形の形状を有する。第２の保持リング７８は、ラグ３４を受容するように形作られた第２の凹部８８を有する。図４Ｉにおいて、ラグ３４は、一体型のロックタブ９６を有する。
【０１５１】
図５Ａ〜図５Ｚは、ラグ３４の様々な態様を示す。図５Ａは、図２Ａ〜図２Ｄを参照して本明細書で説明される構成を有する例示的なラグ３４を示し、図５Ｂは、ラグ３４の各面を示す点線でラグ３４の輪郭を示す。
【０１５２】
図５Ｃは、中心部分６１２が中空であるラグ３４ｃの例を示し、ラグ３４ｃは外周面によって画定される。一部の態様では、中心部分６１２は、シリンジ筒１８（図２Ａに示す）の厚さに対応する厚さを有することができる。他の態様では、中心部分６１２は、シリンジ筒１８（図２Ａに示す）の厚さよりも厚いか薄い厚さを有することができる。一部の態様では、中空の中心部分６１２は、シリンジ筒１８の側壁厚さの一部のみを通って延びる。周辺面は、互いに接続されてもよく、またはそれらの間に１つ以上の間隙を有してもよい。中空の中心部分６１２を有することの１つの利点は、成形中に材料が冷却されるので、プラスチック材料の沈み込みが低減または排除され得ることである。図５Ｄを参照すると、１つ以上の補強部材６１４が中心部分６１２に設けられてもよい。１つ以上の補強部材６１４は、ラグ３４Ｄの外周面に接続されていてもよいし、ラグ３４Ｄの外周面から離されていてもよい。保持力が高くなければならず、したがってラグ３４Ｄの面に著しい応力がある場合、追加の材料または補強部材、例えば１つ以上の補強部材６１４の存在により、ラグ３４Ｄはそのような高い力の下で動作できる。図５Ｅは、複数の空隙６１２’’が設けられたラグ３４Ｅを示す。一部の態様では、空隙６１２’’はほぼ円形の形状を有してもよいが、様々な他の形状を容易に実施してもよい。
【０１５３】
図５Ｆは、第２の面４２が物理的な面ではなく、点６２０と６２２との間に延びる破線によって画定される仮想面であるラグ３４Ｆを示す。これらの仮想面は、図２Ａおよび図３Ａに示すラグ３４上の第１の面４０および第２の面４２を参照して本明細書に記載の方法で、軸方向に先細になる。
【０１５４】
特定の態様によれば、ラグ３４は、共にラグ３４の面を形成する複数のラグの組み合わせであってもよく、ラグ３４の面は、物理的な面および／または仮想面の組み合わせであり得る。図５Ｇは、ラグ３４Ｇが複数のラグ３４Ｇ−１〜３４Ｇ−５の集合体である態様を示す。図５Ｇに点線で示すように、ラグ３４Ｇの機能面は、２つ以上のラグ３４Ｇ−１〜３４Ｇ−５の相互作用によって画定される。第２の面４２は、物理的な面ではなく、３４Ｇ−１と３４Ｇ−２との間、および３４Ｇ−４と３４Ｇ−５との間に延びる破線によって画定される仮想面である。これらの仮想面は、図２Ａに示すラグ３４上の第１の面４０および第２の面４２を参照して本明細書に記載の方法で、軸方向に先細になる。
【０１５５】
図５Ｈは、一対のラグ３４Ｈ−１および３４Ｈ−４を有するラグ３４Ｈを示す。図５Ｈの態様では、基部面３８および第１の面４０はラグ３４Ｈ−１上に形成され、点４４はラグ３４Ｈ−２の面にある。第２の面４２は、２つのラグ３４Ｈ−１および３４Ｈ−２の間に形成された仮想面である。これらの仮想面は、図２Ａに示すラグ３４上の第１の面４０および第２の面４２を参照して本明細書に記載の方法で、軸方向に先細になる。
【０１５６】
図５Ｉは、４つのラグ３４Ｉ−１〜３４Ｉ−２を有するラグ３４Ｉを示す。図５Ｉの態様では、基部面３８はラグ３４Ｉ−１上に形成され、点４４はラグ３４Ｉ−３の面にある。第１の面４０は、３４Ｉ−１と３４Ｉ−２との間、および３４Ｉ−２と３４Ｉ−４との間に形成された仮想面である。第２の面４２は、３４Ｉ−２と３４Ｉ−３との間、および３４Ｉ−３と３４Ｉ−４との間に形成された仮想面である。これらの仮想面は、図２Ａに示すラグ３４上の第１の面４０および第２の面４２を参照して本明細書に記載の方法で、軸方向に先細になる。
【０１５７】
図５Ｊは、Ｔ形中央ラグ３４Ｊ−１と、一対の側部ラグ３４Ｊ−２および３４Ｊ−３とを有するラグ３４Ｊを示す。図５Ｊの態様では、基部面３８はラグ３４Ｊ−１の上面に形成され、点４４は、ラグ３４Ｊ−１の底面上に形成される。第１の面４０は、３４Ｊ−１の上部と３４Ｊ−２のと間、および３４Ｊ−１の上部と３４Ｊ−３との間に形成された仮想面である。第２の面４２は、３４Ｊ−１の底部と３４Ｊ−２のと間、および３４Ｊ−１の底部と３４Ｊ−３との間に形成された仮想面である。図５Ｗは、図５Ｊに示す一対の側部ラグのないＴ形ラグ３４Ｗを示す。図５Ｗでは、第２の面４２は、ラグ３４Ｗの上部と点４４の底部との間に形成された仮想面である。これらの仮想面は、図２Ａに示すラグ３４上の第１の面４０および第２の面４２を参照して本明細書に記載の方法で、軸方向に先細になる。
図５Ｋは、上部ラグ３４Ｋ−１および下部ラグ３４Ｋ−２を有するラグ３４Ｋを示す。図５Ｋの態様では、基部面３８はラグ３４Ｋ−１の上面に形成され、点４４は、ラグ３４Ｋ−２によって表される。一対の第１の面４０は、３４Ｋ−１および３４Ｋ−２の側方部分に沿って延びる。第２の面４２は、第１の面４０の端子部と３４Ｋ−２との間に形成された仮想面である。これらの仮想面は、図２Ａに示すラグ３４上の第１の面４０および第２の面４２を参照して本明細書に記載の方法で、軸方向に先細になる。
【０１５８】
図５Ｌは、図５Ｃを参照して本明細書で説明したラグ３４Ｃの形状と同様の形状を有するラグ３４Ｌを示す。ラグ３４Ｌは、基部面３８の一部から延びる一体型のロックタブ９６ａをさらに有する。
【０１５９】
図５Ｍは、ほぼ線形の基部面３８と、湾曲した第１の面４０および第２の面４２とを有するラグ３４Ｍを示す。第１の面４０および第２の面４２は、ほぼ楕円の形状を有するように湾曲していてもよい。第１の面４０および第２の面４２は、点４４に向かって曲線状に軸方向に先細になっている。図５Ｎは、図５Ｍに示すラグ３４Ｍの形状と同様の形状を有するラグ３４Ｎを示す。ラグ３４Ｎは、上部ラグ３４Ｎ−１および下部ラグ３４Ｎ−２から形成される。上部ラグ３４Ｎ−１は、ほぼ直線状の基部面３８を画定し、下部ラグ３４Ｎ−２は、上部ラグ３４Ｎ−１から間隔を空けて配置され、第２の面４２に沿って軸方向内向きに先細になるほぼ湾曲状の形状を有する。
【０１６０】
図５Ｏおよび図５Ｐは、図５Ｃを参照して本明細書で説明したラグ３４Ｃの形状と同様の形状を有するラグ３４Ｏおよびラグ３４Ｐを示す。ラグ３４Ｏおよびラグ３４Ｐは、ラグ３４Ｏおよびラグ３４Ｐが、点４４と第１の面４０との間に延びる少なくとも１つの仮想の第２の面４２Ｏを備えた不連続な輪郭を有するように、第１の面４０または第２の面４２の少なくとも１つが除去されている。この仮想の第２の面４２Ｏは、図２Ａに示すラグ３４上の第１の面４０および第２の面４２を参照して本明細書に記載の方法で、軸方向に先細になる。
【０１６１】
図５Ｑは、３つの円形ラグ３４Ｑ−１〜３４Ｑ−３から形成されたラグ３４Ｑを示す。円形ラグ３４Ｑ−１〜３４Ｑ−３は、それらの間に仮想面が画定されるように配置される。特に、一対の第２の仮想面は、一対の上部円形ラグ３４Ｑ−２および３４Ｑ−３と、下部円形ラグ３４Ｑ−１とによって画定される。ラグ３４Ｑ−１〜３４Ｑ−３は、楕円形、正方形、三角形、菱形その他の多角形のような他の形状であってもよい。各仮想の第２の面４２は、図２Ａに示すラグ３４上の第１の面４０および第２の面４２を参照して本明細書に記載の方法で、軸方向に先細になる。図５Ｒは、２つの円形ラグ３４Ｒ−１〜３４Ｒ−２から形成され、その間に単一の仮想第２面４２が画定された形状を有するラグ３４Ｒを示す。ラグ３４Ｒ−１〜３４Ｒ−２は、楕円形、正方形、三角形、菱形その他の多角形のような他の形状であってもよい。図５Ｙは、上部の対のラグ３４Ｙ−１および３４Ｙ−２が、図５Ｑを参照して説明したラグ態様３４Ｑ中より下部のラグ３４Ｙ−３に軸方向に近接している、３つの円形のラグ３４Ｙ−１〜３４Ｙ−３から形成されたラグ３４Ｙを示す。図５Ｚでは、ラグ３４Ｚの下部ラグ３４Ｚ−３は、円形要素ではなく長方形要素として表されている。
【０１６２】
図５Ｓ（１）〜図５Ｓ（３）を参照すると、筒１８の外面２１によって離された別個のラグ３４上に、一対のラグ３４ＳＡおよびラグ３４ＳＢが設けられている。第１のラグ３４ＳＡには、仮想の基部面３８が仮想の第１の面４０に接合されているラグ３４の輪郭の右上隅のような上隅に、単一のラグ３４Ｓ−１が設けられている。第１のラグ３４ＳＡは、（図５Ｓ（３）の円筒形平面図に示すように）シリンジ１２がシリンジポート１６に挿入された際に、ロック機構３５の第１の保持リング４８に設けられたロックタブ９６と係合するように構成される。第２のラグ３４ＳＢは、点４４に位置する単一のラグ３４Ｓ−２として形成される。第２のラグ３４ＳＢは、自己配向して第１の保持リング４８上に誘導面６５を係合させることによって、シリンジ１２をシリンジポート１６に誘導するように構成される。ラグ３４Ｓ−１およびラグ３４Ｓ−２は、円形、楕円形、三角形、正方形、長方形、または他の多角形の形状を有してもよい。
【０１６３】
図５Ｔを参照すると、ラグ３４Ｔは、基部面３８から点４４まで軸方向に先細になる長方形の第２の面４２として形成されている。この第２の面４２は、図２Ａに示すラグ３４上の第１の面４０および第２の面４２を参照して本明細書に記載の方法で、軸方向に先細になる。
【０１６４】
図５Ｕを参照すると、ラグ３４Ｕは、先細状の第２の面４２の方向に沿って位置合わせされた２つの側面を有する正方形のラグとして形作られている。図５Ｖは、先細状の第２の面４２の方向に沿って位置合わせされた２つの側面を有する三角形のラグ３４Ｖを示す。他の態様では、ラグ３４Ｖは、基部面３８を画定する少なくとも１つの第２のラグを含んでもよい。図５Ｔ〜図５Ｖの第２の面４２は、図２Ａに示すラグ３４上の第１の面４０および第２の面４２を参照して本明細書に記載の方法で、軸方向に先細になる。
【０１６５】
図５Ｘは、垂直軸に対して水平に離間した複数の平行要素を有するラグ３４Ｘを示す。仮想の第２の面４２は、少なくとも２つの隣接する平行要素の間に画定される。図５Ｘの第２の面４２は、図２Ａに示すラグ３４上の第１の面４０および第２の面４２を参照して本明細書に記載の方法で、軸方向に先細になる。シリンジ１２の一部の態様は、少なくとも１つのシリンジ保持部材３２に、３４Ａ〜３４Ｘおよび／または１０Ａ〜１０Ｈのいずれかのラグの様々な組み合わせを含んでもよい。
【０１６６】
図６Ａを参照すると、カップリング１３０およびそのための取り付け部材は、シリンジ筒１８とは別個であり、取り付け可能であるように製造することができる。カップリング１３０は、例えば、本明細書に記載の少なくとも１つのシリンジ保持部材３２を有するシリンジ１２を許容するように構成され、少なくとも１つのシリンジ保持部材３２を受容するように構成されていないロック機構を備えたシリンジポートを有する、流体インジェクタと共に使用するためのシリンジ１２を適合させるように構成される。例えば、カップリング１３０は、特許文献３または特許文献２に記載の流体インジェクタ、または他の任意の流体インジェクタと共に使用するために、シリンジ１２を適合させることができる。一部の態様では、カップリング１３０は、インジェクタに解放可能に接続可能である。他の態様では、カップリング１３０は、流体インジェクタのロック機構に挿入され、保持されてもよい。カップリング１３０はまた、インジェクタへのカップリングの取り付けとは独立して、シリンジ１２に解放可能に接続されるか取り付けられてもよい。
【０１６７】
図６Ａを参照すると、カップリング１３０は、本明細書に記載の態様による、少なくとも１つのシリンジ保持部材３２を有するシリンジ１２を受容するように構成された第１の部分１３２と、本明細書に記載の態様による、少なくとも１つのシリンジ保持部材３２を有し、シリンジ１２を受け入れるように構成されていないシリンジポートを有するインジェクタに装填するように構成された第２の部分１３４とを含む。第１の部分１３２は、第２の部分１３４に直接接続され、これとモノリシックに形成されてもよい。一部の態様では、第１の部分１３２は、（図７Ａ〜図７Ｂに示す）様々な第２の部分が第１の部分１３２とともに使用されてもよいように、第２の部分１３４に解放可能に接続されてもよい。引き続き図６Ａを参照すると、第１の部分１３２は、図２Ａ〜図２Ｄを参照して本明細書で説明したロック機構３５を有する。他の態様では、第１の部分１３２は、図３Ａ〜図３Ｈを参照して説明したロック機構３５を有してもよい。本明細書で説明されるように、様々な態様において、カップリング１３０の第１の部分１３２は、対応する少なくとも１つのシリンジ保持部材３２を有するシリンジ１２を解放可能に受容するように構成される。図７Ａ〜図７Ｂを参照すると、カップリング１３０の第２の部分１３４は、本明細書に記載のシリンジ保持部材３２を有するシリンジ１２を、他の方法では受容することができないインジェクタに接続するように構成された接続インタフェースを有してもよい。図７Ａは、特許文献３に記載のインジェクタのロック機構と共に使用するように構成された第２の部分１３４を示し、図７Ｂは、特許文献２に記載のインジェクタのロック機構と共に使用するように構成された第２の部分１３４を示す。第２の部分１３４は、本明細書に明示的に記載されていない様々な他のインジェクタとインタフェースするように構成されてもよい。一部の態様では、カップリング１３０は、インジェクタのロック機構に対して、カップリング１３０を係合および係合解除するための別個の機構を有してもよい。
【０１６８】
図６Ｂを参照すると、アダプタ２３０は、本明細書に記載の態様の１つによるロック機構３５を有するインジェクタと取り外し可能に接続するための、本明細書に記載の１つ以上のシリンジ保持部材３２を有さないシリンジＳを受容するように構成されている。種々の態様では、アダプタ２３０は、後のシリンジへの取り付けのために、シリンジＳに接続するように構成されてもよい。例えば、アダプタ２３０は、非互換シリンジＳに解放可能にまたは永久的に接続されてもよい。そのようなアダプタ２３０は、本明細書に記載の態様による少なくとも１つの係合部材３２０を有する接続インタフェースを有してもよい。アダプタ２３０は、本明細書に記載のロック機構３５を有するインジェクタと解放可能に接続可能に構成されてもよい。アダプタ２３０およびシリンジＳは、シリンジに接続する前に接続されてもよく、あるいは、アダプタ２３０は、シリンジＳがアダプタ２３０に接続される前にインジェクタに接続されてもよい。アダプタ２３０およびシリンジＳは、使用後にシリンジから取り外されてもよく、アダプタ２３０はシリンジＳと一緒に処分されるか、または使用済みのシリンジＳから取り外され、その後別のシリンジＳで使用するために保管される。
【０１６９】
１つの態様では、アダプタ２３０の第１の部分２３２は、本明細書に記載のロック機構３５のいずれとの使用に適合しないシリンジＳを、永久的にまたは解放可能に受容するように構成することができる。一部の態様では、シリンジＳは、特許文献３または特許文献２に記載されているシリンジ、または任意の他のシリンジであってもよい。アダプタ２３０は、非互換シリンジＳが本明細書に記載のロック機構３５と係合して保持されることを可能にする。一部の態様では、アダプタ２３０は、アダプタ２３０がインジェクタ１０のロック機構３５に接続されたままである間に、シリンジＳを係合および係合解除するための別個の機構を有してもよい。第１の部分２３２はまた、他のシリンジＳを保持するための受け台またはスリーブであってもよく、例えば、手持ち式シリンジあるいは異なる保持機構または特徴を有し、それらをロック機構３５と係合させて保持させるシリンジである。アダプタ２３０の第２の部分２３４は、本明細書に記載の態様による少なくとも１つのシリンジ保持部材３２を有してもよい。一部の態様では、少なくとも１つのシリンジ保持部材３２は、図２Ａ〜図５Ｚおよび図１０Ａ〜図１０Ｈを参照して本明細書で説明する１つ以上のラグ３４を有してもよい。アダプタ２３０の第２の部分２３４は、本明細書に記載のロック機構３５を有するインジェクタと解放可能に接続可能に構成されてもよい。このように、種々の非互換シリンジＳを、本明細書に記載のロック機構３５を有するシリンジと共に使用してもよい。様々な態様において、アダプタ２３０は、高圧を必要とする注入手順で使用するための圧力ジャケット（図示せず）をインジェクタに接続するように構成されてもよい。例えば、圧力ジャケットを有するアダプタ２３０は、インジェクタと解放可能に接続可能に構成されてもよい。そのようなアダプタ２３０は、本明細書に記載の態様の１つによる少なくとも１つのシリンジ保持部材３２を有する接続インタフェースを有してもよく、あるいは、非互換シリンジをインジェクタと共に使用することを可能にする接続インタフェースを有してもよい。アダプタ２３０は、本明細書に記載のロック機構３５を有するシリンジに取り外し可能に、永久的に、または半永久的に接続可能であるように構成されてもよく、代替の保持機構を有するシリンジＳをインジェクタとともに使用できるように構成されてもよい。インジェクタに接続されると、シリンジＳは、アダプタ２３０または圧力ジャケットに装填され、その中でその近位端または遠位端に保持されてもよい。
【０１７０】
様々な態様において、アダプタ２３０は、本明細書に記載のインジェクタ１０への後の取り付けに必要な特徴の、全てではないが一部を有するシリンジ１２を接続するように構成することができる。例えば、図４Ｌを参照すると、アダプタ３２０は、面４２および面４４を提供するリング３００であってもよく、ロック機構３５内における保持のための少なくとも１つの基部面３８を有する少なくとも１つのラグを有するシリンジと嵌合する。この態様によれば、リング３００は、シリンジポート１６に挿入され、その後のシリンジとの使用のためにその中に留まる。アダプタ３２０は、シリンジポート１６とそれ自体で嵌合することができないかシリンジポート１６と完全に機能することができないシリンジを、ロック機構３５と嵌合し、ロック機構３５との保持機能を少なくとも実行することを可能にする。図４Ｍは、シリンジポート１６から遠位に延びる突出部３４０を有するリングを有するアダプタ３２０の別の態様を示す。これらの突出部３４０は、例えば、シリンジポート１６から径方向外向きに延びるリングを形成するように、結合または接続されてもよい。アダプタ３２０を回転させることによって、シリンジ１２およびアダプタ３２０をシリンジポート１６から解放してもよい。同様に、挿入時に、アダプタ３２０は、シリンジ１２との係合のために近位に押し込まれてもよい。
【０１７１】
図８Ａは、シリンジポート１６からのシリンジ１２の排出中に存在する力の、一般化された自由体図である。シリンジ１２を回転させるためにユーザによって加えられた力Ｔ、および点滴フランジまたは他の手段によって遠位に加えられた、シリンジ１２を付勢する任意の力Ｄと共に、ラグ３４の垂直力Ｎ１および摩擦力Ｆ１は、第１のロック要素８４に作用し、ラグ３４の垂直力Ｎ２および摩擦力Ｆ２は、側壁５８の保持面に作用する。一部の態様では、シリンジ１２はポリエチレンテレフタレート（ＰＥＴ）材料から製造され、第１のロック要素８４はＤＥＬＲＩＮ（商標）などのポリオキシメチレン（ＰＯＭ）材料から製造されてもよい。他のＤＥＬＲＩＮ（商標）面上のＤＥＬＲＩＮ（商標）の摩擦係数μは、約０．４である。この値を使用すると、排出を可能にする角度Ａの実際的な限界は、シリンジ１２の長手方向軸１５の方向に対して約２０度である。したがって、２０度を超える角度では滑りが生じ、ラグ３４が突出部を通過するのに十分な運動の際に、シリンジ１２が排出され、シリンジポート内で遠位に飛び出す（図８Ｂ）。図８Ｃは、角度Ａが増加するにつれて、シリンジ１２を回転させる力Ｔと弾性部材１０２の復元力Ｓとの比が増加することを示している。比は、角度が小さい場合には角度が増加してもほぼ一定のままであるが、角度が大きくなると著しく増加する。一部の例では、少なくとも３０度および約６０度未満の角度を使用してもよい。
【０１７２】
図９Ａは、シリンジポート１６へのシリンジ１２の挿入中にインタフェースに作用する力の、一般化された自由体図である。１つ以上のラグ３４は、ユーザによって加えられる横方向の力Ｐのために、１つ以上の第１のロック要素８４と相互作用する。回転中、１つ以上のラグ３４は、側壁５８と摺動接触する。さらに、第２の保持リング（図示せず）がハウジングの底面８２上を摺動する。この一般化された相互作用に関する静的力解析を実行すると、図９Ｂに示すように、面間の様々な摩擦係数μに対する２つの面の相互作用の角度Ａの関数として、挿入力の推定値が得られる。
【０１７３】
図１０Ａ〜図１０Ｈは、本明細書に記載のロック機構３５の様々な態様で使用するためのラグ３４の様々な態様を示す。図１０Ａは、図３Ａ〜図３Ｈを参照して本明細書で説明される構成を有する例示的なラグ３４ＡＡを示し、図１０Ｂは、ラグ３４の各面を示す点線でラグ３４ＢＢの輪郭を示す。図１０Ｃは、中心部分６１２が中空であるラグ３４ＣＣの例を示し、ラグ３４ＣＣは外周面によって画定される。一部の態様では、中心部分６１２は、シリンジ筒１８（図３Ａに示す）の厚さに対応する厚さを有することができる。他の態様では、中心部分６１２は、シリンジ筒１８（図３Ａに示す）の厚さよりも厚いか薄い厚さを有することができる。周辺面は、互いに接続されてもよく、またはそれらの間に１つ以上の間隙を有してもよい。中空の中心部分６１２を有することの１つの利点は、成形中に材料が冷却されるので、プラスチック材料の沈み込みが低減または排除され得ることである。図１０Ｄを参照すると、１つ以上の補強部材６１４が、上述のように２つの周辺隙間を有する中心部分６１２に設けられてもよい。１つ以上の補強部材６１４は、ラグ３４ＤＤの外周面に接続されていてもよいし、ラグ３４ＤＤの外周面から離されていてもよい。保持力が高くなければならず、したがってラグ３４ＤＤの面に著しい応力がある場合、追加の材料または補強部材、例えば１つ以上の補強部材６１４の存在により、ラグ３４ＥＥはそのような高い力の下で動作できる。図１０Ｅは、例えば面４０、点４４、および基部面３８を画定する、単一の垂直または長手方向の部材を有するラグ３４ＥＥを示す。図１０Ｆは、例えば面４０、点４４、および基部面３８を画定する、２つの概して丸いラグを有するラグ３４ＦＦを示す。図１０Ｇは、１つの丸いラグを有するラグ３４ＧＧを示す。ラグ３４ＧＧの底部は点４４を画定し、上部は基部面３８を画定する。図１０Ｈは、基部面３８および先細にされた底面を形成する平坦な上面を有する３つの概して垂直で平行なラグから組み立てられたラグ３４ＨＨを示す。図５および図１０に示すラグ３４の１つ以上の変形形態または他の変位形態は、本開示の範囲内にあり、本開示の範囲内にあるシリンジポート１６の１つ以上の変位形態で動作することができる。
【０１７４】
図１Ｂを参照すると、シリンジ１２からインジェクタ１０（図１Ａに示す）に情報を送信するためのシステムが設けられいてもよい。１つの態様では、シリンジ１２は、例えば１つ以上のシリンジ保持部材３２上に、１つ以上の符号化装置４９を備えてもよい。他の態様では、１つ以上の符号化装置４９は、外面２１（図１Ｂに示す）上、内面２３（図１Ｂに示す）上、シリンジ１２の近位端２０の側壁１９（図１Ｂに示す）の少なくとも一部内、またはプランジャ２６上に配置されてもよい。一部の態様では、符号化装置４９は、バーコードなどの光学的に可読な部材であり、他の態様では、符号化装置４９は、ＲＦＩＤタグ、近距離通信装置、または他の適切な符号化装置であってもよい。複数の符号化装置４９は、シリンジ１２の内周あるいは外周および／またはプランジャ２６に配置されてもよい。符号化装置４９を読み取るために、少なくとも１つのセンサ５１（図２Ａに示す）をシリンジポート１６に設けてもよい。一部の態様では、少なくとも１つのセンサ５１を、少なくとも１つの第２の凹部８８に設けてもよい。符号化装置４９で符号化することができる情報の例は、シリンジ１２の寸法、シリンジ１２の容量、シリンジ１２の内容（予め充填されたシリンジの場合）、ロット番号、日付および工具キャビティ番号などの製造情報、推奨される造影剤の流速および圧力、および／または充填／注入シーケンスを含む。１つの態様では、１つ以上のシリンジ保持部材３２の存在、不在、または形状が、符号化装置として機能してもよい。例えば、１つのシリンジ保持部材３２の不在は、第１のコードを表してもよい。２つ以上の隣接するシリンジ保持部材３２の不在は、第２のコードを表してもよい。２つ以上の隣接していないシリンジ保持部材３２の不在は、第３のコードを表してもよい。存在／不在または異なる形状のシリンジ保持部材３２の様々な他の組み合わせは、様々な他の符号を表してもよい。個々のシリンジ保持部材３２の有無は、機械的スイッチ、電気材料センサ、光学的、視覚的、または関知技術分野で知られている他の手段を使用するインジェクタによって決定され得る。このシリンジがコード化する情報は、操作者との通信のため、およびその後の使用でインジェクタを正確にプログラミングおよび制御するために、インジェクタ制御装置に伝達される。
【０１７５】
一部の態様では、図２Ａおよび図３Ａに示すロック機構３５の基部７０のようなインジェクタ１０（図１Ａに示す）の少なくとも一部は、シリンジ１２の近位端２０の内部容積２５の少なくとも一部に向かって突出する内側支持リング（図示せず）を有してもよい。そのような支持リングは、内部容積２５の少なくとも一部に向かって取り外し可能に延長可能であってもよい。支持リングは、シリンジ１２がロック機構３５に挿入される際に、シリンジ１２の１つ以上のシリンジ保持部材３２および／または内側側壁２３（図１Ｂに示す）の少なくとも一部に、径方向および軸方向の支持を提供してもよい。図２Ａに示すような少なくとも１つのセンサ５１がシリンジポート１６上に設けられる態様では、支持リングは、シリンジ１２上の少なくとも１つの符号化装置４９の有無を検出するための対比面を提供してもよい。例えば、支持リングは、少なくとも１つの符号化装置４９の検出を容易にするために、シリンジ１２の半透明または透明な側壁１９に対して、対比不透明面を提供してもよい。
【０１７６】
図１１Ａを参照すると、１つの態様によるプランジャ２６は、シリンジ１２の筒１８の側壁１９に対して液密シールを提供するように構成されたプランジャ本体２００を含む。プランジャ２６は、ピストン１２０（図１１Ｂに示す）の付勢下で、シリンジ筒１８内で往復運動可能である。プランジャ２６は、シリンジ筒１８の近位端２０と遠位端２４との間で、長手方向軸１５に沿って移動可能である。プランジャ本体２００は、円錐形の遠位端２０２と、ほぼ円筒形の近位端２０４とを有する。少なくとも１つのシール２０６が、プランジャ本体２００上に形成されてもよい。少なくとも１つのシール２０６は、シリンジ筒１８の内側側壁１９と液密に係合するように構成されている。少なくとも１つのシール２０６は、プランジャ２６がシリンジ筒１８を通って前進する際に、流体がシリンジ筒１８から漏れないように構成されたエラストマシールであってもよい。
【０１７７】
引き続き図１１Ａを参照すると、プランジャ２６の近位端２０４は、インジェクタ１０（図１Ａに示す）のピストン１２０（図１１Ｂ〜図１１Ｃに示す）との係合のために寸法決めされ適合される。一部の態様では、プランジャ２６の近位端２０４は、ピストン１２０に解放可能に係合するように構成された挿入部分を画定する。特定の態様では、プランジャ２６の近位端２０４は、図２Ａ〜図５Ｚおよび図１０Ａ〜図１０Ｈを参照して上述したシリンジ保持部材３２と同様の、１つ以上のプランジャ保持部材３２０を含む。プランジャ２６上の１つ以上のプランジャ保持部材３２０は、ピストン１２０（図１０Ｂ〜図１０Ｃに示す）上の対応するロック機構との解放可能なロック係合を形成するように適合される。１つ以上のプランジャ保持部材３２０を有するプランジャ２６とピストン１２０のロック機構との組み合わせは、プランジャ２６をピストン１２０に解放可能に接続するための接続インタフェースを画定する。
【０１７８】
一部の態様では、１つ以上のプランジャ保持部材３２０は、プランジャ２６の外面２１０から長手方向軸１５に対して径方向外向きに突出する１つ以上のラグ３４０として形成される。一部の態様では、複数のラグ３４０をプランジャ２６の外周に径方向に離すことができる。そのような態様では、ラグ３４０は、プランジャ２６の外面２１０の部分によって互いに離される。各ラグ３４０およびラグ３４０の径方向に隣接する１つの側（左側または右側）上のプランジャ２６の外面２１０は、プランジャ保持部材３２０を共に画定する。３つ以上のラグ３４０が設けられる態様では、ラグ３４０は、プランジャ２６の外面２１０上で径方向に均一に離間されていてもよい。図１１Ａに示すような等角度間隔を有する６つのプランジャ保持部材３２０を備える１つの例示的かつ非限定的な態様では、各プランジャ保持部材３２０は６０度にわたって延び、したがって、いずれかの側で隣接するプランジャ保持部材３２０から６０度離間される。このような態様では、各ラグ３４０は、プランジャ２６の外周の３０度にわたって延び、シリンジ保持部材３２０の残りの部分を画定するプランジャ２６の外面２１０の部分は、残りの３０度にわたって延びてもよい。他の態様では、各ラグ３４０は、プランジャ２６の外周の３０度よりも大きいかまたは３０度未満であってもよい角度α（図１１Ａに示す）で延びてもよい。同様に、隣接するラグ３４０の間のプランジャ２６の外面２１０の各部分は、プランジャ２６の外周の３０度よりも大きいかまたは３０度未満であってもよい角度β（図１１Ａに示す）で延びてもよい。一部の態様では、プランジャ保持部材３２０は、プランジャ２６の外周の周囲で、プランジャ保持部材３２０の間で不等な角度の拡張および／または不等な角度間隔を有してもよい。さらに、１つ以上のプランジャ保持部材３２０は、近位端１１４から長手方向軸１５に沿って長手方向に整列してもよい。他の態様では、少なくとも１つのラグ３４０は、残りのラグに対して、近位端１１４または遠位端１１２に向かう方向に長手方向にオフセットされてもよい。１つ以上のラグ３４０が存在しない態様では、対応するプランジャ保持部材３２０は、プランジャ２６の外面２１０であるクリアランス面によって画定され得る。
【０１７９】
１つ以上のラグ３４０の各々は、ほぼ三角形、多角形、または矢じり形状を有してもよい。１つ以上のラグ３４０は、プランジャ２６の外面２１０から外面２１０に対してほぼ垂直な方向に径方向外向きに突出している。一部の態様では、１つ以上のラグ３４０またはラグ３４０の部分は、プランジャ２６の外面２１０と、１つ以上のラグ３４０の上面４６０との間で、鈍角または鋭角でプランジャ２６の外面２１０から径方向外向きに突出する。一部の態様では、ラグ３４０は、互いに同一の形状を有してもよい。他の態様では、ラグ３４０の少なくとも１つは、残りのラグ３４０と異なる形状を有してもよい。
【０１８０】
一部の態様では、１つ以上のラグ３４０の各々は、径方向の断面平面においてプランジャ２６の長手方向軸１５に対してほぼ垂直である基部面３８０を有する。他の態様では、基部面３８０は、径方向断面平面内でプランジャ２６の外周の周囲に延びる際に、長手方向軸１５の方向に対して傾斜してもよい。基部面３８０は、平面、分割、弓形、湾曲、またはそれらの組み合わせであってもよい。一部の態様では、基部面３８０は、基部面３８０を共に画定する複数の個別の部分を有してもよい。基部面３８０の複数の個々の部分は、平面、分割、弓形、湾曲、またはそれらの組み合わせであってもよい。
【０１８１】
少なくとも１つの第１の面４００は、基部面３８０の少なくとも一端から、長手方向軸１５に対してほぼ平行の方向に延びてもよい。図１１Ａ参照すると、一対の第１の面４００が基部面３８０の反対側の端部に示されている。一部の態様では、少なくとも１つの第１の面４００は、長手方向軸１５の近位方向または遠位方向において、長手方向軸１５に対して軸方向に先細になっていてもよい。少なくとも１つの第１の面４００の長手方向軸１５に対する軸方向の先細りは、遠位端２４から近位端２０に向かう方向における円筒形の平面投影図における第１の面４００の傾斜角として画定されてもよい。第１の面４００は、長手方向軸１５の方向に対して同じ方向または反対方向に先細になっていてもよい。少なくとも１つの第１の面４００は、基部面３８０に直接接続されてもよい。一部の態様では、少なくとも１つの第１の面４００を、基部面３８０から離してもよい。少なくとも１つの第１の面４００は、平面、分割、弓形、湾曲、またはそれらの組み合わせであってもよい。一部の態様では、少なくとも１つの第１の面４００は、少なくとも１つの第１の面４００を共に画定する複数の個別の部分を有してもよい。少なくとも１つの第１の面４００の複数の個々の部分は、平面、分割、弓形、湾曲、またはそれらの組み合わせであってもよい。
【０１８２】
少なくとも１つの第２の面４２０は、少なくとも１つの第１の面４００または基部面３８０から延びている。図１１Ａを参照すると、第１の面４００の近位端から延びる一対の第２の面４２０が示されている。一部の態様では、少なくとも１つの第２の面４２０は、長手方向軸１５の近位方向または遠位方向において、長手方向軸１５に対して軸方向に先細になっていてもよい。一部の態様では、少なくとも１つの第２の面４２０は、近位方向に長手方向軸１５に対して軸方向に先細になっていてもよい。少なくとも１つの第２の面４２０の長手方向軸１５に対する軸方向の先細りは、プランジャ２６の遠位端１１２から近位端１１４に向かう方向における円筒形の平面投影図における第２の面４２０の傾斜角として画定されてもよい。例えば、少なくとも１つの第２の面４２０は、長手方向軸１５に対して角度γ（図１１Ａに示す）で先細になっていてもよい。第２の面４２０の各々は、長手方向軸１５に対して同じまたは異なる角度γで先細になっていてもよい。第２の面４２０は、丸みのある点または鋭い点４４０で互いに接合してもよい。少なくとも１つの第２の面４２０は、第１の面４００、基部面３８０、および点４４０のうちの少なくとも１つに直接接続されてもよい。一部の態様では、少なくとも１つの第２の面４２０は、第１の面４００、基部面３８０、および点４４０のうちの少なくとも１つから切り離されてもよい。一部の態様では、一対の第２の面４２０は、第１の面４００のみが丸みのある点または鋭い点４４０で接合できるように省略してもよい。他の態様では、丸みのある点または鋭い点４４０は、第１の面４００または第２の面４２０から切り離されてもよい。少なくとも１つの第２の面４２０は、平面、分割、弓形、湾曲、またはそれらの組み合わせであってもよい。一部の態様では、少なくとも１つの第２の面４２０は、少なくとも１つの第２の面４２０を共に画定する複数の個別の部分を有してもよい。少なくとも１つの第２の面４２０の複数の個々の部分は、平面、分割、弓形、湾曲、またはそれらの組み合わせであってもよい。
【０１８３】
基部面３８０、第１の面４００および第２の面４２０ならびに点４４は、１つ以上のラグ３４０のそれぞれの上面４６０の境界または輪郭を画定する。一部の態様では、上面４６０は、シリンジプランジャ２６の曲率に対応する形状にしてもよい。他の態様では、１つ以上のラグ３４の上面４６０は、シリンジプランジャ２６に対して上面４６０の第１の端部が上面４６０の第２の端部よりも高くなるように、プランジャ２６の外面２１０に対して傾斜してもよい。上面４６０は、連続していてもよく、または上面４６０を共に画定する複数の別個の面から構成されてもよい。上面４６０は、平面、分割、弓形、湾曲、またはそれらの組み合わせであってもよい。
【０１８４】
図１１Ａ〜図１１Ｃは、少なくとも１つのプランジャ保持部材３２０の１つの非限定的な態様を示しているが、様々な他の形状も考えられる。例えば、少なくとも１つのプランジャ保持部材３２０の１つ以上のラグ３４０は、ほぼ円形、正方形、長方形、または他の多角形を有してもよい。少なくとも１つのプランジャ保持部材３２０には、プランジャ２６をピストン１２０に対して配向するのを助けるために、またはプランジャ２６をピストン１２０にロックするために、様々な機能が設けられてもよい。各態様において、少なくとも１つのプランジャ保持部材３２０は、インジェクタ１０のピストン１２０上の対応するロック機構とのロック係合を形成するように構成される。少なくとも１つのプランジャ保持部材３２０の様々な他の形状は、図２Ａ〜図５Ｚおよび図１０Ａ〜図１０Ｈを参照して本明細書で説明する１つ以上のシリンジ保持部材３２と同等であってもよい。
【０１８５】
図１１Ｂを参照すると、インジェクタ１０のピストン１２０（図１Ａに示す）は、プランジャ２６の少なくとも１つのプランジャ保持部材３２０と動作可能に係合するように構成されたロック機構３５０を有する。ロック機構３５０は、プランジャ２６の近位端２０４を受容するように構成された中央開口部７１０を有するハウジング７００を含む。第１の保持リング４８０は、ハウジング７００の中央開口部７１０が第１の保持リング４８０の中央開口部５００と整列するように、ハウジング７００の遠位端に固定される。第１の保持リング４８０は、径方向に延びるフランジ７４０を有する本体７２０を有する。本体７２０の少なくとも一部は、フランジ７４０から近位方向に延びている。ハウジング７００に取り付けられる際、フランジ７４０はハウジング７００の上部と係合し、１つ以上の締結具開口部７６０を通って延びる１つ以上の締結具（図示せず）によって固定される。第１の保持リング４８０の本体７２０の少なくとも一部は、ハウジング７００の中央開口部７１０に挿入される。他の態様では、第１の保持リング４８０は、クリップ、ネジ、接着剤、溶接、またはスナップフィットなどの他の機械的締結構成によってハウジング７００に固定されてもよい。ハウジング７００に取り付けられる際、第１の保持リング４８０の中心軸５９０は、ハウジング７００の中心軸と同軸である。
【０１８６】
引き続き図１１Ｂを参照すると、第１の保持リング４８０の中央開口部５００内の側壁５８０の内側部分は、プランジャ２６が第１の保持リング４８０の中央開口部５００を通って挿入される際に、プランジャ２６の１つ以上のラグ３４０を受容するように構成された１つ以上の第１の凹部６００を有する。１つ以上の第１の凹部６００は、側壁５８０の内周の周囲に均等に離間して配置されてもよい。そのような態様では、第１の凹部６００は、第１の保持リング４８０の側壁５８０の部分によって互いに離されている。各第１の凹部６００および第１の凹部６００の径方向に隣接する１つの側部（左側または右側）の第１の保持リング４８０の側壁５８０は、プランジャ保持部材３２０を受容するためのクリアランス空間６３０を共に画定する。各クリアランス空間６３０の第１の凹部６００は、プランジャ保持部材３２０の少なくとも１つのラグ３４０を受容するように構成されてもよく、第１の保持リング４８０の側壁５８０は、プランジャ保持部材３２０がクリアランス空間６３０内に挿入される際に、プランジャ２６の外面２１０の部分を受容するように構成されてもよい。例えば、第１の保持リング４８０が、第１の保持リング４８０の外周に等しく離間した６つのクリアランス空間６３０を有する態様では、各クリアランス空間６３０は、両側に隣接するクリアランス空間６３０から６０度離れている。このような態様では、各第１の凹部６００は、第１の保持リング４８０の外周の３０度にわたって延びてもよく、クリアランス空間６３０の残りの部分を画定する第１の保持リング４８０の側壁５８０の一部は、外周の残りの３０度にわたって延びる。他の態様では、各第１の凹部６００は、第１の保持リング４８０の側壁５８０の外周の３０度を超えてまたは３０度未満で延びてもよい。一部の態様では、ラグ３４０の数は、保持リング４８０上の第１の凹部６００の数に対応する。他の態様では、プランジャ２６上のラグ３４０の数は、保持リング４８０上の第１の凹部６００の数よりも少ない。このような態様では、シリンジ１２０上のラグ３４０は、プランジャ２６の外周に沿って離間しているので、各ラグ３４０は、保持リング４８０の対応する第１の凹部６００と整列することができる。他の態様では、プランジャ２６上のラグ３４０の数は、保持リング４８０上の第１の凹部６００の数よりも多いので、２つ以上のラグ３４０が少なくとも１つの第１の凹部６００内に受容される。
【０１８７】
１つ以上の第１の凹部６００の各々は、中心軸５９０に対して、側壁５８０の内側部分から径方向内向きに延びている。プランジャ２６の挿入部が第１の保持リング４８０に対して抜き差しされる際、各第１の凹部６００の外側面は、ラグ３４０の動きを第１の凹部６００に対して誘導するための移動経路を画定する。各第１の凹部６００は、中心軸５９０の方向に沿ってほぼ平行に延びている。一部の態様では、各第１の凹部６００は、ラグ３４０を第１の凹部６００と整列するように誘導する１つ以上の誘導面６２０、誘導面６５０を有してもよいので、ラグ３４０を第１の凹部６００内に挿入できる。誘導面６２０および誘導面６５０は、第１の凹部６００の開口部に向かって径方向および軸方向に傾斜して、ラグ３４０の第２の面４２０の動きを誘導してもよい。一部の態様では、誘導面６５０の第１の部分は、第１の凹部６０の１つに向かって傾斜するように誘導面６５０を軸方向に指向させてもよく、誘導面６５０の第２の部分は、隣接する第１の凹部６０に向かって傾斜している。１つ以上の誘導面６２０および誘導面６５０は、プランジャ２６の１つ以上のラグ３４０を、シリンジポート１６の対応する１つ以上の第１の凹部６０に誘導することによって、プランジャ２６がピストン１２０に対して自己配向するのを助ける。１つ以上の第１の凹部６００は、中心軸５９０にほぼ垂直な底面６７０を有してもよい。一部の態様では、底面６７０は、径方向に傾斜していても、先細であってもよい。
【０１８８】
図１１Ｂを引き続き参照すると、ロック機構３５０は、内側側壁８００を備えたほぼ環状の形状を有する第２の保持リング７８０をさらに含む。第２の保持リング７８０は、第１の保持リング４８０の本体７２０の近位端とハウジング７００の底部８２０との間の、ハウジング７００の中央開口部７１０内に配置される。さらに詳細に説明するように、第２の保持リング７８０は、互いに固定された第１の保持リング４８０およびハウジング７００に対して回転可能である。第２の保持リング７８０は、１つ以上の第１のロック要素８４０と、内側側壁８００の少なくとも一部に配置された１つ以上の第２のロック要素８６０とを有する。１つ以上の第１のロック要素８４０および第２のロック要素８６０は、各第１のロック要素８４０が、内側側壁８００の外周に沿って第１のロック要素８４０の両側に設けられた第２のロック要素８６０を有するように交互に配置される。他の態様では、少なくとも１つの第２のロック要素８６０が、複数の第１のロック要素８４０に対して設けられている。第１のロック要素８４０および第２のロック要素８６０の総数は、第１の凹部６００の総数に対応してもよい。
【０１８９】
１つ以上の第１のロック要素８４０および第２のロック要素８６０は、第２の保持リング７８０の内側側壁８００から径方向内向きに延び、１つ以上の第２の凹部８８０によって離される。１つ以上の第２の凹部８８０は、プランジャ２６の挿入部が第１の保持リング４８０の中央開口部５００を通って挿入される際に、１つ以上のラグ３４０を受容するように構成される。１つ以上の第２の凹部８８０は、１つ以上の第２の凹部８８０が第１の保持リング４８０上の１つ以上の第１の凹部６００と選択的に整列してもよいように、第２の保持リング７８０の内側側壁８００の周囲に配置される。例えば、第１の保持リング４８０がハウジング７００の周囲に均等に離された６つの第１の凹部６００を有する態様では、第２の保持リング７８０は、両側に隣接する第２の凹部８８０から等しく離された（すなわち、６０度だけ離された）６つの第２の凹部８８０を有する。
【０１９０】
図１１Ｂを参照すると、１つ以上の第１のロック要素８４０は、ラグ３４０の少なくとも第２の面４２０と係合するように構成された第１の傾斜面９００を有する。第１の傾斜面９００は、直線、分割、湾曲、またはそれらの組み合わせであってもよい。１つ以上の第１のロック要素８４０は、ラグ３４０の点４４０、第１の面４００および第２の面４２０の少なくとも１つと係合するようにさらに構成された第２の傾斜面９２０を有する。同様に、１つ以上の第２のロック要素８６０は、ラグ３４０の点４４０、第１の面４００および第２の面４２０の少なくとも１つと係合するように構成された第２の傾斜面９２０を有する。第２の傾斜面９２０は、直線、分割、湾曲、またはそれらの組み合わせであってもよい。第２の傾斜面９２０は、第２の保持リング７８０の上面にほぼ平行である直線状の上面９４０に移行する。１つ以上の第１のロック要素８４０の第１の傾斜面９００の角度および輪郭は、ロック要素８４０およびロック要素８６０の第２の傾斜面９２０と同じであっても異なっていてもよい。一部の態様では、第１の傾斜面９００のみが、直線、分割、湾曲、または組み合わせの形態で提供されてもよい。
【０１９１】
引き続き図１１Ｂを参照すると、１つ以上の第１のロック要素８４０は、１つ以上の第２のロック要素８６０に対して内側側壁８００に沿ってより高く延びている。１つ以上の第２のロック要素８６０の直線状の上面９４０は、第１の保持リング４８０から近位方向に延びる１つ以上のロックタブ９６０の相対的な摺動移動を受け入れるために、１つ以上の第１のロック要素８４０の上部に対して低く配置されている。１つ以上のロックタブ９６０は、１つ以上のラグ３４０のための回転停止面を画定する。他の態様では、１つ以上のロックタブ９６０は、１つ以上の第２のロック要素８６０と離されて設けられてもよい。一部の態様では、本明細書で説明するように、１つ以上のロックタブ９６０は、シリンジおよび／またはラグ３４０の少なくとも１つに設けられてもよい。
【０１９２】
図１１Ｂを参照すると、第２の保持リング７８０は、ハウジング７００内に回転可能に保持されている。少なくとも１つのガイドピン９８０が、第２の保持リング７８０の底面から近位方向に延びている。少なくとも１つのガイドピン９８０は、ハウジング７００の底部８２０に形成された少なくとも１つのガイドピンスロット１０１０の内側に収容される。少なくとも１つのガイドピンスロット１０１０は、底部８２０の外周の一部にわたって延びてもよい。第２の保持リング７８０の少なくとも一部およびハウジング７００の少なくとも一部には、ばねなどの少なくとも１つの弾力的な弾性部材１０２０が接続しているか接触している。１つの態様では、弾力的な弾性部材１０２０は、少なくとも１つのガイドピン９８０の一端に接続されているか接触してもよく、弾力的な弾性部材１０２０の対向端は、少なくとも１つのガイドピンスロット１０１０に接続されているか接触してもよい。少なくとも１つの弾力的な弾性部材１０２０は、第２の保持リング７８０を第１の位置に付勢する。本明細書で説明するように、プランジャ２６をロック機構３５０に挿入することによって、１つ以上のラグ３４０は、１つ以上の第１のロック要素８４０および第２のロック要素８６０を係合して、第２の保持リング７８０を第２の位置まで回転させ、１つ以上の第２の凹部８８０内への１つ以上のラグ３４０の挿入を可能にする。
【０１９３】
動作中、ピストン１２０は、注入手順中にシリンジ筒１８を介してプランジャ２６を駆動するために、プランジャ２６に解放可能に接続可能である。最初に、ピストン１２０はプランジャ２６から切り離される。ピストン１２０は、プランジャ２６上の１つ以上の係合部材３２０がロック機構３５０内で係合するまで、軸方向に前進してもよい。このプロセスは、図２Ａ〜図２Ｄを参照して本明細書で説明した、シリンジポート１６へのシリンジ１２の接続プロセスと同様である。ロックの後、ピストン１２０は、ピストン１２０が筒１８を通ってプランジャ２６を往復駆動してもよいように、プランジャ２６に接続される。ピストン１２０をプランジャ２６からロック解除するために、図２Ａ〜図２Ｄを参照して本明細書で説明したシリンジポート１６からのシリンジ１２の解放と同様の方法で、長手方向軸１５に対するシリンジ１２の回転が、プランジャ２６をロック機構３５０から解放する。他の態様では、シリンジ保持部材３２０は、図３Ａ〜図５Ｚを参照して説明したシリンジ保持部材３２の態様のいずれかと同様に構成されてもよい。特定の態様では、プランジャピストンインタフェースは、プランジャ２６をピストン１２０から解放するのに必要な回転度合いが、ロック機構３５などのロック機構からシリンジ１２を解放するのに必要な回転度合いよりも小さくなるように設計されてもよい。
【０１９４】
図１２を参照すると、圧力ジャケットを流体インジェクタに接続するための接続インタフェースが示されている。当技術分野で既知であるように、シリンジは、しばしば、一定の最小壁厚を有するポリマー材料で作られる。注入手順中に、図１Ｂに示すシリンジ１２のようなシリンジは、１２００ｐｓｉまでの圧力を受けるので、シリンジ１２の壁厚および弾力性は、シリンジ１２に破裂または漏出がないことを保証する上で重要である。特により薄い壁を有するシリンジを使用して高圧注入する場合に、シリンジ１２が径方向に膨張する可能性にさらに対抗するために、シリンジ１２と比較してより厚いおよび／またはより強い側壁を有する圧力ジャケット３０００のような圧力ジャケットを利用して、シリンジ１２の少なくとも一部を包囲して保持してもよい。圧力ジャケット３０００は、加圧注入手順の中のシリンジ筒１８の径方向の膨張を制限するように作用する。すなわち、注入手順中に、シリンジ１２の外面２１が圧力ジャケット３０００の内壁に対して膨張し、それによって、破裂または漏出を招く可能性のある筒１８の径方向の膨張が制限される。
【０１９５】
圧力ジャケット３０００は、２つ以上の別個の要素から形成されてもよく、またはワンピースモノリシック設計で形成されてもよい。圧力ジャケット３０００は、接続インタフェースを介してインジェクタのポート内に保持される。シリンジ／インジェクタインタフェースに関して本明細書で説明するいずれのインタフェースも、圧力ジャケットとインジェクタポートとの解放可能なインタフェースに使用するのに適していてもよい。
【０１９６】
シリンジおよび圧力ジャケット３０００に作用する径方向の力に加えて、構造要素の弾性的な性質のために、高圧注入中の著しい軸方向移動も可能である。例えば、１２００ｐｓｉで１．６平方インチの断面積を有する単一の１５０ｍｌシリンジは、シリンジの前進運動を抑制するために２４００ｐｓｉの力を必要とすることがある。図１２および図１３を参照すると、シリンジ１２のこの軸方向運動を制限するために、キャップ４０００を使用してシリンジの遠位端を少なくとも部分的に包み込み、注入手順中にシリンジを圧力ジャケット３０００内に保持してもよい。キャップ４０００はその遠位端に形成された開口部を有してもよく、シリンジのネックの少なくとも一部はその開口部を突き抜けることができ、それによりシリンジは、患者に通じるようにセットされた流体経路に流体接続できる。
【０１９７】
シリンジに加えられる軸方向の力のために、圧力ジャケット３０００と流体インジェクタ１０との間、およびキャップ４０００と圧力ジャケット３０００との間の接続インタフェースは、不当な軸方向の移動または不慮の離脱に耐えるのに十分な強度であることが望ましい。しかし、強度が重要である一方、シリンジ１２を取り外したり挿入したりするときのように、操作者がキャップ４０００および／または圧力ジャケット３０００を容易に取り外せることも重要である。したがって、圧力ジャケット３０００と流体インジェクタ１０との間の接続インタフェースは、十分に固定され、かつ容易な取り付けおよび取り外しが可能であることが望ましい。同様に、キャップ４０００と圧力ジャケット３０００との間の接続インタフェースも、十分に固定され、かつ容易な取り付けおよび取り外しが可能であることが望ましい。
【０１９８】
これらの所望の特性を実現するために、圧力ジャケット３０００の接続インタフェースは、図１Ｂ、図３Ａ、図４Ａ〜図５Ｚ、および図１０Ａ〜図１０Ｈに示すシリンジ１２と同様のコネクタ特徴を有してもよく、ポート１６０に圧力ジャケット３００を接続することを可能にするポート１６０の接続インタフェースは、図２Ｂ〜図３Ｂを参照して説明したシリンジポート１６と同様のコネクタ特徴を有してもよい。すなわち、圧力ジャケット３００の接続インタフェースは、１Ｂ、３Ａ、４Ａ〜５Ｚ、および１０Ａ〜１０Ｈを参照して説明した保持部材３２と同様の１つ以上の保持部材３２００を有してもよい。同様に、ポート１６０の接続インタフェースは、図２Ｂ〜図３Ｂに関して示し、かつ説明したロック機構３５と同様のロック機構３５００を有してもよい。
【０１９９】
図１２を参照すると、圧力ジャケット３０００は、一般に、ガラス、金属、または適切な医療用のプラスチックから形成されたほぼ円筒形の筒３１８０を有する。筒３１８０は、近位端３１７０および遠位端３２４０と、筒３１８０の中心を通って延びる長手方向軸３１５０の長さに沿ってそれらの間に延びるほぼ周方向の側壁３１９０とを有する。筒３１８０は、透明または半透明の材料で作られてもよい。筒３１８０は、外面３２１０と、その内部にシリンジを受けるように構成された内部容積を画定する内面とを有する。
【０２００】
引き続き図１２を参照すると、圧力ジャケット３０００の近位端３１７０は、ポート１６０のようなインジェクタ１０の少なくとも１つのポートに挿入されるように寸法決めされ適合される。一部の態様では、圧力ジャケット３０００の近位端３１７０は、インジェクタ１０のポート１６０に取り外し可能に挿入されるように構成された挿入部３０１０を画定し、圧力ジャケット３０００の残りの部分はポート１６０の外側に留まる。本明細書で詳細に説明するように、特定の態様では、圧力ジャケット３０００の近位端３１７０は、インジェクタ１０のポート１６０内の対応するロック機構とのロック係合を形成するように適合された１つ以上の保持部材３３２０を含み、圧力ジャケット３０００をポート１６０内に解放可能に保持する。１つ以上の保持部材３３２０を有する圧力ジャケット３０００と、ロック機構３５００との組み合わせは、インジェクタ１０に対する圧力ジャケット３０００の装填および取り出しのための接続インタフェースを画定する。
【０２０１】
特定の態様によれば、点滴フランジ３３６０は、筒３１８０の外面３２１０から径方向外向きに、長手方向軸３１５０に対して延びてもよい。点滴フランジ３３６０は、筒３１８０の外周の少なくとも一部の周囲に延びてもよい。点滴フランジ３３６０は、シリンジのノズルから滴下する流体がインジェクタ１０のシリンジポート１６０に入るのを防止するように構成されてもよい。
【０２０２】
引き続き図１２を参照すると、少なくとも１つの保持部材３２００が筒３１８０の近位端３１７０に設けられている。図１２に示す少なくとも１つの保持部材３２００は、図３Ａに示し、本明細書で説明した保持部材３２と同様であってもよい。少なくとも１つの保持部材３２００は、長手方向軸３１５０に対して筒３１８０の外面３２１０から径方向外向きに突出する１つ以上のラグ３４００を含むように形成してもよい。一部の態様では、複数のラグ３４００を筒３１８０の外周に径方向に離すことができる。そのような態様では、ラグ３４００は、筒３１８０の外面３２１０の部分によって互いに離される。各ラグ３４００およびラグ３４００の径方向に隣接する１つの側（左側または右側）上の筒３１８０の外面３２１０は、保持部材３２００を共に画定する。２つ以上のラグ３４００が設けられる態様では、ラグ３４００は、筒３１８０の外面３２１０上で径方向に均一または不均一に離間されていてもよい。図１２に示すような等角度間隔を有する６つの保持部材３２００を備える１つの例示的かつ非限定的な態様では、各保持部材３２００は６０度にわたって延び、したがって、いずれかの側で隣接する保持部材３２００から６０度離間される。このような態様では、各ラグ３４００は、筒３１８０の外周の３０度にわたって延び、保持部材３２００の残りの部分を画定する筒３１８０の外面３２１０の部分は、残りの３０度にわたって延びてもよい。他の態様では、各ラグ３４００は、筒３１８０の外周の３０度よりも大きいかまたは３０度未満であってもよい角度で延びてもよい。同様に、隣接するラグ３４００の間の筒３１８０の外面３２１０の各部分は、筒３１８０の外周の３０度よりも大きいかまたは３０度未満であってもよい角度で延びてもよい。一部の態様では、保持部材３２００は、筒３１８０の外周の周囲で、保持部材３２００の間で不等な角度の拡張および／または不等な角度間隔を有してもよい。さらに、１つ以上の保持部材３２００は、近位端３１７０から長手方向軸３１５０に沿って長手方向に整列されてもよい。他の態様では、少なくとも１つのラグ３４００は、残りのラグに対して、近位端３１７０または遠位端３２４０に向かう方向に長手方向にオフセットされてもよい。１つ以上のラグ３４００が存在しない態様では、対応する保持部材３２００は、隣接するラグ３４００間の筒３１８０の外面３２１０であるクリアランス面によって画定され得る。６０度にわたって延びる各保持部材３２００を有する態様が添付図面に例示されているが、ｘが１から３６の値である３６０／ｘ度のような他の分離角度を有する保持部材３２００を備えるシリンジも、本開示の範囲内である。
【０２０３】
引き続き図１２を参照すると、１つ以上のラグ３４００の各々は、ほぼ三角形、長方形、多角形、または矢じり形状を有してもよい。１つ以上のラグ３４００は、筒３１８０の外面３２１０から外面３２１０に対してほぼ垂直な方向に径方向外向きに突出している。一部の態様では、１つ以上のラグ３４００またはラグ３４００の部分は、筒３１８０の外面３２１０と、１つ以上のラグ３４００の上面３４６０との間で、鈍角または鋭角で筒３１８０の外面３２１０から径方向外向きに突出する。一部の態様では、ラグ３４００は、互いに同一の形状を有してもよい。他の態様では、ラグ３４００の少なくとも１つは、例えばラグ３４００とラグ３３７０とを比較して、残りのラグ３４００と異なる形状を有してもよい。
【０２０４】
引き続き図１２を参照すると、１つ以上のラグ３４００の各々は、径方向の断面平面において筒３１８０の長手方向軸３１５０に対してほぼ垂直であってもよい基部面３３８０を有する。他の態様では、基部面３３８０は、径方向断面平面内で筒３１８０の外周の周囲に延びる際に、長手方向軸３１５０の方向に対して傾斜してもよい。基部面３３８０は、平面、分割、弓形、湾曲、またはそれらの組み合わせであってもよい。一部の態様では、基部面３３８０は、基部面３３８０を共に画定する複数の個別の部分を有してもよい。基部面３３８０の複数の個々の部分は、平面、分割、弓形、湾曲、またはそれらの組み合わせであり得る面を画定してもよい。
【０２０５】
特定の態様では、少なくとも１つの第１の面３４５０は、基部面３３８０の一端において、長手方向軸３１５０に対してほぼ平行の方向に延びてもよい。一部の態様では、少なくとも１つの第１の面３４５０は、長手方向軸３１５０の近位方向または遠位方向において、長手方向軸３１５０に対して軸方向に先細になっていてもよい。少なくとも１つの第１の面３４５０の長手方向軸３１５０に対する軸方向の先細りは、遠位端３２４０から近位端３１７０に向かう方向における円筒形の平面投影図における第１の面３４５０の傾斜角として画定されてもよい。少なくとも１つの第１の面３４５０は、基部面３３８０に直接接続されてもよい。一部の態様では、少なくとも１つの第１の面３４５０を、基部面３３８０から離してもよい。少なくとも１つの第１の面３４５０は、平面、分割、弓形、湾曲、またはそれらの組み合わせであってもよい。一部の態様では、少なくとも１つの第１の面３４５０は、少なくとも１つの第１の面３４５０を共に画定する複数の個別の部分を有してもよい。少なくとも１つの第１の面３４５０の複数の個々の部分は、平面、分割、弓形、湾曲、またはそれらの組み合わせであってもよい面を画定してもよい。
【０２０６】
少なくとも１つの第２の面３４１０は、第１の面３４５０に対向する基部面３３８０の一端において、長手方向軸３１５０に対してほぼ平行の方向に延びてもよい。一部の態様では、少なくとも１つの第２の面３４１０は、長手方向軸３１５０の近位方向または遠位方向において、長手方向軸３１５０に対して軸方向に先細になっていてもよい。少なくとも１つの第２の面３４１０の長手方向軸３１５０に対する軸方向の先細りは、遠位端３２４０から近位端３１７０に向かう方向における円筒形の平面投影図における第１の面３４５０の傾斜角として画定されてもよい。少なくとも１つの第２の面３４１０は、基部面３３８０に直接接続されてもよい。一部の態様では、少なくとも１つの第２の面３４１０を、基部面３３８０から離してもよい。少なくとも１つの第２の面３４１０は、平面、分割、弓形、湾曲、またはそれらの組み合わせであってもよい。一部の態様では、少なくとも１つの第２の面３４１０は、少なくとも１つの第２の面３４１０を共に画定する複数の個別の部分を有してもよい。少なくとも１つの第２の面３４１０の複数の個々の部分は、平面、分割、弓形、湾曲、またはそれらの組み合わせであり得る面を画定してもよい。
【０２０７】
一部の態様では、少なくとも１つの第３の面３４２０が、第２の面３４１０の一端から第１の面３４５０の端まで延びている。少なくとも１つの第３の面３４２０は、長手方向軸３１５０の近位方向または遠位方向において、長手方向軸３１５０に対して軸方向に先細になっていてもよい。一部の態様では、少なくとも１つの第３の面３４２０は、近位方向に長手方向軸３１５０に対して軸方向に先細になっていてもよい。少なくとも１つの第３の面３４２０の長手方向軸３１５０に対する軸方向の先細りは、遠位端３２４０から近位端３１７０に向かう方向における円筒形の平面投影図における少なくとも１つの第３の面３４２０の傾斜角として画定されてもよい。少なくとも１つの第３の面３４２０および少なくとも１つの第１の面３４５０は、丸みのある点または鋭い点３４４０で互いに接合してもよい。少なくとも１つの第３の面３４２０は、点３４４０で第１の面３３５０の少なくとも１つに直接接続されてもよい。一部の態様では、少なくとも１つの第３の面３４２０は、点３４４０で第１の面３４５０の少なくとも１つから離してもよい。一部の態様では、点３４４０は、少なくとも１つの第３の面３４２０および第１の面３４５０から離してもよい。少なくとも１つの第３の面３４２０は、平面、分割、弓形、湾曲、またはそれらの組み合わせであってもよい。一部の態様では、少なくとも１つの第３の面３４２０は、少なくとも１つの第３の面３４２０を共に画定する複数の個別の部分を有してもよい。少なくとも１つの第３の面３４２０の複数の個々の部分は、平面、分割、弓形、湾曲、またはそれらの組み合わせであってもよい面を画定してもよい。
【０２０８】
基部面３３８０および第１の面３４５０、第２の面３４１０および第３の面３４２０は、１つ以上の第１のラグ３４００のそれぞれの上面３４６０を画定する。一部の態様では、上面３４６０は、筒３１８０の曲率に対応する形状にしてもよい。他の態様では、１つ以上のラグ３４００の上面３４６０は、筒３１８０に対して上面３４６０の第１の端部が上面３４６０の第２の端部よりも高くなるように、筒３１８０の外面３２１０に対して傾斜してもよい。上面３４６０は、連続していてもよく、または上面３４６０を共に画定する複数の別個の面から構成されてもよい。上面３４６０は、平面、分割、弓形、湾曲、またはそれらの組み合わせであってもよい。
【０２０９】
１つ以上の第２のラグ３３７０の各々は、筒３１８０の外面３２１０から径方向外向きに延びる突出部として形成されてもよい。１つ以上の第２のラグ３３７０は、筒３１８０の外面３２１０から少なくとも１つの第２のラグ３３７０の基部面３０６０まで筒３１８０の外周の方向に延びる傾斜解放部材３０４０を任意に有する。存在する場合、傾斜解放部材３０４０は、シンプルな二つ割型で圧力ジャケット３０００の成形を容易にしてもよい。一部の態様では、基部面３０６０は、筒３１８０の曲率に対応する形状にしてもよい。他の態様では、基部面３０６０は、筒３１８０の外面３２１０に対して傾斜していてもよい。基部面３０６０は、連続していてもよく、または基部面３０６０を共に画定する複数の別個の面から構成されてもよい。基部面３０６０は、平面、分割、弓形、湾曲、またはそれらの組み合わせであってもよい。解放部材３０４０は、本明細書で説明するように、圧力ジャケット３０００をポート１６０から解放するために、第３の保持リング１０８と係合するように構成されてもよい。
【０２１０】
さらに、圧力ジャケット３０００とポート１６０との接続インタフェース間のそれぞれの係合は、図１２に関して示し、かつ説明した構造の詳細に限定されない。代わりに、接続インタフェースは、それぞれ、図１Ｂ、図３Ａ〜図３Ｂ、図４Ａ〜図５Ｚ、および図１０Ａ〜図１０Ｈに関して示し、かつ説明したシリンジ対シリンジのポート係合の構造の詳細を利用することができる。例えば、図１２のロック機構３５００は、図３Ａを参照して説明したロック機構３５と同様であるが、別の態様では、ロック機構３５００は、図２Ａに示すロック機構３５と同様であってもよい。
【０２１１】
圧力ジャケット３０００をシリンジポート１６０に挿入するために、圧力ジャケット３０００の挿入部３０１０は、第１の保持リング４８と接触するように付勢される。第１のラグ３４００および第２のラグ３３７０が当初は第１の凹部６０に対して位置がずれている場合、誘導面６５は、挿入部３０１０が第１の保持リング４８に対して近位に移動する際に、第１のラグ３４００および第２のラグ３３７０を第１の凹部６０と自己整列するように誘導する。圧力ジャケット３０００が第１の保持リング４８に対して近位方向に連続して移動すると、１つ以上の第１のラグ３４００の第３の面３４２０の少なくとも一部が第３の保持リング１０８の１つ以上のロック要素１１２の傾斜面１１６に接触するまで、第１のラグ３４００および第２のラグ３３７０は第１の凹部６０内に誘導される。傾斜面１１６は、第１のラグ３４００の第３の面３４２０と係合するように構成される。圧力ジャケット３０００が第１の保持リング４８に対して近位方向に連続して移動すると、第１のラグ３４００が少なくとも１つの弾力的な弾性部材１０２の復元力に抗して作用し、第３の保持リング１０８を、第１の位置（図３Ｄに示す位置と同様）から第２の位置（図３Ｅに示す位置と同様）まで回転させる。１つ以上の第１のラグ３４００は、第３の保持リング１０８を時計回りまたは反時計回りなどの第１の方向に回転させてもよい。第３の保持リング１０８が、近位方向移動の間に、ポート１６０内に示されたのと同様の位置まで回転されると、１つ以上の第１のラグ３４００および第２のラグ３３７０は、全ての第１のラグ３４００および第２のラグ３３７０の基部面３３８０および基部面３０６０が第３の保持リング１０８の底部を通過するまで、対応する１つ以上の第２の凹部８８に誘導される。弾力的な弾性部材１０２の復元作用の下で、第３の保持リング１０８は、第１の方向とは反対の第２の方向に回転される。ハウジング７０に対する第３の保持リング１０８の回転は、圧力ジャケット３０００が遠位方向に取り外されるのを防止するように、ロック要素１１２を１つ以上の第１のラグ３４００および第２のラグ３３７０上に配置させる。
【０２１２】
圧力ジャケット３０００をポート１６０からロック解除するために、圧力ジャケット３０００は、図３Ｆに示すシリンジの回転と同様に、長手方向軸３１５０の周囲で第１の方向に回転する。圧力ジャケット３０００の回転運動は、第１のラグ３４００の第３の面３４２０を第２の保持リング７８の第１の傾斜面９０に当接させ、第２の保持リング７８をその弾性部材１０２’の力に抗して回転させる。例えば約３０度の回転の後、第２の保持リング７８上のガイドピン９８は、第３の保持リング１０８と係合してこれも第１の方向に回転させる。さらなる回転、例えば約３０度の回転の後、第１のラグ３４００および第２のラグ３３７０は、第１の保持リング４８の第１の凹部８０と整列し、第３の保持リング１０８上のロック要素１１２は、図３Ｇに示す位置と同様に、少なくとも１つの第１の凹部８０が少なくとも１つの第３の凹部１１４と整列するように、第１の凹部８０の遠位の空間を通過するように移動する。図３Ｈに示すようなシリンジの排出と同様に、この時点で、第１の傾斜面９０に対する第１のラグ３４００の第３の面３４２０の回転運動によって生成された遠位方向の力成分は、圧力ジャケット３０００を遠位に移動させてポート１６０から排出する。圧力ジャケット３０００がポート１６０から排出されると、弾力的な弾性部材１０２および１０２’の復元力によって、第３の保持リング１０８および第２の保持リング７８は、第２の方向に回転することによってそれぞれの第１の位置に戻り、その後の新しい圧力ジャケット３０００の挿入に備える。
【０２１３】
図１２の１つ以上の保持部材３２００は、圧力ジャケット３０００と一体化されて示され説明されているが、代替的に、例えば圧力ジャケット３０００の近位端３１７０のような圧力ジャケット３０００の少なくとも一部に取り外し可能または取り外し不可能に取り付けられた別個の構成要素またはアダプタから形成されてもよい。このようにして、従来の圧力ジャケットは、圧力ジャケットが上述のロック機構３５００を有するポート１６０と確実にインタフェースできるように、ロック機構３５００に適合させることができる。
【０２１４】
本開示の別の態様によれば、上述の圧力ジャケット３０００とポート１６０との間の接続インタフェースの構造的詳細は、逆にすることができる。すなわち、圧力ジャケット３０００の接続インタフェースは、例えば、ロック機構３５００および対応する特徴を備えることができ、ポート１６０の接続インタフェースは、１つ以上の保持部材３２００を備えることができる。
【０２１５】
次に、図１３を参照すると、本開示の別の態様が示されている。各シリンジを圧力ジャケット３０００内に軸方向に保持するように、それぞれの圧力ジャケット３０００の遠位端の周囲に配置されたキャップ４０００を有することが好ましい。図１３に示すように、キャップ４０００は、好ましくは、圧力ジャケット３０００に取り付けるための１つ以上の保持部材３２００のような接続インタフェースと、シリンジ（図示せず）の一部が通り抜けて延びることができる、キャップ４０００に形成された開口部４１００とを有する。
【０２１６】
圧力ジャケット３０００とキャップ４０００との間の確実な接続を得るために、一部の態様では、圧力ジャケット３０００とキャップ４０００との間のそれぞれのインタフェースは、それらが、図１Ｂ、図３Ａ、図４Ａ〜図５Ｚ、および図１０Ａ〜図１０Ｈに関して本明細書に詳細に示し説明したようなシリンジ１２とシリンジポート１６との間の相互作用か、図１２に関して本明細書に詳細に示し説明したような圧力ジャケット３０００とポート１６０との間の相互作用とほぼ同様に相互作用するように構成されてもよい。例示的かつ非限定的な態様では、圧力ジャケット３０００の遠位端３２４０は、ロック機構３５００を有する接続インタフェースを有してもよい。ロック機構３５００は、図２Ａ〜図３Ｂを参照して本明細書で詳細に説明されるロック機構３５および／または図１２を参照して本明細書で詳細に説明されるロック機構３５００をと類似していてもよく、それらと類似または同一の構成要素を含んでもよい。したがって、ロック機構３５００の詳細な説明は省略する。図１３に示すキャップ４０００の接続インタフェースは、１つ以上の保持部材３２００を含んでもよい。１つ以上の保持部材３２００は、図１Ｂおよび図３Ａを参照して本明細書で詳細に説明される１つ以上の保持部材３２および／または図１２を参照して本明細書で詳細に説明される１つ以上の保持部材３２００と類似していてもよく、それらと類似または同一の構成要素を含んでもよい。したがって、１つ以上の保持部材３２００の詳細な説明は省略する。圧力ジャケット３０００の接続インタフェースとキャップ４０００の接続インタフェースとの間の係合は、図２Ａ〜図３Ｈおよび／または図１２に関して上述したものと同一またはほぼ同様であってもよい。このようにして、キャップ４０００は圧力ジャケット３０００の遠位端３２４０に対して確実に係合可能であり、容易に取り外し可能である。
【０２１７】
シリンジ１２の少なくとも一部から離れてそこを取り囲むように形成されたキャップ４０００の代替物として、キャップ４０００は、図１Ｂ〜図３Ｂに示すシリンジ１２のようなシリンジ、またはシリンジ壁のための回転ダイアフラムを備えたシリンジのような圧縮性シリンジの遠位端と一体化するか別の方法で取り付けられてもよい。すなわち、キャップ４０００は、シリンジの本体と直接成形または形成されるか、シリンジの遠位端に共成形されるか、またはシリンジの遠位端に接続されてもよい。シリンジの少なくとも一部は、様々な流体ラインとの流体接続が容易になるように、キャップ４０００の開口部４１００を介してアクセス可能であってもよい。
【０２１８】
図１２のロック機構３５００は、圧力ジャケット３０００と一体化されて示され説明されているが、代替的に、例えば圧力ジャケット３０００の遠位端３２４０のような圧力ジャケット３０００の少なくとも一部に取り付け可能な別個の構成要素から形成されてもよい。このようにして、従来の圧力ジャケットは、圧力ジャケットが上述の１つ以上の保持部材３２００を有するキャップ４０００と確実にインタフェースできるように、ロック機構３５００に適合させることができる。
【０２１９】
本開示の別の態様によれば、上述の圧力ジャケット３０００とキャップ４０００との間の接続インタフェースの構造的詳細は、逆にすることができる。すなわち、圧力ジャケット３０００の接続インタフェースは、例えば、保持部材３２００および対応する特徴を備えることができ、キャップ４０００の接続インタフェースは、ロック機構３５００を備えることができる。
【０２２０】
本開示は、現在最も実用的で好ましい態様であると現在考えられているものに基づいて説明するために詳細に記載されているが、そのような詳細はその目的のためにすぎず、反対に、本開示は、修正および同等の構成を包含することを意図している。例えば、本開示は、可能な限り、任意の態様の１つ以上の特徴を任意の他の態様の１つ以上の特徴と組み合わせることができることを意図している。
【符号の説明】
【０２２１】
１０  流体インジェクタ
１１  流体確認部材
１２  シリンジ
１４  ハウジング
１５  長手方向軸
１６  シリンジポート
１７  流体経路セット
１８  シリンジ筒
１９  側壁、内側側壁
２０  近位端
２１  外面
２２  ノズル
２３  内面、内側側壁
２４  遠位端
２５  内部容積
２６  シリンジプランジャ
２８  剛性内側要素
２９  エラストマカバー
３０  挿入部
３２  シリンジ保持部材
３４  ラグ
３４ｃ  ラグ
３４ＡＡ  ラグ
３４ＢＢ  ラグ
３４Ｃ  ラグ
３４ＣＣ  ラグ
３４Ｄ  ラグ
３４ＤＤ  ラグ
３４Ｅ  ラグ
３４ＥＥ  ラグ
３４Ｆ  ラグ
３４ＦＦ  ラグ
３４Ｇ  ラグ
３４ＧＧ  ラグ
３４Ｈ  ラグ
３４ＨＨ  ラグ
３４Ｉ  ラグ
３４Ｊ  ラグ
３４Ｋ  ラグ
３４Ｌ  ラグ
３４Ｍ  ラグ
３４Ｎ  ラグ
３４Ｏ  ラグ
３４Ｐ  ラグ
３４Ｑ  ラグ、ラグ態様
３４Ｒ  ラグ
３４ＳＡ  ラグ
３４ＳＢ  ラグ
３４Ｔ  ラグ
３４Ｕ  ラグ
３４Ｖ  ラグ
３４Ｗ  ラグ
３４ＷＴ  形ラグ
３４Ｘ  ラグ
３４Ｙ  ラグ
３４Ｚ  ラグ
３５  取り付け機構、ロック機構
３６  点滴フランジ
３７  ラグ
３８  基部面、面、上面
４０  面
４０’面
４２  仮想第２面
４２Ｏ  面
４４  面
４６  上面
４８  保持リング
４９  符号化装置
５０  中央開口部
５１  センサ
５８  側壁、保持部材
５９  中心軸
６０  凹部
６２  誘導面
６３  クリアランス空間
６４  保持面
６５  誘導面
６７  底面
７０  ハウジング、基部
７１  中央開口部
７２  本体
７４  フランジ
７６  締結具開口部
７８  保持リング
８０  凹部、内側側壁
８２  底部、底面
８４  ロック要素
８６  ロック要素
８８  凹部
８９  傾斜路
９０  傾斜面
９１  凹部
９２  傾斜面
９４  上面
９６  ロックタブ、面
９６ａ  ロックタブ
９８  ガイドピン
９８’  近位ピン
１００  接続インタフェース
１０１  ガイドピンスロット
１０２  弾性部材
１０２’  弾性部材
１０４  傾斜解放部材
１０６  上面
１０８  保持リング
１１０  内側側壁
１１２  遠位端、ロック要素
１１４  近位端、凹部
１１６  傾斜面
１２０  シリンジ、ピストン
１３０  カップリング
１３２  部分
１３４  部分
１６０  シリンジポート
２００  プランジャ本体
２０２  遠位端
２０４  近位端
２０６  シール
２１０  外面
２３０  アダプタ
２３２  部分
２３４  部分
３００  圧力ジャケット、リング
３２０  シリンジ保持部材、プランジャ保持部材、アダプタ、係合部材
３４０  突出部、ラグ
３５０  ロック機構
３８０  基部面
４００  面
４２０  面
４６０  上面
４８０  保持リング
５００  中央開口部
５８０  側壁
５９０  中心軸
６００  凹部
６１２  中心部分
６１２’’  空隙
６１４  補強部材
６２０  誘導面
６３０  クリアランス空間
６５０  誘導面
６７０  底面
７００  ハウジング
７１０  中央開口部
７２０  本体
７４０  フランジ
７６０  締結具開口部
７８０  保持リング
８００  内側側壁
８２０  底部
８４０  ロック要素
８６０  ロック要素
８８０  凹部
９００  傾斜面
９２０  傾斜面
９４０  上面
９６０  ロックタブ
９８０  ガイドピン
１０１０  ガイドピンスロット
１０２０  弾性部材
３０００  圧力ジャケット
３０１０  挿入部
３０４０  傾斜解放部材
３０６０  基部面
３１５０  長手方向軸
３１７０  近位端
３１８０  筒
３１９０  側壁
３２００  保持部材
３２１０  外面
３２４０  遠位端
３３２０  保持部材
３３５０  面
３３６０  点滴フランジ
３３７０  ラグ
３３８０  基部面
３４００  ラグ
３４１０  面
３４２０  面
３４５０  面
３４６０  上面
３５００  ロック機構
４０００  キャップ
４１００  開口部
【図１Ａ】
0006726179.tif 000002
【図１Ｂ】
0006726179.tif 000003
【図２Ａ】
0006726179.tif 000004
【図２Ｂ】
0006726179.tif 000005
【図２Ｃ】
0006726179.tif 000006
【図２Ｄ】
0006726179.tif 000007
【図３Ａ】
0006726179.tif 000008
【図３Ｂ】
0006726179.tif 000009
【図３Ｃ】
0006726179.tif 000010
【図３Ｄ】
0006726179.tif 000011
【図３Ｅ】
0006726179.tif 000012
【図３Ｆ】
0006726179.tif 000013
【図３Ｇ】
0006726179.tif 000014
【図３Ｈ】
0006726179.tif 000015
【図４Ａ】
0006726179.tif 000016
【図４Ｂ】
0006726179.tif 000017
【図４Ｃ】
0006726179.tif 000018
【図４Ｄ】
0006726179.tif 000019
【図４Ｅ】
0006726179.tif 000020
【図４Ｆ】
0006726179.tif 000021
【図４Ｇ】
0006726179.tif 000022
【図４Ｈ】
0006726179.tif 000023
【図４Ｉ】
0006726179.tif 000024
【図４Ｊ】
0006726179.tif 000025
【図４Ｋ】
0006726179.tif 000026
【図４Ｌ】
0006726179.tif 000027
【図４Ｍ】
0006726179.tif 000028
【図５Ａ】
0006726179.tif 000029
【図５Ｂ】
0006726179.tif 000030
【図５Ｃ】
0006726179.tif 000031
【図５Ｄ】
0006726179.tif 000032
【図５Ｅ】
0006726179.tif 000033
【図５Ｆ】
0006726179.tif 000034
【図５Ｇ】
0006726179.tif 000035
【図５Ｈ】
0006726179.tif 000036
【図５Ｉ】
0006726179.tif 000037
【図５Ｊ】
0006726179.tif 000038
【図５Ｋ】
0006726179.tif 000039
【図５Ｌ】
0006726179.tif 000040
【図５Ｍ】
0006726179.tif 000041
【図５Ｎ】
0006726179.tif 000042
【図５Ｏ】
0006726179.tif 000043
【図５Ｐ】
0006726179.tif 000044
【図５Ｑ】
0006726179.tif 000045
【図５Ｒ】
0006726179.tif 000046
【図５Ｓ（１）】
0006726179.tif 000047
【図５Ｓ（２）】
0006726179.tif 000048
【図５Ｓ（３）】
0006726179.tif 000049
【図５Ｔ】
0006726179.tif 000050
【図５Ｕ】
0006726179.tif 000051
【図５Ｖ】
0006726179.tif 000052
【図５Ｗ】
0006726179.tif 000053
【図５Ｘ】
0006726179.tif 000054
【図５Ｙ】
0006726179.tif 000055
【図５Ｚ】
0006726179.tif 000056
【図６Ａ】
0006726179.tif 000057
【図６Ｂ】
0006726179.tif 000058
【図７Ａ】
0006726179.tif 000059
【図７Ｂ】
0006726179.tif 000060
【図８Ａ】
0006726179.tif 000061
【図８Ｂ】
0006726179.tif 000062
【図８Ｃ】
0006726179.tif 000063
【図９Ａ】
0006726179.tif 000064
【図９Ｂ】
0006726179.tif 000065
【図１０Ａ】
0006726179.tif 000066
【図１０Ｂ】
0006726179.tif 000067
【図１０Ｃ】
0006726179.tif 000068
【図１０Ｄ】
0006726179.tif 000069
【図１０Ｅ】
0006726179.tif 000070
【図１０Ｆ】
0006726179.tif 000071
【図１０Ｇ】
0006726179.tif 000072
【図１０Ｈ】
0006726179.tif 000073
【図１１Ａ】
0006726179.tif 000074
【図１１Ｂ】
0006726179.tif 000075
【図１１Ｃ】
0006726179.tif 000076
【図１２】
0006726179.tif 000077
【図１３】
0006726179.tif 000078
【図１４】
0006726179.tif 000079